(57)【要約】  本発明は、データ伝送方法、装置及びコンピュータ記憶媒体を開示し、前記方法は、端末が第１の構成シグナリングを受信し、第１の構成シグナリングに基づいて第１のデータが第１のスロットに占用する第１のリソースを決定することと、端末が第２の構成シグナリングを受信し、第２の構成シグナリングに基づいて第１のスロットにおいて各時間領域シンボルに対応する伝送方向を決定することと、第１のスロットにおいて第１の構成シグナリングに基づいて決定された第１のリソースの伝送方向が第２の構成シグナリングに基づいて決定された第１のリソースの伝送方向と異なる場合、端末が前記第１のスロットにおいて前記第１のデータを伝送しないこととを含む。端末が第３の構成シグナリングを受信し、第３の構成シグナリングに基づいて第２のデータが前記第１のスロットに占用する第２のリソースを決定し、第１のスロットにおいて第２のリソースと第１のリソースとがリソース重複部分を有する場合、端末が予め設定されたポリシーに基づいて第１のスロットにおいて伝送するデータを決定する。
2021513759.tif 000002
【特許請求の範囲】
【請求項１】
端末が第１の構成シグナリングを受信し、前記第１の構成シグナリングに基づいて、第１のスロットにおいて第１のデータが占用する第１のリソースを決定することと、
前記端末が第２の構成シグナリングを受信し、前記第２の構成シグナリングに基づいて、前記第１のスロットにおいて各時間領域シンボルに対応する伝送方向を決定することと、
前記第１のスロットにおいて前記第１の構成シグナリングに基づいて決定された前記第１のリソースの伝送方向が前記第２の構成シグナリングに基づいて決定された前記第１のリソースの伝送方向と異なる場合、前記端末が前記第１のスロットにおいて前記第１のデータを伝送しないこととを含み、
前記第１のデータの上り下りタイプが前記第１のリソースに対応する伝送方向を示し、前記第１のリソースが少なくとも１つの時間領域シンボルを含み、前記第１の構成シグナリングが前記第１のスロットを含むＮ個のスロット内のデータをスケジューリングし、Ｎが１より大きい整数である
ことを特徴とするデータ伝送方法。
【請求項２】
前記第１のスロットにおいて前記第１の構成シグナリングに基づいて決定された前記第１のリソースの伝送方向が前記第２の構成シグナリングに基づいて決定された前記第１のリソースの伝送方向と異なることは、
前記第１のスロットにおいて、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることを含む
ことを特徴とする請求項１に記載のデータ伝送方法。
【請求項３】
前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることは、
前記第１の構成シグナリングに基づいて決定された前記第１のリソースの少なくとも１つの時間領域シンボルの伝送方向が上り伝送であり、前記第２の構成シグナリングに基づいて決定された前記少なくとも１つの時間領域シンボルの伝送方向が下り伝送であり、又は、
前記第１の構成シグナリングに基づいて決定された前記第１のリソースの少なくとも１つの時間領域シンボルの伝送方向が下り伝送であり、前記第２の構成シグナリングに基づいて決定された前記少なくとも１つの時間領域シンボルの伝送方向が上り伝送である
ことを特徴とする請求項２に記載のデータ伝送方法。
【請求項４】
前記端末が前記第１のスロットにおいて前記第１のデータを伝送しないことは、
前記第１のデータのタイプが上りデータである場合、前記端末が前記第１のスロットにおいて前記上りデータを送信しないことと、
前記第１のデータのタイプが下りデータである場合、前記端末が前記第１のスロットにおいて前記下りデータを受信しないこととを含む
ことを特徴とする請求項１に記載のデータ伝送方法。
【請求項５】
前記第２の構成シグナリングが半静的上り下り構成シグナリング及び／又は動的スロットフォーマット指示シグナリングであり、
前記半静的上り下り構成シグナリングがスロットフォーマットを構成するために使用され、前記スロットフォーマットがスロットにおいて各時間領域シンボルに対応する伝送方向を含み、前記伝送方向が、上り伝送、下り伝送、又はフレキシブル伝送であり、
前記動的スロットフォーマット指示シグナリングがスロットフォーマットを示すために使用され、前記スロットフォーマットがスロットにおいて各時間領域シンボルに対応する伝送方向を含み、前記伝送方向が、上り伝送、下り伝送、又はフレキシブル伝送である
ことを特徴とする請求項１〜４のいずれか１項に記載のデータ伝送方法。
【請求項６】
前記半静的上り下り構成シグナリングが無線リソース制御ＲＲＣシグナリング、又はシステム情報ＳＩであり、
前記動的スロットフォーマット指示シグナリングがグループ共通下り制御チャネルである
ことを特徴とする請求項５に記載のデータ伝送方法。
【請求項７】
前記第１の構成シグナリングがマルチスロット動的スケジューリングシグナリングであり、
前記マルチスロット動的スケジューリングシグナリングが下り制御情報ＤＣＩ及び／又はメディアアクセス制御ＭＡＣ制御要素ＣＥである
ことを特徴とする請求項１〜６のいずれか１項に記載のデータ伝送方法。
【請求項８】
端末が第１の構成シグナリングを受信し、前記第１の構成シグナリングに基づいて、第１のスロットにおいて第１のデータが占用する第１のリソースを決定することと、
前記端末が第３の構成シグナリングを受信し、前記第３の構成シグナリングに基づいて第２のデータが前記第１のスロットに占用する第２のリソースを決定することと、
前記第１のスロットにおいて前記第２のリソースと前記第１のリソースとがリソース重複部分を有する場合、前記端末が予め設定されたポリシーに基づいて前記第１のスロットにおいて伝送するデータを決定することとを含み、
前記第１の構成シグナリングが前記第１のスロットを含むＮ個のスロット内のデータをスケジューリングし、Ｎが１より大きい整数である
ことを特徴とするデータ伝送方法。
【請求項９】
前記第１のスロットにおいて前記第２のリソースと前記第１のリソースとがリソース重複部分を有することは、
前記第１のスロットにおいて、前記第２のリソースの少なくとも１つの時間領域シンボルが前記第１のリソースに位置することを含む
ことを特徴とする請求項８に記載のデータ伝送方法。
【請求項１０】
前記第１の構成シグナリングがマルチスロット動的スケジューリングシグナリングであり、
前記マルチスロット動的スケジューリングシグナリングがＤＣＩ及び／又はＭＡＣ  ＣＥである
ことを特徴とする請求項８〜９のいずれか１項に記載のデータ伝送方法。
【請求項１１】
前記第３の構成シグナリングが単一スロット動的スケジューリングシグナリングであり、前記単一スロット動的スケジューリングシグナリングは、前記第２のデータが前記第１のスロットに占用する第２のリソースを示し、
前記単一スロット動的スケジューリングシグナリングがＤＣＩ及び／又はＭＡＣ  ＣＥである
ことを特徴とする請求項８〜１０のいずれか１項に記載のデータ伝送方法。
【請求項１２】
前記端末が予め設定されたポリシーに基づいて前記第１のスロットにおいて伝送するデータを決定することは、
前記端末が前記第１のスロットにおいて前記第２のデータを伝送することを含む
ことを特徴とする請求項１１に記載のデータ伝送方法。
【請求項１３】
前記第３の構成シグナリングがＵＥ専用ＲＲＣシグナリングである
ことを特徴とする請求項８〜１０のいずれか１項に記載のデータ伝送方法。
【請求項１４】
前記端末が予め設定されたポリシーに基づいて前記第１のスロットにおいて伝送するデータを決定することは、
前記端末が前記第１のスロットにおいて前記第１のデータを伝送することを含む。
ことを特徴とする請求項１３に記載のデータ伝送方法。
【請求項１５】
前記第３の構成シグナリングがセル専用ＲＲＣシグナリングである
ことを特徴とする請求項８〜１０のいずれか１項に記載のデータ伝送方法。
【請求項１６】
前記端末が予め設定されたポリシーに基づいて前記第１のスロットにおいて伝送するデータを決定することは、
前記端末が前記第１のスロットにおいて前記第２のデータを伝送することを含む
ことを特徴とする請求項１５に記載のデータ伝送方法。
【請求項１７】
前記端末が前記第１のスロットにおいて前記第２のデータを伝送することは、
前記第２のデータのタイプが上りデータである場合、前記端末が前記第１のスロットにおいて前記第２のデータを送信することと、
前記第２のデータのタイプが下りデータである場合、前記端末が前記第１のスロットにおいて前記第２のデータを受信することとを含む
ことを特徴とする請求項１２又は１６に記載のデータ伝送方法。
【請求項１８】
前記端末が前記第１のスロットにおいて前記第１のデータを伝送することは、
前記第１のデータのタイプが上りデータである場合、前記端末が前記第１のスロットにおいて前記第１のデータを送信することと、
前記第１のデータのタイプが下りデータである場合、前記端末が前記第１のスロットにおいて前記第１のデータを受信することとを含む
ことを特徴とする請求項１４に記載のデータ伝送方法。
【請求項１９】
ネットワークデバイスが第１の構成シグナリングを構成して送信することと、
前記ネットワークデバイスが第２の構成シグナリングを構成して送信することと、
第１のスロットにおいて前記第１の構成シグナリングに基づいて決定された第１のリソースの伝送方向が前記第２の構成シグナリングに基づいて決定された第１のリソースの伝送方向と異なる場合、前記ネットワークデバイスが前記第１のスロットにおいて前記第１のデータを伝送しないこととを含み、
前記第１の構成シグナリングは、第１のデータが第１のスロットに第１のリソースを占用するように指示し、前記第１のデータの上り下りタイプが前記第１のリソースに対応する伝送方向を示し、前記第１のリソースが少なくとも１つの時間領域シンボルを含み、前記第１の構成シグナリングが前記第１のスロットを含むＮ個のスロット内のデータをスケジューリングし、Ｎが１より大きい整数であり、前記第２の構成シグナリングは、前記第１のスロットの各時間領域シンボルに対応する伝送方向を示す。
ことを特徴とするデータ伝送方法。
【請求項２０】
前記第１のスロットにおいて前記第１の構成シグナリングに基づいて決定された前記第１のリソースの伝送方向が前記第２の構成シグナリングに基づいて決定された前記第１のリソースの伝送方向と異なることは、
前記第１のスロットにおいて、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることを含む
ことを特徴とする請求項１９に記載のデータ伝送方法。
【請求項２１】
前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることは、
前記第１の構成シグナリングに基づいて決定された前記第１のリソースの少なくとも１つの時間領域シンボルの伝送方向が上り伝送であり、前記第２の構成シグナリングに基づいて決定された前記少なくとも１つの時間領域シンボルの伝送方向が下り伝送であり、又は、
前記第１の構成シグナリングに基づいて決定された前記第１のリソースの少なくとも１つの時間領域シンボルの伝送方向が下り伝送であり、前記第２の構成シグナリングに基づいて決定された前記少なくとも１つの時間領域シンボルの伝送方向が上り伝送である
ことを特徴とする請求項２０に記載のデータ伝送方法。
【請求項２２】
前記ネットワークデバイスが前記第１のスロットにおいて前記第１のデータを伝送しないことは、
前記第１のデータのタイプが上りデータである場合、前記ネットワークデバイスが前記第１のスロットにおいて前記上りデータを受信しないことと、
前記第１のデータのタイプが下りデータである場合、前記ネットワークデバイスが前記第１のスロットにおいて前記下りデータを送信しないこととを含む
ことを特徴とする請求項１９に記載のデータ伝送方法。
【請求項２３】
前記第２の構成シグナリングが半静的上り下り構成シグナリング及び／又は動的スロットフォーマット指示シグナリングであり、
前記半静的上り下り構成シグナリングがスロットフォーマットを構成するために使用され、前記スロットフォーマットがスロットにおいて各時間領域シンボルに対応する伝送方向を含み、前記伝送方向が、上り伝送、下り伝送、又はフレキシブル伝送であり、
前記動的スロットフォーマット指示シグナリングがスロットフォーマットを示すために使用され、前記スロットフォーマットがスロットにおいて各時間領域シンボルに対応する伝送方向を含み、前記伝送方向が、上り伝送、下り伝送、又はフレキシブル伝送である
ことを特徴とする請求項１９〜２２のいずれか１項に記載のデータ伝送方法。
【請求項２４】
前記半静的上り下り構成シグナリングがＲＲＣシグナリング、又はＳＩであり、
前記動的スロットフォーマット指示シグナリングがグループ共通下り制御チャネルである
ことを特徴とする請求項２３に記載のデータ伝送方法。
【請求項２５】
前記第１の構成シグナリングがマルチスロット動的スケジューリングシグナリングであり、
前記マルチスロット動的スケジューリングシグナリングがＤＣＩ及び／又はＭＡＣ  ＣＥである
ことを特徴とする請求項１９〜２４のいずれか１項に記載のデータ伝送方法。
【請求項２６】
ネットワークデバイスが第１の構成シグナリングを構成して送信することと、
前記ネットワークデバイスが第３の構成シグナリングを構成して送信することと、
第１のスロットにおいて第２のリソースと第１のリソースとがリソース重複部分を有する場合、前記ネットワークデバイスが予め設定されたポリシーに基づいて前記第１のスロットにおいて伝送するデータを決定することとを含み、
前記第１の構成シグナリングは、第１のデータが第１のスロットに第１のリソースを占用するように指示し、前記第１の構成シグナリングが前記第１のスロットを含むＮ個のスロット内のデータをスケジューリングし、Ｎが１より大きい整数であり、前記第３の構成シグナリングは、第２のデータが前記第１のスロットに第２のリソースを占用するように指示す
ことを特徴とするデータ伝送方法。
【請求項２７】
前記第１のスロットにおいて前記第２のリソースと前記第１のリソースとがリソース重複部分を有することは、
前記第１のスロットにおいて、前記第２のリソースの少なくとも１つの時間領域シンボルが前記第１のリソースに位置することを含む
ことを特徴とする請求項２６に記載のデータ伝送方法。
【請求項２８】
前記第１の構成シグナリングがマルチスロット動的スケジューリングシグナリングであり、
前記マルチスロット動的スケジューリングシグナリングがＤＣＩ及び／又はＭＡＣ  ＣＥである
ことを特徴とする請求項２６〜２７のいずれか１項に記載のデータ伝送方法。
【請求項２９】
前記第３の構成シグナリングが単一スロット動的スケジューリングシグナリングであり、前記単一スロット動的スケジューリングシグナリングは、前記第２のデータが前記第１のスロットに占用する第２のリソースを示し、
前記単一スロット動的スケジューリングシグナリングがＤＣＩ及び／又はＭＡＣ  ＣＥである
ことを特徴とする請求項２６〜２８のいずれか１項に記載のデータ伝送方法。
【請求項３０】
前記ネットワークデバイスが予め設定されたポリシーに基づいて前記第１のスロットにおいて伝送するデータを決定することは、
前記ネットワークデバイスが前記第１のスロットにおいて前記第２のデータを伝送することを含む
ことを特徴とする請求項２９に記載のデータ伝送方法。
【請求項３１】
前記第３の構成シグナリングがＵＥ専用ＲＲＣシグナリングである
ことを特徴とする請求項２６〜２８のいずれか１項に記載のデータ伝送方法。
【請求項３２】
前記ネットワークデバイスが予め設定されたポリシーに基づいて前記第１のスロットにおいて伝送するデータを決定することは、
前記ネットワークデバイスが前記第１のスロットにおいて前記第１のデータを伝送することを含む
ことを特徴とする請求項３１に記載のデータ伝送方法。
【請求項３３】
前記第３の構成シグナリングがセル専用ＲＲＣシグナリングである
ことを特徴とする請求項２６〜２８のいずれか１項に記載のデータ伝送方法。
【請求項３４】
前記ネットワークデバイスが予め設定されたポリシーに基づいて前記第１のスロットにおいて伝送するデータを決定することは、
前記ネットワークデバイスが前記第１のスロットにおいて前記第２のデータを伝送することを含む
ことを特徴とする請求項３３に記載のデータ伝送方法。
【請求項３５】
前記ネットワークデバイスが前記第１のスロットにおいて前記第２のデータを伝送することは、
前記第２のデータのタイプが上りデータである場合、前記ネットワークデバイスが前記第１のスロットにおいて前記第２のデータを受信することと、
前記第２のデータのタイプが下りデータである場合、前記ネットワークデバイスが前記第１のスロットにおいて前記第２のデータを送信することとを含む
ことを特徴とする請求項３０又は３４に記載のデータ伝送方法。
【請求項３６】
前記ネットワークデバイスが前記第１のスロットにおいて前記第１のデータを伝送することは、
前記第１のデータのタイプが上りデータである場合、前記ネットワークデバイスが前記第１のスロットにおいて前記第１のデータを受信することと、
前記第１のデータのタイプが下りデータである場合、前記ネットワークデバイスが前記第１のスロットにおいて前記第１のデータを送信することとを含む
ことを特徴とする請求項３２に記載のデータ伝送方法。
【請求項３７】
第１の受信ユニットと、第１の決定ユニットと、第２の受信ユニットと、第２の決定ユニットと、伝送ユニットとを備えるデータ伝送装置であって、
前記第１の受信ユニットは、第１の構成シグナリングを受信するように構成され、
前記第１の決定ユニットは、前記第１の構成シグナリングに基づいて、第１のデータが第１のスロットに占用する第１のリソースを決定するように構成され、前記第１のデータの上り下りタイプが前記第１のリソースに対応する伝送方向を示し、前記第１のリソースが少なくとも１つの時間領域シンボルを含み、前記第１の構成シグナリングが前記第１のスロットを含むＮ個のスロット内のデータをスケジューリングし、Ｎが１より大きい整数であり、
前記第２の受信ユニットは、第２の構成シグナリングを受信するように構成され、
第２の決定ユニットは、前記第２の構成シグナリングに基づいて、前記第１のスロットにおいて各時間領域シンボルに対応する伝送方向を決定するように構成され、
伝送ユニットは、前記第１のスロットにおいて前記第１の構成シグナリングに基づいて決定された前記第１のリソースの伝送方向が前記第２の構成シグナリングに基づいて決定された前記第１のリソースの伝送方向と異なる場合、前記端末が前記第１のスロットにおいて前記第１のデータを伝送しないように構成される
ことを特徴とするデータ伝送装置。
【請求項３８】
前記第１のスロットにおいて前記第１の構成シグナリングに基づいて決定された前記第１のリソースの伝送方向が前記第２の構成シグナリングに基づいて決定された前記第１のリソースの伝送方向と異なることは、
前記第１のスロットにおいて、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることを含む
ことを特徴とする請求項３７に記載のデータ伝送装置。
【請求項３９】
前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることは、
前記第１の構成シグナリングに基づいて決定された前記第１のリソースの少なくとも１つの時間領域シンボルの伝送方向が上り伝送であり、前記第２の構成シグナリングに基づいて決定された前記少なくとも１つの時間領域シンボルの伝送方向が下り伝送であり、又は、
前記第１の構成シグナリングに基づいて決定された前記第１のリソースの少なくとも１つの時間領域シンボルの伝送方向が下り伝送であり、前記第２の構成シグナリングに基づいて決定された前記少なくとも１つの時間領域シンボルの伝送方向が上り伝送である
ことを特徴とする請求項３８に記載のデータ伝送装置。
【請求項４０】
前記伝送ユニットは、前記第１のデータのタイプが上りデータである場合、前記端末が前記第１のスロットにおいて前記上りデータを送信しなく、前記第１のデータのタイプが下りデータである場合、前記端末が前記第１のスロットにおいて前記下りデータを受信しないように構成される
ことを特徴とする請求項３７に記載のデータ伝送装置。
【請求項４１】
前記第２の構成シグナリングが半静的上り下り構成シグナリング及び／又は動的スロットフォーマット指示シグナリングであり、
前記半静的上り下り構成シグナリングがスロットフォーマットを構成するために使用され、前記スロットフォーマットがスロットにおいて各時間領域シンボルに対応する伝送方向を含み、前記伝送方向が、上り伝送、下り伝送、又はフレキシブル伝送であり、
前記動的スロットフォーマット指示シグナリングがスロットフォーマットを示すために使用され、前記スロットフォーマットがスロットにおいて各時間領域シンボルに対応する伝送方向を含み、前記伝送方向が、上り伝送、下り伝送、又はフレキシブル伝送である
ことを特徴とする請求項３７〜４０のいずれか１項に記載のデータ伝送装置。
【請求項４２】
前記半静的上り下り構成シグナリングがＲＲＣシグナリング、又はＳＩであり、
前記動的スロットフォーマット指示シグナリングがグループ共通下り制御チャネルである
ことを特徴とする請求項４１に記載のデータ伝送装置。
【請求項４３】
前記第１の構成シグナリングがマルチスロット動的スケジューリングシグナリングであり、
前記マルチスロット動的スケジューリングシグナリングがＤＣＩ及び／又はＭＡＣ  ＣＥである
ことを特徴とする請求項３７〜４２のいずれか１項に記載のデータ伝送装置。
【請求項４４】
第１の受信ユニットと、第１の決定ユニットと、第３の受信ユニットと、第３の決定ユニットと、伝送ユニットとを備えるデータ伝送装置であって、
前記第１の受信ユニットは、第１の構成シグナリングを受信するように構成され、
前記第１の決定ユニットは、前記第１の構成シグナリングに基づいて、第１のデータが第１のスロットに占用する第１のリソースを決定するように構成され、前記第１の構成シグナリングが前記第１のスロットを含むＮ個のスロット内のデータをスケジューリングし、Ｎが１より大きい整数であり、
前記第３の受信ユニットは、第３の構成シグナリングを受信するように構成され、
前記第３の決定ユニットは、前記第３の構成シグナリングに基づいて、第２のデータが前記第１のスロットに占用する第２のリソースを決定するように構成され、
前記伝送ユニットは、前記第１のスロットにおいて前記第２のリソースと前記第１のリソースとがリソース重複部分を有する場合、予め設定されたポリシーに基づいて前記第１のスロットにおいて伝送するデータを決定するように構成される
ことを特徴とするデータ伝送装置。
【請求項４５】
前記第１のスロットにおいて前記第２のリソースと前記第１のリソースとがリソース重複部分を有することは、
前記第１のスロットにおいて、前記第２のリソースの少なくとも１つの時間領域シンボルが前記第１のリソースに位置することを含む
ことを特徴とする請求項４４に記載のデータ伝送装置。
【請求項４６】
前記第１の構成シグナリングがマルチスロット動的スケジューリングシグナリングであり、
前記マルチスロット動的スケジューリングシグナリングがＤＣＩ及び／又はＭＡＣ  ＣＥである
ことを特徴とする請求項４４〜４５のいずれか１項に記載のデータ伝送装置。
【請求項４７】
前記第３の構成シグナリングが単一スロット動的スケジューリングシグナリングであり、前記単一スロット動的スケジューリングシグナリングは、前記第２のデータが前記第１のスロットに占用する第２のリソースを示し、
前記単一スロット動的スケジューリングシグナリングがＤＣＩ及び／又はＭＡＣ  ＣＥである
ことを特徴とする請求項４４〜４６のいずれか１項に記載のデータ伝送装置。
【請求項４８】
前記伝送ユニットは、前記第１のスロットにおいて前記第２のデータを伝送するように構成される
ことを特徴とする請求項４７に記載のデータ伝送装置。
【請求項４９】
前記第３の構成シグナリングがＵＥ専用ＲＲＣシグナリングである
ことを特徴とする請求項４４〜４６のいずれか１項に記載のデータ伝送装置。
【請求項５０】
前記伝送ユニットは、前記第１のスロットにおいて前記第１のデータを伝送するように構成される
ことを特徴とする請求項４９に記載のデータ伝送装置。
【請求項５１】
前記第３の構成シグナリングがセル専用ＲＲＣシグナリングである
ことを特徴とする請求項４４〜４６のいずれか１項に記載のデータ伝送装置。
【請求項５２】
前記伝送ユニットは、前記第１のスロットにおいて前記第２のデータを伝送するように構成される
ことを特徴とする請求項５１に記載のデータ伝送装置。
【請求項５３】
前記伝送ユニットは、前記第２のデータのタイプが上りデータである場合、前記第１のスロットにおいて前記第２のデータを送信し、前記第２のデータのタイプが下りデータである場合、前記第１のスロットにおいて前記第２のデータを受信するように構成される
ことを特徴とする請求項４８又は５２に記載のデータ伝送装置。
【請求項５４】
前記伝送ユニットは、前記第１のデータのタイプが上りデータである場合、前記第１のスロットにおいて前記第１のデータを送信し、前記第１のデータのタイプが下りデータである場合、前記第１のスロットにおいて前記第１のデータを受信するように構成される
ことを特徴とする請求項５０に記載のデータ伝送装置。
【請求項５５】
第１の構成ユニットと、第２の構成ユニットと、伝送ユニットとを備えるデータ伝送装置であって、
前記第１の構成ユニットは、第１の構成シグナリングを構成して送信するように構成され、前記第１の構成シグナリングは、第１のデータが第１のスロットに第１のリソースを占用するように指示し、前記第１のデータの上り下りタイプが前記第１のリソースに対応する伝送方向を示し、前記第１のリソースが少なくとも１つの時間領域シンボルを含み、前記第１の構成シグナリングが前記第１のスロットを含むＮ個のスロット内のデータをスケジューリングし、Ｎが１より大きい整数であり、
第２の構成ユニットは、第２の構成シグナリングを構成して送信するように構成され、前記第２の構成シグナリングは、前記第１のスロットの各時間領域シンボルに対応する伝送方向を示し、
前記伝送ユニットは、前記第１のスロットにおいて前記第１の構成シグナリングに基づいて決定された前記第１のリソースの伝送方向が前記第２の構成シグナリングに基づいて決定された前記第１のリソースの伝送方向と異なる場合、前記第１のスロットにおいて前記第１のデータを伝送しないように構成される
ことを特徴とするデータ伝送装置。
【請求項５６】
前記第１のスロットにおいて前記第１の構成シグナリングに基づいて決定された前記第１のリソースの伝送方向が前記第２の構成シグナリングに基づいて決定された前記第１のリソースの伝送方向と異なることは、
前記第１のスロットにおいて、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることを含む
ことを特徴とする請求項５５に記載のデータ伝送装置。
【請求項５７】
前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることは、
前記第１の構成シグナリングに基づいて決定された前記第１のリソースの少なくとも１つの時間領域シンボルの伝送方向が上り伝送であり、前記第２の構成シグナリングに基づいて決定された前記少なくとも１つの時間領域シンボルの伝送方向が下り伝送であり、又は、
前記第１の構成シグナリングに基づいて決定された前記第１のリソースの少なくとも１つの時間領域シンボルの伝送方向が下り伝送であり、前記第２の構成シグナリングに基づいて決定された前記少なくとも１つの時間領域シンボルの伝送方向が上り伝送である
ことを特徴とする請求項５６に記載のデータ伝送装置。
【請求項５８】
前記伝送ユニットは、前記第１のデータのタイプが上りデータである場合、前記第１のスロットにおいて前記上りデータを受信しなく、前記第１のデータのタイプが下りデータである場合、前記第１のスロットにおいて前記下りデータを送信しないように構成される
ことを特徴とする請求項５５に記載のデータ伝送装置。
【請求項５９】
前記第２の構成シグナリングが半静的上り下り構成シグナリング及び／又は動的スロットフォーマット指示シグナリングであり、
前記半静的上り下り構成シグナリングがスロットフォーマットを構成するために使用され、前記スロットフォーマットがスロットにおいて各時間領域シンボルに対応する伝送方向を含み、前記伝送方向が、上り伝送、下り伝送、又はフレキシブル伝送であり、
前記動的スロットフォーマット指示シグナリングがスロットフォーマットを示すために使用され、前記スロットフォーマットがスロットにおいて各時間領域シンボルに対応する伝送方向を含み、前記伝送方向が、上り伝送、下り伝送、又はフレキシブル伝送である
ことを特徴とする請求項５５〜５８のいずれか１項に記載のデータ伝送装置。
【請求項６０】
前記半静的上り下り構成シグナリングがＲＲＣシグナリング、又はＳＩであり、
前記動的スロットフォーマット指示シグナリングがグループ共通下り制御チャネルである
ことを特徴とする請求項５９に記載のデータ伝送装置。
【請求項６１】
前記第１の構成シグナリングがマルチスロット動的スケジューリングシグナリングであり、
前記マルチスロット動的スケジューリングシグナリングがＤＣＩ及び／又はＭＡＣ  ＣＥである
ことを特徴とする請求項５５〜６０のいずれか１項に記載のデータ伝送装置。
【請求項６２】
第１の構成ユニットと、第３の構成ユニットと、伝送ユニットとを備えるデータ伝送装置であって、
前記第１の構成ユニットは、第１の構成シグナリングを構成して送信するように構成され、前記第１の構成シグナリングは、第１のデータが第１のスロットに第１のリソースを占用するように指示し、前記第１の構成シグナリングが前記第１のスロットを含むＮ個のスロット内のデータをスケジューリングし、Ｎが１より大きい整数であり、
第３の構成ユニットは、第３の構成シグナリングを構成して送信するように構成され、前記第３の構成シグナリングは、第２のデータが前記第１のスロットに第２のリソースを占用するように指示し、
伝送ユニットは、前記第１のスロットにおいて前記第２のリソースと前記第１のリソースとがリソース重複部分を有する場合、予め設定されたポリシーに基づいて前記第１のスロットにおいて伝送するデータを決定するように構成される
ことを特徴とするデータ伝送装置。
【請求項６３】
前記第１のスロットにおいて前記第２のリソースと前記第１のリソースとがリソース重複部分を有することは、
前記第１のスロットにおいて、前記第２のリソースの少なくとも１つの時間領域シンボルが前記第１のリソースに位置することを含む
ことを特徴とする請求項６２に記載のデータ伝送装置。
【請求項６４】
前記第１の構成シグナリングがマルチスロット動的スケジューリングシグナリングであり、
前記マルチスロット動的スケジューリングシグナリングがＤＣＩ及び／又はＭＡＣ  ＣＥである
ことを特徴とする請求項６２〜６３のいずれか１項に記載のデータ伝送装置。
【請求項６５】
前記第３の構成シグナリングが単一スロット動的スケジューリングシグナリングであり、前記単一スロット動的スケジューリングシグナリングは、前記第２のデータが前記第１のスロットに占用する第２のリソースを示し、
前記単一スロット動的スケジューリングシグナリングがＤＣＩ及び／又はＭＡＣ  ＣＥである
ことを特徴とする請求項６２〜６４のいずれか１項に記載のデータ伝送装置。
【請求項６６】
前記伝送ユニットは、前記第１のスロットにおいて前記第２のデータを伝送するように構成される
ことを特徴とする請求項６５に記載のデータ伝送装置。
【請求項６７】
前記第３の構成シグナリングがＵＥ専用ＲＲＣシグナリングである
ことを特徴とする請求項６２〜６４のいずれか１項に記載のデータ伝送装置。
【請求項６８】
前記伝送ユニットは、前記第１のスロットにおいて前記第１のデータを伝送するように構成される
ことを特徴とする請求項６５に記載のデータ伝送装置。
【請求項６９】
前記第３の構成シグナリングがセル専用ＲＲＣシグナリングである
ことを特徴とする請求項６２〜６４のいずれか１項に記載のデータ伝送装置。
【請求項７０】
前記伝送ユニットは、前記第１のスロットにおいて前記第２のデータを伝送するように構成される
ことを特徴とする請求項６９に記載のデータ伝送装置。
【請求項７１】
前記伝送ユニットは、前記第２のデータのタイプが上りデータである場合、前記第１のスロットにおいて前記第２のデータを受信し、前記第２のデータのタイプが下りデータである場合、前記第１のスロットにおいて前記第２のデータを送信するように構成される
ことを特徴とする請求項６６又は７０に記載のデータ伝送装置。
【請求項７２】
前記伝送ユニットは、前記第１のデータのタイプが上りデータである場合、前記第１のスロットにおいて前記第１のデータを受信し、前記第１のデータのタイプが下りデータである場合、前記第１のスロットにおいて前記第１のデータを送信するように構成される
ことを特徴とする請求項６８に記載のデータ伝送装置。
【請求項７３】
プロセッサによって実行されると、請求項１〜７のいずれか１項に記載の方法ステップ、または請求項８〜１８のいずれか１項に記載の方法ステップ、または請求項１９〜２５のいずれか１項に記載の方法ステップ、または請求項２６〜３６のいずれか１項に記載の方法ステップを実現するコンピュータ実行可能命令を記憶した
ことを特徴とするコンピュータ記憶媒体。
【発明の詳細な説明】
【技術分野】
【０００１】
本発明は、無線通信技術分野に関し、特に、データ伝送方法、装置及びコンピュータ記憶媒体に関する。
【背景技術】
【０００２】
次世代無線通信( ＮＲ、Ｎｅｗ Ｒａｄｉｏ )システムでは、１４個の直交周波数分割多重( Ｏｒｔｈｏｇｏｎａｌ Ｆｒｅｑｕｅｎｃｙ Ｄｉｖｉｓｉｏｎ Ｍｕｌｔｉｐｌｅｘｉｎｇ )シンボルを含むスロットまたはシンボルをスケジューリング単位としている。ＮＲシステムのフレーム構造は、柔軟に変化され、１スロットにおいて、下り( ＤＬ、Ｄｏｗｎ Ｌｉｎｋ )シンボル、上り( ＵＬ、Ｕｐ Ｌｉｎｋ )シンボル、およびフレキシブルシンボル（ｆｌｅｘｉｂｌｅ ｓｙｍｂｏｌ）があり、ここで、フレキシブルシンボルが未知のシンボル( ｕｎｋｎｏｗｎ ｓｙｍｂｏｌ )とも呼ばれ、フレキシブルシンボルがシグナリングによってＤＬ伝送またはＵＬ伝送のために上書きされ得る。
【０００３】
ＮＲシステムでは、基地局は、スロットにおけるあるシンボルの伝送方向を複数の態様で表示または暗黙的に指示することができ、また、スロットにおけるリソースの占用状況を複数の態様で指示することもできる。マルチスロット動的スケジューリングシグナリングの場合、１つの下り制御シグナリングＤＣＩは、複数のスロット( ｍｕｌｔｉ−ｓｌｏｔ )のデータ伝送をスケジューリングすることができ、マルチスロット動的スケジューリングシグナリングスケジューリングによるマルチスロットのデータ伝送のうちのあるスロットのデータ伝送方向が他のシグナリングにより構成されたデータ伝送方向と反対であるか、またはリソース重複する場合、どのようにデータ伝送を行うかが問題となる。 
【発明の概要】
【０００４】
本発明の実施例は、上記の課題を解決するために、データ伝送方法、装置及びコンピュータ記憶媒体を提供する。
【０００５】
本発明の実施例におけるデータ伝送方法は、
端末が第１の構成シグナリングを受信し、前記第１の構成シグナリングに基づいて、第１のスロットにおいて第１のデータが占用する第１のリソースを決定することと、
前記端末が第２の構成シグナリングを受信し、前記第２の構成シグナリングに基づいて、前記第１のスロットにおいて各時間領域シンボルに対応する伝送方向を決定することと、
前記第１のスロットにおいて前記第１の構成シグナリングに基づいて決定された前記第１のリソースの伝送方向が前記第２の構成シグナリングに基づいて決定された前記第１のリソースの伝送方向と異なる場合、前記端末が前記第１のスロットにおいて前記第１のデータを伝送しないこととを含み、ここで、前記第１のデータの上り下りタイプが前記第１のリソースに対応する伝送方向を示し、前記第１のリソースが少なくとも１つの時間領域シンボルを含み、前記第１の構成シグナリングが前記第１のスロットを含むＮ個のスロット内のデータをスケジューリングし、Ｎが１より大きい整数である。
【０００６】
本発明の実施例において、前記第１のスロットにおいて前記第１の構成シグナリングに基づいて決定された前記第１のリソースの伝送方向が前記第２の構成シグナリングに基づいて決定された前記第１のリソースの伝送方向と異なることは、
前記第１のスロットにおいて、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることを含む。
【０００７】
本発明の実施例において、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることは、
前記第１の構成シグナリングに基づいて決定された前記第１のリソースの少なくとも１つの時間領域シンボルの伝送方向が上り伝送であり、前記第２の構成シグナリングに基づいて決定された前記少なくとも１つの時間領域シンボルの伝送方向が下り伝送であり、又は、
前記第１の構成シグナリングに基づいて決定された前記第１のリソースの少なくとも１つの時間領域シンボルの伝送方向が下り伝送であり、前記第２の構成シグナリングに基づいて決定された前記少なくとも１つの時間領域シンボルの伝送方向が上り伝送である。
【０００８】
本発明の実施例において、前記端末が前記第１のスロットにおいて前記第１のデータを伝送しないことは、
前記第１のデータのタイプが上りデータである場合、前記端末が前記第１のスロットにおいて前記上りデータを送信しないことと、
前記第１のデータのタイプが下りデータである場合、前記端末が前記第１のスロットにおいて前記下りデータを受信しないこととを含む。
【０００９】
本発明の実施例において、前記第２の構成シグナリングが半静的上り下り構成シグナリング及び／又は動的スロットフォーマット指示シグナリングであり、
ここで、前記半静的上り下り構成シグナリングがスロットフォーマットを構成するために使用され、前記スロットフォーマットがスロットにおいて各時間領域シンボルに対応する伝送方向を含み、前記伝送方向が、上り伝送、下り伝送、又はフレキシブル伝送であり、
前記動的スロットフォーマット指示シグナリングがスロットフォーマットを示すために使用され、前記スロットフォーマットがスロットにおいて各時間領域シンボルに対応する伝送方向を含み、前記伝送方向が、上り伝送、下り伝送、又はフレキシブル伝送である。
【００１０】
本発明の実施例において、前記半静的上り下り構成シグナリングは、無線リソース制御（ＲＲＣ、Ｒａｄｉｏ Ｒｅｓｏｕｒｃｅ Ｃｏｎｔｒｏｌ）シグナリング、又はシステム情報（ＳＩ、Ｓｙｓｔｅｍ Ｉｎｆｏｒｍａｔｉｏｎ）であり、
前記動的スロットフォーマット指示シグナリングがグループ共通下り制御チャネルである。
【００１１】
本発明の実施例において、前記第１の構成シグナリングがマルチスロット動的スケジューリングシグナリングであり、
ここで、前記マルチスロット動的スケジューリングシグナリングは、下り制御情報（ＤＣＩ、Ｄｏｗｎｌｉｎｋ Ｃｏｎｔｒｏｌ Ｉｎｆｏｒｍａｔｉｏｎ）及び／又はメディアアクセス制御（ＭＡＣ、Ｍｅｄｉａ Ａｃｃｅｓｓ Ｃｏｎｔｒｏｌ）制御要素（ＣＥ、Ｃｏｎｔｒｏｌ Ｅｌｅｍｅｎｔ）である。
【００１２】
本発明の実施例におけるデータ伝送方法は、
端末が第１の構成シグナリングを受信し、前記第１の構成シグナリングに基づいて、第１のスロットにおいて第１のデータが占用する第１のリソースを決定することと、
前記端末が第３の構成シグナリングを受信し、前記第３の構成シグナリングに基づいて第２のデータが前記第１のスロットに占用する第２のリソースを決定することと、
前記第１のスロットにおいて前記第２のリソースと前記第１のリソースとがリソース重複部分を有する場合、前記端末が予め設定されたポリシーに基づいて前記第１のスロットにおいて伝送するデータを決定することとを含み、
ここで、前記第１の構成シグナリングが前記第１のスロットを含むＮ個のスロット内のデータをスケジューリングし、Ｎが１より大きい整数である。
【００１３】
本発明の実施例において、前記第１のスロットにおいて前記第２のリソースと前記第１のリソースとがリソース重複部分を有することは、
前記第１のスロットにおいて、前記第２のリソースの少なくとも１つの時間領域シンボルが前記第１のリソースに位置することを含む。
【００１４】
本発明の実施例において、前記第１の構成シグナリングがマルチスロット動的スケジューリングシグナリングであり、
ここで、前記マルチスロット動的スケジューリングシグナリングがＤＣＩ及び／又はＭＡＣ ＣＥである。
【００１５】
本発明の実施例において、前記第３の構成シグナリングが単一スロット動的スケジューリングシグナリングであり、前記単一スロット動的スケジューリングシグナリングは、前記第２のデータが前記第１のスロットに占用する第２のリソースを示し、
ここで、前記単一スロット動的スケジューリングシグナリングがＤＣＩ及び／又はＭＡＣ ＣＥである。
【００１６】
本発明の実施例において、前記端末が予め設定されたポリシーに基づいて前記第１のスロットにおいて伝送するデータを決定することは、
前記端末が前記第１のスロットにおいて前記第２のデータを伝送することを含む。
【００１７】
本発明の実施例において、前記第３の構成シグナリングがＵＥ専用ＲＲＣシグナリングである。
【００１８】
本発明の実施例において、前記端末が予め設定されたポリシーに基づいて前記第１のスロットにおいて伝送するデータを決定することは、
前記端末が前記第１のスロットにおいて前記第１のデータを伝送することを含む。
【００１９】
本発明の実施例において、前記第３の構成シグナリングがセル専用ＲＲＣシグナリングである。
【００２０】
本発明の実施例において、前記端末が予め設定されたポリシーに基づいて前記第１のスロットにおいて伝送するデータを決定することは、
前記端末が前記第１のスロットにおいて前記第２のデータを伝送することを含む。
【００２１】
本発明の実施例において、前記端末が前記第１のスロットにおいて前記第２のデータを伝送することは、
前記第２のデータのタイプが上りデータである場合、前記端末が前記第１のスロットにおいて前記第２のデータを送信することと、
前記第２のデータのタイプが下りデータである場合、前記端末が前記第１のスロットにおいて前記第２のデータを受信することとを含む。
【００２２】
本発明の実施例において、前記端末が前記第１のスロットにおいて前記第１のデータを伝送することは、
前記第１のデータのタイプが上りデータである場合、前記端末が前記第１のスロットにおいて前記第１のデータを送信することと、
前記第１のデータのタイプが下りデータである場合、前記端末が前記第１のスロットにおいて前記第１のデータを受信することとを含む。
【００２３】
本発明の実施例におけるデータ伝送方法は、
ネットワークデバイスが第１の構成シグナリングを構成して送信することと、
前記ネットワークデバイスが第２の構成シグナリングを構成して送信することと、
前記第１のスロットにおいて前記第１の構成シグナリングに基づいて決定された前記第１のリソースの伝送方向が前記第２の構成シグナリングに基づいて決定された前記第１のリソースの伝送方向と異なる場合、前記ネットワークデバイスが前記第１のスロットにおいて前記第１のデータを伝送しないこととを含み、
前記第１の構成シグナリングは、第１のデータが第１のスロットに第１のリソースを占用するように指示し、ここで、前記第１のデータの上り下りタイプが前記第１のリソースに対応する伝送方向を示し、前記第１のリソースが少なくとも１つの時間領域シンボルを含み、前記第１の構成シグナリングが前記第１のスロットを含むＮ個のスロット内のデータをスケジューリングし、Ｎが１より大きい整数であり、前記第２の構成シグナリングは、前記第１のスロットの各時間領域シンボルに対応する伝送方向を示す。
【００２４】
本発明の実施例において、前記第１のスロットにおいて前記第１の構成シグナリングに基づいて決定された前記第１のリソースの伝送方向が前記第２の構成シグナリングに基づいて決定された前記第１のリソースの伝送方向と異なることは、
前記第１のスロットにおいて、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることを含む。
【００２５】
本発明の実施例において、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることは、
前記第１の構成シグナリングに基づいて決定された前記第１のリソースの少なくとも１つの時間領域シンボルの伝送方向が上り伝送であり、前記第２の構成シグナリングに基づいて決定された前記少なくとも１つの時間領域シンボルの伝送方向が下り伝送であり、又は、
前記第１の構成シグナリングに基づいて決定された前記第１のリソースの少なくとも１つの時間領域シンボルの伝送方向が下り伝送であり、前記第２の構成シグナリングに基づいて決定された前記少なくとも１つの時間領域シンボルの伝送方向が上り伝送である。
【００２６】
本発明の実施例において、前記ネットワークデバイスが前記第１のスロットにおいて前記第１のデータを伝送しないことは、
前記第１のデータのタイプが上りデータである場合、前記ネットワークデバイスが前記第１のスロットにおいて前記上りデータを受信しないこと、
前記第１のデータのタイプが下りデータである場合、前記ネットワークデバイスが前記第１のスロットにおいて前記下りデータを送信しないことを含む。
【００２７】
本発明の実施例において、前記第２の構成シグナリングが半静的上り下り構成シグナリング及び／又は動的スロットフォーマット指示シグナリングであり、
ここで、前記半静的上り下り構成シグナリングがスロットフォーマットを構成するために使用され、前記スロットフォーマットがスロットにおいて各時間領域シンボルに対応する伝送方向を含み、前記伝送方向が、上り伝送、下り伝送、又はフレキシブル伝送であり、
前記動的スロットフォーマット指示シグナリングがスロットフォーマットを示すために使用され、前記スロットフォーマットがスロットにおいて各時間領域シンボルに対応する伝送方向を含み、前記伝送方向が、上り伝送、下り伝送、又はフレキシブル伝送である。
【００２８】
本発明の実施例において、前記半静的上り下り構成シグナリングがＲＲＣシグナリング、又はＳＩであり、
前記動的スロットフォーマット指示シグナリングがグループ共通下り制御チャネルである。
【００２９】
本発明の実施例において、前記第１の構成シグナリングがマルチスロット動的スケジューリングシグナリングであり、
ここで、前記マルチスロット動的スケジューリングシグナリングがＤＣＩ及び／又はＭＡＣ ＣＥである。
【００３０】
本発明の実施例におけるデータ伝送方法は、
ネットワークデバイスが第１の構成シグナリングを構成して送信することと、
前記ネットワークデバイスが第３の構成シグナリングを構成して送信することと、
前記第１のスロットにおいて前記第２のリソースと前記第１のリソースとがリソース重複部分を有する場合、前記ネットワークデバイスが予め設定されたポリシーに基づいて前記第１のスロットにおいて伝送するデータを決定することとを含み、
前記第１の構成シグナリングは、第１のデータが第１のスロットに第１のリソースを占用するように指示し、ここで、前記第１の構成シグナリングが前記第１のスロットを含むＮ個のスロット内のデータをスケジューリングし、Ｎが１より大きい整数であり、前記第３の構成シグナリングは、第２のデータが前記第１のスロットに第２のリソースを占用するように指示す。
【００３１】
本発明の実施例において、前記第１のスロットにおいて前記第２のリソースと前記第１のリソースとがリソース重複部分を有することは、
前記第１のスロットにおいて、前記第２のリソースの少なくとも１つの時間領域シンボルが前記第１のリソースに位置することを含む。
【００３２】
本発明の実施例において、前記第１の構成シグナリングがマルチスロット動的スケジューリングシグナリングであり、
ここで、前記マルチスロット動的スケジューリングシグナリングがＤＣＩ及び／又はＭＡＣ ＣＥである。
【００３３】
本発明の実施例において、前記第３の構成シグナリングが単一スロット動的スケジューリングシグナリングであり、前記単一スロット動的スケジューリングシグナリングは、前記第２のデータが前記第１のスロットに占用する第２のリソースを示し、
ここで、前記単一スロット動的スケジューリングシグナリングがＤＣＩ及び／又はＭＡＣ ＣＥである。
【００３４】
本発明の実施例において、前記ネットワークデバイスが予め設定されたポリシーに基づいて前記第１のスロットにおいて伝送するデータを決定することは、
前記ネットワークデバイスが前記第１のスロットにおいて前記第２のデータを伝送することを含む。
【００３５】
本発明の実施例において、前記第３の構成シグナリングがＵＥ専用ＲＲＣシグナリングである。
【００３６】
本発明の実施例において、前記ネットワークデバイスが予め設定されたポリシーに基づいて前記第１のスロットにおいて伝送するデータを決定することは、
前記ネットワークデバイスが前記第１のスロットにおいて前記第１のデータを伝送することを含む。
【００３７】
本発明の実施例において、前記第３の構成シグナリングがセル専用ＲＲＣシグナリングである。
【００３８】
本発明の実施例において、前記ネットワークデバイスが予め設定されたポリシーに基づいて前記第１のスロットにおいて伝送するデータを決定することは、
前記ネットワークデバイスが前記第１のスロットにおいて前記第２のデータを伝送することを含む。
【００３９】
本発明の実施例において、前記ネットワークデバイスが前記第１のスロットにおいて前記第２のデータを伝送することは、
前記第２のデータのタイプが上りデータである場合、前記ネットワークデバイスが前記第１のスロットにおいて前記第２のデータを受信することと、
前記第２のデータのタイプが下りデータである場合、前記ネットワークデバイスが前記第１のスロットにおいて前記第２のデータを送信することとを含む。
【００４０】
本発明の実施例において、前記ネットワークデバイスが前記第１のスロットにおいて前記第１のデータを伝送することは、
前記第１のデータのタイプが上りデータである場合、前記ネットワークデバイスが前記第１のスロットにおいて前記第１のデータを受信することと、
前記第１のデータのタイプが下りデータである場合、前記ネットワークデバイスが前記第１のスロットにおいて前記第１のデータを送信することとを含む。
【００４１】
本発明の実施例におけるデータ伝送装置は、第１の受信ユニットと、第１の決定ユニットと、第２の受信ユニットと、第２の決定ユニットと、伝送ユニットとを備え、
第１の受信ユニットは、第１の構成シグナリングを受信するように構成され、
第１の決定ユニットは、前記第１の構成シグナリングに基づいて、第１のデータが第１のスロットに占用する第１のリソースを決定するように構成され、ここで、前記第１のデータの上り下りタイプが前記第１のリソースに対応する伝送方向を示し、前記第１のリソースが少なくとも１つの時間領域シンボルを含み、前記第１の構成シグナリングが前記第１のスロットを含むＮ個のスロット内のデータをスケジューリングし、Ｎが１より大きい整数であり、
第２の受信ユニットは、第２の構成シグナリングを受信するように構成され、
第２の決定ユニットは、前記第２の構成シグナリングに基づいて、前記第１のスロットにおいて各時間領域シンボルに対応する伝送方向を決定するように構成され、
伝送ユニットは、前記第１のスロットにおいて前記第１の構成シグナリングに基づいて決定された前記第１のリソースの伝送方向が前記第２の構成シグナリングに基づいて決定された前記第１のリソースの伝送方向と異なる場合、前記端末が前記第１のスロットにおいて前記第１のデータを伝送しないように構成される。
【００４２】
本発明の実施例において、前記第１のスロットにおいて前記第１の構成シグナリングに基づいて決定された前記第１のリソースの伝送方向が前記第２の構成シグナリングに基づいて決定された前記第１のリソースの伝送方向と異なることは、
前記第１のスロットにおいて、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることを含む。
【００４３】
本発明の実施例において、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることは、
前記第１の構成シグナリングに基づいて決定された前記第１のリソースの少なくとも１つの時間領域シンボルの伝送方向が上り伝送であり、前記第２の構成シグナリングに基づいて決定された前記少なくとも１つの時間領域シンボルの伝送方向が下り伝送であり、又は、
前記第１の構成シグナリングに基づいて決定された前記第１のリソースの少なくとも１つの時間領域シンボルの伝送方向が下り伝送であり、前記第２の構成シグナリングに基づいて決定された前記少なくとも１つの時間領域シンボルの伝送方向が上り伝送である。
【００４４】
本発明の実施例において、前記伝送ユニットは、前記第１のデータのタイプが上りデータである場合、前記端末が前記第１のスロットにおいて前記上りデータを送信しなく、前記第１のデータのタイプが下りデータである場合、前記端末が前記第１のスロットにおいて前記下りデータを受信しないように構成される。
【００４５】
本発明の実施例において、前記第２の構成シグナリングが半静的上り下り構成シグナリング及び／又は動的スロットフォーマット指示シグナリングであり、
ここで、前記半静的上り下り構成シグナリングがスロットフォーマットを構成するために使用され、前記スロットフォーマットがスロットにおいて各時間領域シンボルに対応する伝送方向を含み、前記伝送方向が、上り伝送、下り伝送、又はフレキシブル伝送であり、
前記動的スロットフォーマット指示シグナリングがスロットフォーマットを示すために使用され、前記スロットフォーマットがスロットにおいて各時間領域シンボルに対応する伝送方向を含み、前記伝送方向が、上り伝送、下り伝送、又はフレキシブル伝送である。
【００４６】
本発明の実施例において、前記半静的上り下り構成シグナリングがＲＲＣシグナリング、又はＳＩであり、
前記動的スロットフォーマット指示シグナリングがグループ共通下り制御チャネルである。
【００４７】
本発明の実施例において、前記第１の構成シグナリングがマルチスロット動的スケジューリングシグナリングであり、
ここで、前記マルチスロット動的スケジューリングシグナリングがＤＣＩ及び／又はＭＡＣ ＣＥである。
【００４８】
本発明の実施例におけるデータ伝送装置は、第１の受信ユニットと、第１の決定ユニットと、第３の受信ユニットと、第３の決定ユニットと、伝送ユニットとを備え、
第１の受信ユニットは、第１の構成シグナリングを受信するように構成され、
第１の決定ユニットは、前記第１の構成シグナリングに基づいて、第１のデータが第１のスロットに占用する第１のリソースを決定するように構成され、ここで、前記第１の構成シグナリングが前記第１のスロットを含むＮ個のスロット内のデータをスケジューリングし、Ｎが１より大きい整数であり、
第３の受信ユニットは、第３の構成シグナリングを受信するように構成され、
第３の決定ユニットは、前記第３の構成シグナリングに基づいて、第２のデータが前記第１のスロットに占用する第２のリソースを決定するように構成され、
伝送ユニットは、前記第１のスロットにおいて前記第２のリソースと前記第１のリソースとがリソース重複部分を有する場合、予め設定されたポリシーに基づいて前記第１のスロットにおいて伝送するデータを決定するように構成される。
【００４９】
本発明の実施例において、前記第１のスロットにおいて前記第２のリソースと前記第１のリソースとがリソース重複部分を有することは、
前記第１のスロットにおいて、前記第２のリソースの少なくとも１つの時間領域シンボルが前記第１のリソースに位置することを含む。
【００５０】
本発明の実施例において、前記第１の構成シグナリングがマルチスロット動的スケジューリングシグナリングであり、
ここで、前記マルチスロット動的スケジューリングシグナリングがＤＣＩ及び／又はＭＡＣ ＣＥである。
【００５１】
本発明の実施例において、前記第３の構成シグナリングが単一スロット動的スケジューリングシグナリングであり、前記単一スロット動的スケジューリングシグナリングは、前記第２のデータが前記第１のスロットに占用する第２のリソースを示し、
ここで、前記単一スロット動的スケジューリングシグナリングがＤＣＩ及び／又はＭＡＣ ＣＥである。
【００５２】
本発明の実施例において、前記伝送ユニットは、前記第１のスロットにおいて前記第２のデータを伝送するように構成される。
【００５３】
本発明の実施例において、前記第３の構成シグナリングがＵＥ専用ＲＲＣシグナリングである。
【００５４】
本発明の実施例において、前記伝送ユニットは、前記第１のスロットにおいて前記第１のデータを伝送するように構成される。
【００５５】
本発明の実施例において、前記第３の構成シグナリングがセル専用ＲＲＣシグナリングである。
【００５６】
本発明の実施例において、前記伝送ユニットは、前記第１のスロットにおいて前記第２のデータを伝送するように構成される。
【００５７】
本発明の実施例において、前記伝送ユニットは、前記第２のデータのタイプが上りデータである場合、前記第１のスロットにおいて前記第２のデータを送信し、前記第２のデータのタイプが下りデータである場合、前記第１のスロットにおいて前記第２のデータを受信するように構成される。
【００５８】
本発明の実施例において、前記伝送ユニットは、前記第１のデータのタイプが上りデータである場合、前記第１のスロットにおいて前記第１のデータを送信し、前記第１のデータのタイプが下りデータである場合、前記第１のスロットにおいて前記第１のデータを受信するように構成される。
【００５９】
本発明の実施例におけるデータ伝送装置は、第１の構成ユニットと、第２の構成ユニットと、伝送ユニットとを備え、
第１の構成ユニットは、第１の構成シグナリングを構成して送信するように構成され、前記第１の構成シグナリングは、第１のデータが第１のスロットに第１のリソースを占用するように指示し、ここで、前記第１のデータの上り下りタイプが前記第１のリソースに対応する伝送方向を示し、前記第１のリソースが少なくとも１つの時間領域シンボルを含み、前記第１の構成シグナリングが前記第１のスロットを含むＮ個のスロット内のデータをスケジューリングし、Ｎが１より大きい整数であり、
第２の構成ユニットは、第２の構成シグナリングを構成して送信するように構成され、前記第２の構成シグナリングは、前記第１のスロットの各時間領域シンボルに対応する伝送方向を示し、
伝送ユニットは、前記第１のスロットにおいて前記第１の構成シグナリングに基づいて決定された前記第１のリソースの伝送方向が前記第２の構成シグナリングに基づいて決定された前記第１のリソースの伝送方向と異なる場合、前記第１のスロットにおいて前記第１のデータを伝送しないように構成される。
【００６０】
本発明の実施例において、前記第１のスロットにおいて前記第１の構成シグナリングに基づいて決定された前記第１のリソースの伝送方向が前記第２の構成シグナリングに基づいて決定された前記第１のリソースの伝送方向と異なることは、
前記第１のスロットにおいて、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることを含む。
【００６１】
本発明の実施例において、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることは、
前記第１の構成シグナリングに基づいて決定された前記第１のリソースの少なくとも１つの時間領域シンボルの伝送方向が上り伝送であり、前記第２の構成シグナリングに基づいて決定された前記少なくとも１つの時間領域シンボルの伝送方向が下り伝送であり、又は、
前記第１の構成シグナリングに基づいて決定された前記第１のリソースの少なくとも１つの時間領域シンボルの伝送方向が下り伝送であり、前記第２の構成シグナリングに基づいて決定された前記少なくとも１つの時間領域シンボルの伝送方向が上り伝送である。
【００６２】
本発明の実施例において、前記伝送ユニットは、前記第１のデータのタイプが上りデータである場合、前記第１のスロットにおいて前記上りデータを受信しなく、前記第１のデータのタイプが下りデータである場合、前記第１のスロットにおいて前記下りデータを送信しないように構成される。
【００６３】
本発明の実施例において、前記第２の構成シグナリングが半静的上り下り構成シグナリング及び／又は動的スロットフォーマット指示シグナリングであり、
ここで、前記半静的上り下り構成シグナリングがスロットフォーマットを構成するために使用され、前記スロットフォーマットがスロットにおいて各時間領域シンボルに対応する伝送方向を含み、前記伝送方向が、上り伝送、下り伝送、又はフレキシブル伝送であり、
前記動的スロットフォーマット指示シグナリングがスロットフォーマットを示すために使用され、前記スロットフォーマットがスロットにおいて各時間領域シンボルに対応する伝送方向を含み、前記伝送方向が、上り伝送、下り伝送、又はフレキシブル伝送である。
【００６４】
本発明の実施例において、前記半静的上り下り構成シグナリングがＲＲＣシグナリング、又はＳＩであり、
前記動的スロットフォーマット指示シグナリングがグループ共通下り制御チャネルである。
【００６５】
本発明の実施例において、前記第１の構成シグナリングがマルチスロット動的スケジューリングシグナリングであり、
ここで、前記マルチスロット動的スケジューリングシグナリングがＤＣＩ及び／又はＭＡＣ ＣＥである。
【００６６】
本発明の実施例におけるデータ伝送装置は、第１の構成ユニットと、第３の構成ユニットと、伝送ユニットとを備え、
第１の構成ユニットは、第１の構成シグナリングを構成して送信するように構成され、前記第１の構成シグナリングは、第１のデータが第１のスロットに第１のリソースを占用するように指示し、ここで、前記第１の構成シグナリングが前記第１のスロットを含むＮ個のスロット内のデータをスケジューリングし、Ｎが１より大きい整数であり、
第３の構成ユニットは、第３の構成シグナリングを構成して送信するように構成され、前記第３の構成シグナリングは、第２のデータが前記第１のスロットに第２のリソースを占用するように指示し、
伝送ユニットは、前記第１のスロットにおいて前記第２のリソースと前記第１のリソースとがリソース重複部分を有する場合、予め設定されたポリシーに基づいて前記第１のスロットにおいて伝送するデータを決定するように構成される。
【００６７】
本発明の実施例において、前記第１のスロットにおいて前記第２のリソースと前記第１のリソースとがリソース重複部分を有することは、
前記第１のスロットにおいて、前記第２のリソースの少なくとも１つの時間領域シンボルが前記第１のリソースに位置することを含む。
【００６８】
本発明の実施例において、前記第１の構成シグナリングがマルチスロット動的スケジューリングシグナリングであり、
ここで、前記マルチスロット動的スケジューリングシグナリングがＤＣＩ及び／又はＭＡＣ ＣＥである。
【００６９】
本発明の実施例において、前記第３の構成シグナリングが単一スロット動的スケジューリングシグナリングであり、前記単一スロット動的スケジューリングシグナリングは、前記第２のデータが前記第１のスロットに占用する第２のリソースを示し、
ここで、前記単一スロット動的スケジューリングシグナリングがＤＣＩ及び／又はＭＡＣ ＣＥである。
【００７０】
本発明の実施例において、前記伝送ユニットは、前記第１のスロットにおいて前記第２のデータを伝送するように構成される。
【００７１】
本発明の実施例において、前記第３の構成シグナリングがＵＥ専用ＲＲＣシグナリングである。
【００７２】
本発明の実施例において、前記伝送ユニットは、前記第１のスロットにおいて前記第１のデータを伝送するように構成される。
【００７３】
本発明の実施例において、前記第３の構成シグナリングがセル専用ＲＲＣシグナリングである。
【００７４】
本発明の実施例において、前記伝送ユニットは、前記第１のスロットにおいて前記第２のデータを伝送するように構成される。
【００７５】
本発明の実施例において、前記伝送ユニットは、前記第２のデータのタイプが上りデータである場合、前記第１のスロットにおいて前記第２のデータを受信し、前記第２のデータのタイプが下りデータである場合、前記第１のスロットにおいて前記第２のデータを送信するように構成される。
【００７６】
本発明の実施例において、前記伝送ユニットは、前記第１のデータのタイプが上りデータである場合、前記第１のスロットにおいて前記第１のデータを受信し、前記第１のデータのタイプが下りデータである場合、前記第１のスロットにおいて前記第１のデータを送信するように構成される。
【００７７】
本発明の実施例は、プロセッサによって実行されると、上記のデータ伝送方法を実現するコンピュータ実行可能命令を記憶したコンピュータ記憶媒体を提供する。
【００７８】
本発明の実施例に係る技術案において、端末が第１の構成シグナリングを受信し、前記第１の構成シグナリングに基づいて、第１のスロットにおいて第１のデータが占用する第１のリソースを決定し、ここで、前記第１のデータの上り下りタイプが前記第１のリソースに対応する伝送方向を示し、前記第１のリソースが少なくとも１つの時間領域シンボルを含み、前記第１の構成シグナリングが前記第１のスロットを含むＮ個のスロット内のデータをスケジューリングし、Ｎが１より大きい整数であり、前記端末が第２の構成シグナリングを受信し、前記第２の構成シグナリングに基づいて、前記第１のスロットにおいて各時間領域シンボルに対応する伝送方向を決定し、前記第１のスロットにおいて前記第１の構成シグナリングに基づいて決定された前記第１のリソースの伝送方向が前記第２の構成シグナリングに基づいて決定された前記第１のリソースの伝送方向と異なる場合、前記端末が前記第１のスロットにおいて前記第１のデータを伝送しない。端末が第１の構成シグナリングを受信し、前記第１の構成シグナリングに基づいて、第１のスロットにおいて第１のデータが占用する第１のリソースを決定し、ここで、前記第１の構成シグナリングが前記第１のスロットを含むＮ個のスロット内のデータをスケジューリングし、Ｎが１より大きい整数であり、前記端末が第３の構成シグナリングを受信し、前記第３の構成シグナリングに基づいて第２のデータが前記第１のスロットに占用する第２のリソースを決定し、前記第１のスロットにおいて前記第２のリソースと前記第１のリソースとがリソース重複部分を有する場合、前記端末が予め設定されたポリシーに基づいて前記第１のスロットにおいて伝送するデータを決定する。本発明の実施例の技術案を用いて、マルチスロット動的スケジューリングシグナリングに基づいて構成されるマルチスロットデータ伝送のうち、あるスロットのデータ伝送が他のシグナリングに基づいて構成されるデータ伝送と反対方向であるか、またはリソース重複する場合、端末は、どのようにデータを伝送するかを決定することができ、端末が２つの異なる構成シグナリングを受信することによって生じるエラー挙動を回避することができる。
【図面の簡単な説明】
【００７９】
本明細書に記載された図面は、本発明の更なる理解を提供するために提供されたものであり、本願の一部を構成し、本発明の例示的な実施例及びその説明は、本発明を説明するためのものであり、本発明を限定するものではない。
【図１】マルチスロットスケジューリングの模式図である。
【図２】本発明の実施例におけるデータ伝送方法のフローチャート一である。
【図３】本発明の実施例におけるデータ伝送方法のフローチャート二である。
【図４】本発明の実施例におけるデータ伝送方法のフローチャート三である。
【図５】本発明の実施例におけるデータ伝送方法のフローチャート四である。
【図６】本発明の実施例におけるデータ伝送装置の構成図一である。
【図７】本発明の実施例におけるデータ伝送装置の構成図二である。
【図８】本発明の実施例におけるデータ伝送装置の構成図三である。
【図９】本発明の実施例におけるデータ伝送装置の構成図四である。
【図１０】本発明の実施例におけるコンピューターデバイスの構成図である。
【発明を実施するための形態】
【００８０】
以下、本発明の実施例の技術的解決策を理解するために、本発明の実施例に係る構成シグナリングについて説明する。
【００８１】
１）半静的上り下り構成シグナリング：半静的上り下り構成を実現するためのシグナリング（ｓｅｍｉ−ｓｔａｔｉｃ ＵＬ/ＤＬ ｃｏｎｆｉｇｕｒａｔｉｏｎ）である。具体的には、半静的ＲＲＣシグナリングによって構成される１つの構成期間中(例えば、５ ｍｓ又は１０ ｍｓ )のスロットフォーマットは、このスロットフォーマットで、１つの構成期間中の各スロットにおけるＵＬシンボル、ＤＬシンボル、及びｆｌｅｘｉｂｌｅシンボルの個数及び位置を示すことができる
さらに、半静的上り下り構成シグナリングは、以下の２つのタイプを含む。
【００８２】
１.１）共通半静的上り下り構成シグナリング：半静的上り下り共通構成（ｓｅｍｉ−ｐｅｒｓｉｓｔｅｎｔ ＵＬ/ＤＬ ｃｏｍｍｏｎ ｃｏｎｆｉｇｕｒａｔｉｏｎ）を実現し、セル専用半静的上り下り構成（ｃｅｌｌ−ｓｐｅｃｉｆｉｃ ｓｅｍｉ−ｓｔａｔｉｃ ＵＬ/ＤＬ ｃｏｎｆｉｇｕｒａｔｉｏｎ）とも言われる。
【００８３】
１.２）固有半静的上り下り構成シグナリング：半静的上り下り固有構成（ｓｅｍｉ−ｐｅｒｓｉｓｔｅｎｔ ＵＬ/ＤＬ ｄｅｄｉｃａｔｅｄ ｃｏｎｆｉｇｕｒａｔｉｏｎ）を実現し、ユーザー専用半静的上り下り構成（ＵＥ−ｓｐｅｃｉｆｉｃ ｓｅｍｉ−ｐｅｒｓｉｓｔｅｎｔ ＵＬ/ＤＬ ｃｏｎｆｉｇｕｒａｔｉｏｎ）とも言われる。
【００８４】
２）動的スロットフォーマット指示シグナリング：動的スロットフォーマット指示（Ｄｙｎａｍｉｃ ｓｌｏｔ ｆｏｒｍａｔ ｉｎｄｉｃａｔｉｏｎ）を実現する。具体的に、動的スロットフォーマット指示シグナリングがグループ共通下り制御チャネル（ｇｒｏｕｐ ｃｏｍｍｏｎ ＰＤＣＣＨ）に搬送され、各スロットのスロットフォーマットを動的に指示する。
【００８５】
さらに、動的スロットフォーマット指示シグナリングは、以下の２つの指示方式がある。
【００８６】
２.１）動的スロットフォーマット指示シグナリングは、各スロットの各シンボルの方向を示す。
【００８７】
２.２）半静的上り下り構成と合わせて、動的スロットフォーマット指示シグナリングは、半静的上り下り構成におけるｆｌｅｘｉｂｌｅシンボルの方向のみを変更することができ、半静的上り下り構成におけるＵＬシンボルの方向およびＤＬシンボルの方向を変更することができない。
【００８８】
３) 動的スケジューリングシグナリング：動的スケジューリングに基づくデータ伝送（Ｄｙｎａｍｉｃ ｓｃｈｅｄｕｌｅｄ ｄａｔａ ｔｒａｎｓｍｉｓｓｉｏｎ）を実現する。例えば、ＤＣＩスケジューリングのデータ伝送、例えば、物理下り共有チャネル( ＰＤＳＣＨ、Ｐｈｙｓｉｃａｌ Ｄｏｗｎｌｉｎｋ Ｓｈａｒｅｄ Ｃｈａｎｎｅｌ ) /物理上り共有チャネル( ＰＵＳＣＨ、Ｐｈｙｓｉｃａｌ Ｕｐｌｉｎｋ Ｓｈａｒｅｄ Ｃｈａｎｎｅｌ )伝送、又は肯定確認( ＡＣＫ ) /否定確認( ＮＡＣＫ )を運ぶ物理上り制御チャネル( ＰＵＣＣＨ、Ｐｈｙｓｉｃａｌ Ｕｐｌｉｎｋ Ｃｏｎｔｒｏｌ Ｃｈａｎｎｅｌ )伝送である。また、例えば、ＤＣＩスケジューリングのための測定信号伝送、例えば、非周期的チャネル状態情報基準シンボル( ＣＳＩ−ＲＳ、Ｃｈａｎｎｅｌ Ｓｔａｔｅ Ｉｎｄｉｃａｔｉｏｎ−Ｒｅｆｅｒｅｎｃｅ Ｓｉｇｎａｌ )伝送、非周期的サウンディング基準信号( ＳＲＳ、Ｓｏｕｎｄｉｎｇ Ｒｅｆｅｒｅｎｃｅ Ｓｉｇｎａｌ )伝送などである。ＤＣＩスケジューリングのデータ伝送および測定信号伝送により、その対応シンボルがＤＬシンボルであるかＵＬシンボルであるかが暗黙的に示される。
【００８９】
さらに、動的スケジューリングシグナリングは、以下の２つのタイプを含む。
【００９０】
３.１）マルチスロット動的スケジューリングシグナリング:例えば、１つのＤＣＩが複数の連続するスロット（ｍｕｌｔｉ−ｓｌｏｔ）のデータ伝送をスケジューリングし、複数のスロットにおいて同じ時間周波数のリソースを利用してデータ伝送を行う。
【００９１】
３.２）単一スロット動的スケジューリングシグナリング：１つのＤＣＩが１つのスロット（ｏｎｅ−ｓｌｏｔ）のデータ伝送をスケジューリングする。
【００９２】
４）ＵＥ専用ＲＲＣシグナリング：ＵＥ−ｓｐｅｃｉｆｉｃ ＲＲＣに基づて構成するデータ伝送( ＵＥ−ｓｐｅｃｉｆｉｃ ＲＲＣ ｃｏｎｆｉｇｕｒｅｄ ｔｒａｎｓｍｉｓｓｉｏｎ )を実現する。例えば、周期的な測定信号伝送、物理ランダムアクセスチャネル( ＰＲＡＣＨ、Ｐｈｙｓｉｃａｌ Ｒａｎｄｏｍ Ａｃｃｅｓｓ Ｃｈａｎｎｅｌ )伝送などである。ＵＥ専用ＲＲＣシグナリングによって構成されるデータ伝送はまた、その対応するシンボルがＤＬシンボルであるかＵＬシンボルであるかを暗黙的に示し、例えば、周期的ＣＳＩ−ＲＳに対応するシンボルはＤＬシンボルであり、周期的ＳＲＳに対応するシンボルはＵＬシンボルであり、ＰＲＡＣＨに対応するシンボルはＵＬシンボルであり、などである。
【００９３】
５）セル専用ＲＲＣシグナリング：セル専用ＲＲＣシグナリングに基づいて構成するデータ伝送を実現する（ｃｅｌｌ−ｓｐｅｃｉｆｉｃ ＲＲＣ ｃｏｎｆｉｇｕｒｅｄ ｔｒａｎｓｍｉｓｓｉｏｎ）。例えば、残りの最小化システム情報( ＲＭＳＩ、Ｒｅｓｉｄｕａｌ Ｍｉｎｉｍｉｚｅｄ Ｓｙｓｔｅｍ Ｉｎｆｏｒｍａｔｉｏｎ )、他のシステム情報( ＯＳＩ、Ｏｔｈｅｒ Ｓｙｓｔｅｍ Ｉｎｆｏｒｍａｔｉｏｎ )などのシステム情報の伝送である。セル専用ＲＲＣシグナリングにより構成されるデータ伝送も同様に、その対応するシンボルがＵＬシンボルであるかＤＬシンボルであるかを示す暗黙的なものである。
【００９４】
図１を参照すると、ネットワークスが端末がマルチスロット伝送を行うようにスケジューリングする過程で、あるスロットのデータ伝送は、以下の問題に遭遇する
１）そのスロットでデータ伝送に使用可能な伝送リソースがスケジューリングに必要な伝送リソースを満たさなくなる。
【００９５】
例えば、ネットワークは、ＤＣＩにより８つのスロットをスケジューリングして下りデータを伝送し、各スロット内の８つの下りシンボルを用いて下りデータを送信するが、異なるスロット内のＵＬ／ＤＬシンボルの数は柔軟に設定されているため、あるスロット内の下りシンボル数がスケジューリングに必要な下りシンボル数よりも少なくなるという問題があった。
【００９６】
図１において、ｓｌｏｔ１におけるＤＣＩは、８つのシンボルの下り伝送をスケジューリングしており、各スロットが８つのシンボルを占用し、スロット３で使用可能な下りシンボル数は８未満であり、この場合、そのスロットにおいてどのように下りのデータ伝送が行われるかが本発明の実施例で解決すべき課題である。
【００９７】
２）このスロットにおいてデータ伝送が使用するリソースは、他のリソースにより占用される。
【００９８】
例えば、スロット４ではＳＳＢ／ＲＭＳＩ／ＯＳＩなどのシステム情報を伝送するためにデータを伝送するリソースの一部が使用され、この場合、このスロットにおいてどのように下りデータ伝送を行うかが本発明の実施例で解決すべき課題である。
【００９９】
３）このスロットにおいてデータ伝送が使用するリソースは、動的ｏｎｅ−ｓｌｏｔによりスケジューリングされて占用される。
【０１００】
例えば、スロット６では、動的スケジューリングによる単一スロット伝送が存在し、この単一スロット伝送が、前記マルチスロット伝送のリソースの一部を占有し、このとき、データ伝送がどのように行われるかが本発明の実施例で解決すべき課題である。
【０１０１】
４）このスロットにおいてデータ伝送が使用するリソースは、スロットフォーマットが指示する伝送方向と反対方向である。
【０１０２】
例えば、スロット５において、そのスロットに含まれるＤＬシンボルが２個、ｆｌｅｘｉｂｌｅシンボルが２個、ＵＬシンボルが１０個であることをスロットフォーマットで示し、そのデータ伝送に用いられるリソースの一部がスロットフォーマットで示されるシンボルと逆向きになる場合に、データ伝送をどのように行うかが本発明の実施例で解決しようとする課題である。
【０１０３】
図２は本発明の実施例におけるデータ伝送方法のフローチャート一であり、図２に示すように前記データ伝送方法は、以下のステップを含み、
ステップ２０１において、端末が第１の構成シグナリングを受信し、前記第１の構成シグナリングに基づいて、第１のスロットにおいて第１のデータが占用する第１のリソースを決定し、ここで、前記第１のデータの上り下りタイプが前記第１のリソースに対応する伝送方向を示し、前記第１のリソースが少なくとも１つの時間領域シンボルを含み、前記第１の構成シグナリングが前記第１のスロットを含むＮ個のスロット内のデータをスケジューリングし、Ｎが１より大きい整数である。
【０１０４】
本発明の実施例において、前記第１の構成シグナリングがマルチスロット動的スケジューリングシグナリングであり、ここで、前記マルチスロット動的スケジューリングシグナリングがＤＣＩ及び／又はＭＡＣ ＣＥである。マルチスロット動的スケジューリングシグナリングを利用して、連続する複数のスロットをスケジューリングしてデータ伝送を行うことができる。
【０１０５】
本発明の実施例において、マルチスロット動的スケジューリングシグナリングは、あるタイプのデータ(第１のデータと呼ばれる)が複数のスロットに伝送リソース(第１のリソースと呼ばれる)を構成するようにする。例えば、マルチスロット動的スケジューリングシグナリングは、連続する８個のスロットをスケジューリングし、各スロットにおける第３〜第６シンボルは、ある上りデータの伝送に使用され、このように、第３〜第６シンボルが第１のリソースである。第１のリソースは、１つのシンボルを含み得るか、または複数のシンボルを含み得る。また、本実施例でいうシンボルは、ＯＦＤＭシンボルのような時間領域のシンボルである。
【０１０６】
本発明の実施例において、第１のデータの上り下りタイプは、前記第１のリソースに対応する伝送方向を暗黙的に示し、例えば、第１のデータが上りデータである場合、第１のリソースの全てのシンボルが上りシンボルであり、また、例えば、第１のデータが下りデータである場合、第１のリソースの全てのシンボルが下りシンボルである。
【０１０７】
ステップ２０２において、前記端末が第２の構成シグナリングを受信し、前記第２の構成シグナリングに基づいて、前記第１のスロットにおいて各時間領域シンボルに対応する伝送方向を決定する。
【０１０８】
本発明の実施例において、第２の構成シグナリングが第１の構成シグナリングと異なり、半静的上り下り構成シグナリング及び／又は動的スロットフォーマット指示シグナリングであってもよく、
ここで、前記半静的上り下り構成シグナリングがスロットフォーマットを構成するために使用され、前記スロットフォーマットがスロットにおいて各時間領域シンボルに対応する伝送方向を含み、前記伝送方向が、上り伝送、下り伝送、又はフレキシブル伝送であり、
前記動的スロットフォーマット指示シグナリングがスロットフォーマットを示すために使用され、前記スロットフォーマットがスロットにおいて各時間領域シンボルに対応する伝送方向を含み、前記伝送方向が、上り伝送、下り伝送、又はフレキシブル伝送である。
【０１０９】
ここで、半静的上り下り構成シグナリングと動的スロットフォーマット指示シグナリングは、いずれもスロットフォーマットを個別に指示できる。半静的上り下り構成シグナリングと動的スロットフォーマット指示シグナリングとが結合されてスロットフォーマットを指示してもよい。スロットフォーマットを合わせて示す場合、動的スロットフォーマットは、半静的上り下り構成シグナリングが示すスロットフォーマットにおいて、ｆｌｅｘｉｂｌｅシンボルのみを変更することが可能であることを示す。
【０１１０】
上記の技術案において前記半静的上り下り構成シグナリングは、共通半静的上り下り構成シグナリングと専有半静的上り下り構成シグナリングを含む。さらに、前記半静的上り下り構成シグナリングがＲＲＣシグナリング、又はＳＩである。
【０１１１】
上記の技術案において前記動的スロットフォーマット指示シグナリングがグループ共通下り制御チャネルである。
【０１１２】
ステップ２０３において、前記第１のスロットにおいて前記第１の構成シグナリングに基づいて決定された前記第１のリソースの伝送方向が前記第２の構成シグナリングに基づいて決定された前記第１のリソースの伝送方向と異なる場合、前記端末が前記第１のスロットにおいて前記第１のデータを伝送しない。
【０１１３】
本発明の実施例において、前記第１のスロットにおいて前記第１の構成シグナリングに基づいて決定された前記第１のリソースの伝送方向が前記第２の構成シグナリングに基づいて決定された前記第１のリソースの伝送方向と異なることは、
前記第１のスロットにおいて、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることを含む。
【０１１４】
さらに、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることは、
前記第１の構成シグナリングに基づいて決定された前記第１のリソースの少なくとも１つの時間領域シンボルの伝送方向が上り伝送であり、前記第２の構成シグナリングに基づいて決定された前記少なくとも１つの時間領域シンボルの伝送方向が下り伝送であり、又は、
前記第１の構成シグナリングに基づいて決定された前記第１のリソースの少なくとも１つの時間領域シンボルの伝送方向が下り伝送であり、前記第２の構成シグナリングに基づいて決定された前記少なくとも１つの時間領域シンボルの伝送方向が上り伝送である。
【０１１５】
上記の技術案において、正常なデータ伝送を保証するために、第１の構成シグナリングは、第２の構成シグナリングで構成された上りシンボル又はフレキシブルシンボル上でのみ、上りのデータ伝送が伝送されるように設定され、第１の構成シグナリングは、第２の構成シグナリングによって構成された下りシンボルまたはフレキシブルシンボル上でのみ、下りのデータ伝送が伝送されるように設定される。
【０１１６】
本発明の実施例において、前記端末が前記第１のスロットにおいて前記第１のデータを伝送しないことは、上り及び下りの２つのケールを分け、具体的に、
１）前記第１のデータのタイプが上りデータである場合、前記端末が前記第１のスロットにおいて前記上りデータを送信しなく、
２）前記第１のデータのタイプが下りデータである場合、前記端末が前記第１のスロットにおいて前記下りデータを受信しない。
【０１１７】
図３は本発明の実施例におけるデータ伝送方法のフローチャート二であり、図３に示すように、前記データ伝送は、以下のステップを含む。
【０１１８】
ステップ３０１において、端末が第１の構成シグナリングを受信し、前記第１の構成シグナリングに基づいて、第１のスロットにおいて第１のデータが占用する第１のリソースを決定し、ここで、前記第１の構成シグナリングが前記第１のスロットを含むＮ個のスロット内のデータをスケジューリングし、Ｎが１より大きい整数である。
【０１１９】
本発明の実施例において、前記第１の構成シグナリングがマルチスロット動的スケジューリングシグナリングであり、さらに、前記マルチスロット動的スケジューリングシグナリングがＤＣＩ及び／又はＭＡＣ ＣＥである。
【０１２０】
ステップ３０２において、前記端末が第３の構成シグナリングを受信し、前記第３の構成シグナリングに基づいて第２のデータが前記第１のスロットに占用する第２のリソースを決定する。
【０１２１】
本発明の実施例において、第３の構成シグナリングが第１の構成シグナリングと異なることは、以下の通りである。
【０１２２】
１）前記第３の構成シグナリングが単一スロット動的スケジューリングシグナリングであり、前記単一スロット動的スケジューリングシグナリングは、前記第２のデータが前記第１のスロットに占用する第２のリソースを示し、さらに、前記単一スロット動的スケジューリングシグナリングがＤＣＩ及び／又はＭＡＣ ＣＥである。
【０１２３】
２）前記第３の構成シグナリングがＵＥ専用ＲＲＣシグナリングである。
【０１２４】
３）前記第３の構成シグナリングがセル専用ＲＲＣシグナリングである。
【０１２５】
ステップ３０３において、前記第１のスロットにおいて前記第２のリソースと前記第１のリソースとがリソース重複部分を有する場合、前記端末が予め設定されたポリシーに基づいて前記第１のスロットにおいて伝送するデータを決定する。
【０１２６】
本発明の実施例において、前記第１のスロットにおいて前記第２のリソースと前記第１のリソースとがリソース重複部分を有することは、
前記第１のスロットにおいて、前記第２のリソースの少なくとも１つの時間領域シンボルが前記第１のリソースに位置することを含む。
【０１２７】
前記第１のスロットにおいて前記第２のリソースと前記第１のリソースとがリソース重複部分を有する場合、前記端末は、以下のデータ伝送を実行する。
【０１２８】
１）前記第３の構成シグナリングが単一スロット動的スケジューリングシグナリングである場合、前記端末が前記第１のスロットにおいて前記第２のデータを伝送する。
【０１２９】
２）前記第３の構成シグナリングがＵＥ専用ＲＲＣシグナリングである場合、前記端末が前記第１のスロットにおいて前記第１のデータを伝送する。
【０１３０】
３）前記第３の構成シグナリングがセル専用ＲＲＣシグナリングである場合、前記端末が前記第１のスロットにおいて前記第２のデータを伝送する。
【０１３１】
上記の技術案において前記端末が前記第１のスロットにおいて前記第２のデータを伝送することは、
前記第２のデータのタイプが上りデータである場合、前記端末が前記第１のスロットにおいて前記第２のデータを送信することと、
前記第２のデータのタイプが下りデータである場合、前記端末が前記第１のスロットにおいて前記第２のデータを受信することとを含む。
【０１３２】
上記の技術案において前記端末が前記第１のスロットにおいて前記第１のデータを伝送することは、
前記第１のデータのタイプが上りデータである場合、前記端末が前記第１のスロットにおいて前記第１のデータを送信することと、
前記第１のデータのタイプが下りデータである場合、前記端末が前記第１のスロットにおいて前記第１のデータを受信することとを含む。
【０１３３】
図４は本発明の実施例におけるデータ伝送方法のフローチャート三であり、図４に示すように、前記データ伝送方法は、以下のステップを含む。
【０１３４】
ステップ４０１において、ネットワークデバイスが第１の構成シグナリングを構成して送信し、前記第１の構成シグナリングは、第１のデータが第１のスロットに第１のリソースを占用するように指示し、ここで、前記第１の構成シグナリングが前記第１のスロットを含むＮ個のスロット内のデータをスケジューリングし、Ｎが１より大きい整数であり、ここで、前記第１のデータの上り下りタイプが前記第１のリソースに対応する伝送方向を示し、前記第１のリソースが少なくとも１つの時間領域シンボルを含む。
【０１３５】
本発明の実施例において、前記第１の構成シグナリングがマルチスロット動的スケジューリングシグナリングであり、ここで、前記マルチスロット動的スケジューリングシグナリングがＤＣＩ及び／又はＭＡＣ ＣＥである。
【０１３６】
ステップ４０２において、前記ネットワークデバイスが第２の構成シグナリングを構成して送信し、前記第２の構成シグナリングは、前記第１のスロットの各時間領域シンボルに対応する伝送方向を示す。
【０１３７】
本発明の実施例において、前記第２の構成シグナリングが半静的上り下り構成シグナリング及び／又は動的スロットフォーマット指示シグナリングであり、
ここで、前記半静的上り下り構成シグナリングがスロットフォーマットを構成するために使用され、前記スロットフォーマットがスロットにおいて各時間領域シンボルに対応する伝送方向を含み、前記伝送方向が、上り伝送、下り伝送、又はフレキシブル伝送であり、
前記動的スロットフォーマット指示シグナリングがスロットフォーマットを示すために使用され、前記スロットフォーマットがスロットにおいて各時間領域シンボルに対応する伝送方向を含み、前記伝送方向が、上り伝送、下り伝送、又はフレキシブル伝送である。
【０１３８】
さらに、前記半静的上り下り構成シグナリングがＲＲＣシグナリング、又はＳＩであり、
前記動的スロットフォーマット指示シグナリングがグループ共通下り制御チャネルである。
【０１３９】
ステップ４０３において、前記第１のスロットにおいて前記第１の構成シグナリングに基づいて決定された前記第１のリソースの伝送方向が前記第２の構成シグナリングに基づいて決定された前記第１のリソースの伝送方向と異なる場合、前記ネットワークデバイスが前記第１のスロットにおいて前記第１のデータを伝送しない。
【０１４０】
本発明の実施例において、前記第１のスロットにおいて前記第１の構成シグナリングに基づいて決定された前記第１のリソースの伝送方向が前記第２の構成シグナリングに基づいて決定された前記第１のリソースの伝送方向と異なることは、
前記第１のスロットにおいて、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることを含む。
【０１４１】
さらに、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることは、
前記第１の構成シグナリングに基づいて決定された前記第１のリソースの少なくとも１つの時間領域シンボルの伝送方向が上り伝送であり、前記第２の構成シグナリングに基づいて決定された前記少なくとも１つの時間領域シンボルの伝送方向が下り伝送であり、又は、
前記第１の構成シグナリングに基づいて決定された前記第１のリソースの少なくとも１つの時間領域シンボルの伝送方向が下り伝送であり、前記第２の構成シグナリングに基づいて決定された前記少なくとも１つの時間領域シンボルの伝送方向が上り伝送である。
【０１４２】
本発明の実施例において、前記ネットワークデバイスが前記第１のスロットにおいて前記第１のデータを伝送しないことは、
前記第１のデータのタイプが上りデータである場合、前記ネットワークデバイスが前記第１のスロットにおいて前記上りデータを受信しないこと、
前記第１のデータのタイプが下りデータである場合、前記ネットワークデバイスが前記第１のスロットにおいて前記下りデータを送信しないことを含む。
【０１４３】
図５は本発明の実施例におけるデータ伝送方法のフローチャート四であり、図５に示すように、前記データ伝送方法は、以下のステップを含む。
【０１４４】
ステップ５０１において、ネットワークデバイスが第１の構成シグナリングを構成して送信し、前記第１の構成シグナリングは、第１のデータが第１のスロットに第１のリソースを占用するように指示し、ここで、前記第１の構成シグナリングが前記第１のスロットを含むＮ個のスロット内のデータをスケジューリングし、Ｎが１より大きい整数である。
【０１４５】
本発明の実施例において、前記第１の構成シグナリングがマルチスロット動的スケジューリングシグナリングであり、ここで、前記マルチスロット動的スケジューリングシグナリングがＤＣＩ及び／又はＭＡＣ ＣＥである。
【０１４６】
ステップ５０２において、前記ネットワークデバイスが第３の構成シグナリングを構成して送信し、前記第３の構成シグナリングは、第２のデータが前記第１のスロットに第２のリソースを占用するように指示する。
【０１４７】
本発明の実施例において、前記第３の構成シグナリングは、以下の通りである。
【０１４８】
１）前記第３の構成シグナリングが単一スロット動的スケジューリングシグナリングであり、前記単一スロット動的スケジューリングシグナリングは、前記第２のデータが前記第１のスロットに占用する第２のリソースを示し、ここで、前記単一スロット動的スケジューリングシグナリングがＤＣＩ及び／又はＭＡＣ ＣＥである。
【０１４９】
２）前記第３の構成シグナリングがＵＥ専用ＲＲＣシグナリングである。
【０１５０】
３）前記第３の構成シグナリングがセル専用ＲＲＣシグナリングである。
【０１５１】
ステップ５０３において、前記第１のスロットにおいて前記第２のリソースと前記第１のリソースとがリソース重複部分を有する場合、前記ネットワークデバイスが予め設定されたポリシーに基づいて前記第１のスロットにおいて伝送するデータを決定する。
【０１５２】
本発明の実施例において、前記第１のスロットにおいて前記第２のリソースと前記第１のリソースとがリソース重複部分を有することは、
前記第１のスロットにおいて、前記第２のリソースの少なくとも１つの時間領域シンボルが前記第１のリソースに位置することを含む。
【０１５３】
前記第１のスロットにおいて前記第２のリソースと前記第１のリソースとがリソース重複部分を有する場合、前記ネットワークデバイスは、以下のデータ伝送方式を実行する。
【０１５４】
１）前記第３の構成シグナリングが単一スロット動的スケジューリングシグナリングである場合、前記ネットワークデバイスが前記第１のスロットにおいて前記第２のデータを伝送する。
【０１５５】
２）前記第３の構成シグナリングがＵＥ専用ＲＲＣシグナリングである場合、前記ネットワークデバイスが前記第１のスロットにおいて前記第１のデータを伝送する。
【０１５６】
３）前記第３の構成シグナリングがセル専用ＲＲＣシグナリングである場合、前記ネットワークデバイスが前記第１のスロットにおいて前記第２のデータを伝送する。
【０１５７】
上記の技術案において前記ネットワークデバイスが前記第１のスロットにおいて前記第２のデータを伝送することは、
前記第２のデータのタイプが上りデータである場合、前記ネットワークデバイスが前記第１のスロットにおいて前記第２のデータを受信することと、
前記第２のデータのタイプが下りデータである場合、前記ネットワークデバイスが前記第１のスロットにおいて前記第２のデータを送信することとを含む。
【０１５８】
上記の技術案において前記ネットワークデバイスが前記第１のスロットにおいて前記第１のデータを伝送することは、
前記第１のデータのタイプが上りデータである場合、前記ネットワークデバイスが前記第１のスロットにおいて前記第１のデータを受信することと、
前記第１のデータのタイプが下りデータである場合、前記ネットワークデバイスが前記第１のスロットにおいて前記第１のデータを送信することとを含む。
【０１５９】
以下、具体的な適用例を挙げて本発明の実施例の技術的思想についてさらに説明する。
【０１６０】
応用例一
マルチスロット動的スケジューリングシグナリングに基づいて構成されるスロット伝送と半静的上り下り構成シグナリングにより構成されるスロットフォーマットである。具体的には、基地局は、半静的上り下り構成シグナリングによって、各スロット内のＵＬ／ＤＬ／ｆｌｅｘｉｂｌｅシンボルの個数および位置を含むスロットフォーマットを構成し、基地局は、ＤＣＩなどのマルチスロット動的スケジューリングシグナリングを介して複数のスロットのデータ伝送をスケジューリングし得る。
【０１６１】
マルチスロットによりスケジューリングされるデータ伝送が下り伝送である場合、あるスロットにおいて該下りデータ伝送が半静的上り下りにより構成される該スロットの下りシンボル及びフレキシブルシンボルのみで伝送し、
マルチスロットによりスケジューリングされるデータ伝送が上り伝送である場合、あるスロットにいて該上りデータ伝送が半静的上り下りにより構成される該スロットの上りシンボル及びフレキシブルシンボルのみで伝送し、
マルチスロットによりスケジューリングされるデータ伝送のうち、あるスロットの該データ伝送が位置するシンボルの伝送方向と、半静的上り下りにより構成された該スロットの該シンボルの伝送方向とが反対方向である(該データ伝送に対応する複数のシンボルのうち、ある１つまたは複数のシンボルの伝送方向と、半静的上り下り構成において対応する該シンボルの伝送方向とが反対方向である)場合、ネットワークデバイスは、該スロットにおいて、下りデータ伝送または上りデータ伝送を行わず、端末は、該スロットにおいて、下りデータ受信または上りデータ送信を行わない。
【０１６２】
応用例二
マルチスロット動的スケジューリングシグナリングに基づいて構成されるマルチスロット伝送および動的スロットフォーマット指示に基づくスロットフォーマットである。具体的には、基地局は、半静的上り下り構成シグナリングによってスロットのフォーマットを構成し、該スロットフォーマットが各スロット内のＵＬ／ＤＬ／ｆｌｅｘｉｂｌｅシンボルの数および位置を含み、その上、基地局は、動的スロットフォーマットによって、さらなる構成スロットフォーマットを示すことができ、ここで、動的スロットフォーマットが半静的上り下り構成におけるｆｌｅｘｉｂｌｅシンボルの方向のみを変更し、基地局は、ＤＣＩなどのマルチスロット動的スケジューリングシグナリングを介して複数のスロットのデータ伝送をスケジューリングし得る。
【０１６３】
マルチスロットによりスケジューリングされるデータ伝送が下り伝送である場合、あるスロットにおいて該下りデータ伝送が動的スロットフォーマットによって示す該スロットの下りシンボル及びフレキシブルシンボルのみで伝送し、
マルチスロットによりスケジューリングされるデータ伝送が上り伝送である場合、あるスロットにおいて該上りデータ伝送が動的スロットフォーマットによって示す該スロットの上りシンボル及びフレキシブルシンボルのみで伝送し、
マルチスロットによりスケジューリングされるデータ伝送のあるスロットの該データ伝送が位置するシンボルの伝送方向が、動的スロットフォーマットによって位示す該スロットの該シンボルの伝送方向と反対方向である（該データ伝送に対応する複数のシンボルのうちの１つの以上のシンボルの伝送方向が半静的上り下り構成において対応するシンボルの伝送方向と反対方向である）場合、ネットワークデバイスは、該スロットにおいて下りデータ送信又は上りデータ受信を行わなく、端末が該スロットにおいて下りデータ受信又は上りデータ送信を行わない。
【０１６４】
応用例三
マルチスロット動的スケジューリングシグナリングに基づいて構成されるマルチスロット伝送と、単一スロット動的スケジューリングシグナリングに基づいて構成される単一スロット伝送である。具体的には、基地局は、ＤＣＩなどのマルチスロット動的スケジューリングシグナリングによって複数のスロットのデータ伝送をスケジューリングすることができ、ＤＣＩなどの単一スロット動的スケジューリングシグナリングによって単一のスロットのデータ伝送をスケジューリングすることができる。
【０１６５】
基地局がＤＣＩでマルチスロットデータ伝送をスケジューリングし、あるスロットで基地局もＤＣＩで単一スロットデータ伝送をスケジューリングし、そのスロットで単一スロット伝送用の伝送リソースがマルチスロット伝送用の伝送リソースの一部を占める場合、そのスロットで単一スロットデータの伝送が行われ、マルチスロットのデータ伝送が破棄される。
【０１６６】
応用例四
マルチスロット動的スケジューリングシグナリングに基づいて構成されるマルチスロット伝送及びＵＥ専用ＲＲＣシグナリングに基づいて構成されるデータ伝送である。具体的に、基地局は、ＤＣＩのようなマルチスロット動的スケジューリングシグナリングによって複数のスロットのデータ伝送をスケジューリングすることができ、ＵＥ専用ＲＲＣシグナリングによってデータ送信をスケジューリングすることができ、例えば、ネットワークがＵＥ専用ＲＲＣシグナリングによって、周期的に送信するCSI-RS信号、または周期的に送信するSRS信号などを構成する。
【０１６７】
基地局がＤＣＩによって複数のデータ伝送をスケジューリングし、基地局がＵＥ専用ＲＲＣシグナリングによってデータ伝送を構成し、あるスロットにおいてＤＣＩによってスケジューリングされた伝送リソースとＵＥ専用ＲＲＣシグナリングによって構成されたデータ伝送の伝送リソースが全部または一部重複する場合、そのスロットでマルチスロットによりスケジューリングされるデータ伝送を行い、ＵＥ専用ＲＲＣシグナリングによって構成されたデータ伝送を破棄する。
【０１６８】
応用例五
マルチスロット動的スケジューリングシグナリングに基づいて構成されるマルチスロット伝送とセル専用ＲＲＣシグナリングに基づいて構成されるデータ伝送である。具体的に、基地局は、マルチスロット動的スケジューリングシグナリング（例えば、ＤＣＩ）により複数のスロットのデータ伝送をスケジューリングしてもよいし、セル専用ＲＲＣシグナリングによりデータ伝送を構成してもよく、例えば、ネットワークは、セル専用ＲＲＣシグナリングにより、ＳＳＢ／ＲＭＳＩ／ＯＳＩを伝送する伝送リソースを構成する。
【０１６９】
基地局がＤＣＩによってマルチスロットデータ伝送をスケジューリングし、基地局がセル専用ＲＲＣシグナリングによってデータ伝送を構成し、あるスロットにおいてＤＣＩスケジューリングによるマルチスロットデータ伝送の伝送リソースとセル専用ＲＲＣシグナリングによって構成されたデータ伝送の伝送リソースとが全部または一部重なる場合、そのスロットにおいてセル専用ＲＲＣシグナリングによって構成されたデータ伝送が行われ、ＤＣＩスケジューリングによるマルチスロットデータ伝送が破棄される。
【０１７０】
図６は本発明の実施例におけるデータ伝送装置の構成図一であり、図６に示すように、前記装置は、第１の受信ユニット６０１と、第１の決定ユニット６０２と、第２の受信ユニット６０３と、第２の決定ユニット６０４と、伝送ユニット６０５とを備え、
第１の受信ユニット６０１は、第１の構成シグナリングを受信するように構成され、
第１の決定ユニット６０２は、前記第１の構成シグナリングに基づいて、第１のデータが第１のスロットに占用する第１のリソースを決定するように構成され、ここで、前記第１のデータの上り下りタイプが前記第１のリソースに対応する伝送方向を示し、前記第１のリソースが少なくとも１つの時間領域シンボルを含み、前記第１の構成シグナリングが前記第１のスロットを含むＮ個のスロット内のデータをスケジューリングし、Ｎが１より大きい整数であり、
第２の受信ユニット６０３は、第２の構成シグナリングを受信するように構成され、
第２の決定ユニット６０４は、前記第２の構成シグナリングに基づいて、前記第１のスロットにおいて各時間領域シンボルに対応する伝送方向を決定するように構成され、
伝送ユニット６０５は、前記第１のスロットにおいて前記第１の構成シグナリングに基づいて決定された前記第１のリソースの伝送方向が前記第２の構成シグナリングに基づいて決定された前記第１のリソースの伝送方向と異なる場合、前記端末が前記第１のスロットにおいて前記第１のデータを伝送しないように構成される。
【０１７１】
ある実施例において、前記第１のスロットにおいて前記第１の構成シグナリングに基づいて決定された前記第１のリソースの伝送方向が前記第２の構成シグナリングに基づいて決定された前記第１のリソースの伝送方向と異なることは、
前記第１のスロットにおいて、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることを含む。
【０１７２】
ある実施例において、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることは、
前記第１の構成シグナリングに基づいて決定された前記第１のリソースの少なくとも１つの時間領域シンボルの伝送方向が上り伝送であり、前記第２の構成シグナリングに基づいて決定された前記少なくとも１つの時間領域シンボルの伝送方向が下り伝送であり、又は、
前記第１の構成シグナリングに基づいて決定された前記第１のリソースの少なくとも１つの時間領域シンボルの伝送方向が下り伝送であり、前記第２の構成シグナリングに基づいて決定された前記少なくとも１つの時間領域シンボルの伝送方向が上り伝送である。
【０１７３】
ある実施例において、前記伝送ユニット６０５は、前記第１のデータのタイプが上りデータである場合、前記端末が前記第１のスロットにおいて前記上りデータを送信しなく、前記第１のデータのタイプが下りデータである場合、前記端末が前記第１のスロットにおいて前記下りデータを受信しないように構成される。
【０１７４】
ある実施例において、前記第２の構成シグナリングが半静的上り下り構成シグナリング及び／又は動的スロットフォーマット指示シグナリングであり、
ここで、前記半静的上り下り構成シグナリングがスロットフォーマットを構成するために使用され、前記スロットフォーマットがスロットにおいて各時間領域シンボルに対応する伝送方向を含み、前記伝送方向が、上り伝送、下り伝送、又はフレキシブル伝送であり、
前記動的スロットフォーマット指示シグナリングがスロットフォーマットを示すために使用され、前記スロットフォーマットがスロットにおいて各時間領域シンボルに対応する伝送方向を含み、前記伝送方向が、上り伝送、下り伝送、又はフレキシブル伝送である。
【０１７５】
ある実施例において、前記半静的上り下り構成シグナリングがＲＲＣシグナリング、又はＳＩであり、
前記動的スロットフォーマット指示シグナリングがグループ共通下り制御チャネルである。
【０１７６】
ある実施例において、前記第１の構成シグナリングがマルチスロット動的スケジューリングシグナリングであり、
ここで、前記マルチスロット動的スケジューリングシグナリングがＤＣＩ及び／又はＭＡＣ ＣＥである。
【０１７７】
図６に示したデータ伝送装置の各ユニットの実現機能は、上記データ伝送方法の説明を参酌して理解されるべきである。図６に示すデータ伝送装置における各ユニットの機能は、プロセッサ上で動作するプログラムによって実現されてもよいし、具体的な論理回路によって実現されてもよい。
【０１７８】
図７は本発明の実施例におけるデータ伝送装置の構成図二であり、図７に示すように、前記装置は、第１の受信ユニット７０１と、第１の決定ユニット７０２と、第３の受信ユニット７０３と、第３の決定ユニット７０４と、伝送ユニット７０５とを備え、
第１の受信ユニット７０１は、第１の構成シグナリングを受信するように構成され、
第１の決定ユニット７０２は、前記第１の構成シグナリングに基づいて、第１のデータが第１のスロットに占用する第１のリソースを決定するように構成され、ここで、前記第１の構成シグナリングが前記第１のスロットを含むＮ個のスロット内のデータをスケジューリングし、Ｎが１より大きい整数であり、
第３の受信ユニット７０３は、第３の構成シグナリングを受信するように構成され、
第３の決定ユニット７０４は、前記第３の構成シグナリングに基づいて、第２のデータが前記第１のスロットに占用する第２のリソースを決定するように構成され、
伝送ユニット７０５は、前記第１のスロットにおいて前記第２のリソースと前記第１のリソースとがリソース重複部分を有する場合、予め設定されたポリシーに基づいて前記第１のスロットにおいて伝送するデータを決定するように構成される。
【０１７９】
ある実施例において、前記第１のスロットにおいて前記第２のリソースと前記第１のリソースとがリソース重複部分を有することは、
前記第１のスロットにおいて、前記第２のリソースの少なくとも１つの時間領域シンボルが前記第１のリソースに位置することを含む。
【０１８０】
ある実施例において、前記第１の構成シグナリングがマルチスロット動的スケジューリングシグナリングであり、
ここで、前記マルチスロット動的スケジューリングシグナリングがＤＣＩ及び／又はＭＡＣ ＣＥである。
【０１８１】
ある実施例において、前記第３の構成シグナリングが単一スロット動的スケジューリングシグナリングであり、前記単一スロット動的スケジューリングシグナリングは、前記第２のデータが前記第１のスロットに占用する第２のリソースを示し、
ここで、前記単一スロット動的スケジューリングシグナリングがＤＣＩ及び／又はＭＡＣ ＣＥである。
【０１８２】
ある実施例において、前記伝送ユニット７０５は、前記第１のスロットにおいて前記第２のデータを伝送するように構成される。
【０１８３】
ある実施例において、前記第３の構成シグナリングがＵＥ専用ＲＲＣシグナリングである。
【０１８４】
ある実施例において、前記伝送ユニット７０５は、前記第１のスロットにおいて前記第１のデータを伝送するように構成される。
【０１８５】
ある実施例において、前記第３の構成シグナリングがセル専用ＲＲＣシグナリングである。
【０１８６】
ある実施例において、前記伝送ユニット７０５は、前記第１のスロットにおいて前記第２のデータを伝送するように構成される。
【０１８７】
ある実施例において、前記伝送ユニット７０５は、前記第２のデータのタイプが上りデータである場合、前記第１のスロットにおいて前記第２のデータを送信し、前記第２のデータのタイプが下りデータである場合、前記第１のスロットにおいて前記第２のデータを受信するように構成される。
【０１８８】
ある実施例において、前記伝送ユニット７０５は、前記第１のデータのタイプが上りデータである場合、前記第１のスロットにおいて前記第１のデータを送信し、前記第１のデータのタイプが下りデータである場合、前記第１のスロットにおいて前記第１のデータを受信するように構成される。
【０１８９】
図７に示したデータ伝送装置の各ユニットの実現機能は、上記データ伝送方法の説明を参酌して理解されるべきである。図７に示すデータ伝送装置における各ユニットの機能は、プロセッサ上で動作するプログラムによって実現されてもよいし、具体的な論理回路によって実現されてもよい。
【０１９０】
図８は本発明の実施例におけるデータ伝送装置の構成図三であり、図８に示すように、前記装置は、第１の構成ユニット８０１と、第２の構成ユニット８０２と、伝送ユニット８０３とを備え、
第１の構成ユニット８０１は、第１の構成シグナリングを構成して送信するように構成され、前記第１の構成シグナリングは、第１のデータが第１のスロットに第１のリソースを占用するように指示し、ここで、前記第１のデータの上り下りタイプが前記第１のリソースに対応する伝送方向を示し、前記第１のリソースが少なくとも１つの時間領域シンボルを含み、前記第１の構成シグナリングが前記第１のスロットを含むＮ個のスロット内のデータをスケジューリングし、Ｎが１より大きい整数であり、
第２の構成ユニット８０２は、第２の構成シグナリングを構成して送信するように構成され、前記第２の構成シグナリングは、前記第１のスロットの各時間領域シンボルに対応する伝送方向を示し、
伝送ユニット８０３は、前記第１のスロットにおいて前記第１の構成シグナリングに基づいて決定された前記第１のリソースの伝送方向が前記第２の構成シグナリングに基づいて決定された前記第１のリソースの伝送方向と異なる場合、前記第１のスロットにおいて前記第１のデータを伝送しないように構成される。
【０１９１】
ある実施例において、前記第１のスロットにおいて前記第１の構成シグナリングに基づいて決定された前記第１のリソースの伝送方向が前記第２の構成シグナリングに基づいて決定された前記第１のリソースの伝送方向と異なることは、
前記第１のスロットにおいて、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることを含む。
【０１９２】
ある実施例において、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることは、
前記第１の構成シグナリングに基づいて決定された前記第１のリソースの少なくとも１つの時間領域シンボルの伝送方向が上り伝送であり、前記第２の構成シグナリングに基づいて決定された前記少なくとも１つの時間領域シンボルの伝送方向が下り伝送であり、又は、
前記第１の構成シグナリングに基づいて決定された前記第１のリソースの少なくとも１つの時間領域シンボルの伝送方向が下り伝送であり、前記第２の構成シグナリングに基づいて決定された前記少なくとも１つの時間領域シンボルの伝送方向が上り伝送である。
【０１９３】
ある実施例において、前記伝送ユニット８０３は、前記第１のデータのタイプが上りデータである場合、前記第１のスロットにおいて前記上りデータを受信しなく、前記第１のデータのタイプが下りデータである場合、前記第１のスロットにおいて前記下りデータを送信しないように構成される。
【０１９４】
ある実施例において、前記第２の構成シグナリングが半静的上り下り構成シグナリング及び／又は動的スロットフォーマット指示シグナリングであり、
ここで、前記半静的上り下り構成シグナリングがスロットフォーマットを構成するために使用され、前記スロットフォーマットがスロットにおいて各時間領域シンボルに対応する伝送方向を含み、前記伝送方向が、上り伝送、下り伝送、又はフレキシブル伝送であり、
前記動的スロットフォーマット指示シグナリングがスロットフォーマットを示すために使用され、前記スロットフォーマットがスロットにおいて各時間領域シンボルに対応する伝送方向を含み、前記伝送方向が、上り伝送、下り伝送、又はフレキシブル伝送である。
【０１９５】
ある実施例において、前記半静的上り下り構成シグナリングがＲＲＣシグナリング、又はＳＩであり、
前記動的スロットフォーマット指示シグナリングがグループ共通下り制御チャネルである。
【０１９６】
ある実施例において、前記第１の構成シグナリングがマルチスロット動的スケジューリングシグナリングであり、
ここで、前記マルチスロット動的スケジューリングシグナリングがＤＣＩ及び／又はＭＡＣ ＣＥである。
【０１９７】
図８に示したデータ伝送装置の各ユニットの実現機能は、上記データ伝送方法の説明を参酌して理解されるべきである。図８に示すデータ伝送装置における各ユニットの機能は、プロセッサ上で動作するプログラムによって実現されてもよいし、具体的な論理回路によって実現されてもよい。
【０１９８】
図９は本発明の実施例におけるデータ伝送装置の構成図四であり、図９に示すように、前記装置は、第１の構成ユニット９０１と、第３の構成ユニット９０２と、伝送ユニット９０３とを備え、
第１の構成ユニット９０１は、第１の構成シグナリングを構成して送信するように構成され、前記第１の構成シグナリングは、第１のデータが第１のスロットに第１のリソースを占用するように指示し、ここで、前記第１の構成シグナリングが前記第１のスロットを含むＮ個のスロット内のデータをスケジューリングし、Ｎが１より大きい整数であり、
第３の構成ユニット９０２は、第３の構成シグナリングを構成して送信するように構成され、前記第３の構成シグナリングは、第２のデータが前記第１のスロットに第２のリソースを占用するように指示し、
伝送ユニット９０３は、前記第１のスロットにおいて前記第２のリソースと前記第１のリソースとがリソース重複部分を有する場合、予め設定されたポリシーに基づいて前記第１のスロットにおいて伝送するデータを決定するように構成される。
【０１９９】
ある実施例において、前記第１のスロットにおいて前記第２のリソースと前記第１のリソースとがリソース重複部分を有することは、
前記第１のスロットにおいて、前記第２のリソースの少なくとも１つの時間領域シンボルが前記第１のリソースに位置することを含む。
【０２００】
ある実施例において、前記第１の構成シグナリングがマルチスロット動的スケジューリングシグナリングであり、
ここで、前記マルチスロット動的スケジューリングシグナリングがＤＣＩ及び／又はＭＡＣ ＣＥである。
【０２０１】
ある実施例において、前記第３の構成シグナリングが単一スロット動的スケジューリングシグナリングであり、前記単一スロット動的スケジューリングシグナリングは、前記第２のデータが前記第１のスロットに占用する第２のリソースを示し、
ここで、前記単一スロット動的スケジューリングシグナリングがＤＣＩ及び／又はＭＡＣ ＣＥである。
【０２０２】
ある実施例において、前記伝送ユニット９０３は、前記第１のスロットにおいて前記第２のデータを伝送するように構成される。
【０２０３】
ある実施例において、前記第３の構成シグナリングがＵＥ専用ＲＲＣシグナリングである。
【０２０４】
ある実施例において、前記伝送ユニット９０３は、前記第１のスロットにおいて前記第１のデータを伝送するように構成される。
【０２０５】
ある実施例において、前記第３の構成シグナリングがセル専用ＲＲＣシグナリングである。
【０２０６】
ある実施例において、前記伝送ユニット９０３は、前記第１のスロットにおいて前記第２のデータを伝送するように構成される。
【０２０７】
ある実施例において、前記伝送ユニット９０３は、前記第２のデータのタイプが上りデータである場合、前記第１のスロットにおいて前記第２のデータを受信し、前記第２のデータのタイプが下りデータである場合、前記第１のスロットにおいて前記第２のデータを送信するように構成される。
【０２０８】
ある実施例において、前記伝送ユニット９０３は、前記第１のデータのタイプが上りデータである場合、前記第１のスロットにおいて前記第１のデータを受信し、前記第１のデータのタイプが下りデータである場合、前記第１のスロットにおいて前記第１のデータを送信するように構成される。
【０２０９】
図９に示したデータ伝送装置の各ユニットの実現機能は、上記データ伝送方法の説明を参酌して理解されるべきである。図９に示すデータ伝送装置における各ユニットの機能は、プロセッサ上で動作するプログラムによって実現されてもよいし、具体的な論理回路によって実現されてもよい。
【０２１０】
本発明の実施例に係る上記データ転送装置は、ソフトウェア機能ブロックの形で実現され、独立した製品として販売または使用される場合には、コンピュータ読み取り可能な記憶媒体に記憶されてもよい。このような理解に基づいて、本発明の実施例の技術的解決策の本質または従来技術に寄与する部分は、本発明の様々な実施例による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、U字ディスク、リムーバブルハードディスク、リードオンリーメモリ( ＲＯＭ、Ｒｅａｄ Ｏｎｌｙ Ｍｅｍｏｒｙ )、磁気ディスク、光ディスク等のプログラムコードを記憶できる種々の媒体を用いることができる。このように、本発明の実施例は、ハードウェアとソフトウェアのいかなる組み合わせにも限定されない。
【０２１１】
従って、本発明の実施例は、プロセッサによって実行されたときに本発明の実施例の上述のデータ伝送方法を実現するコンピュータ実行可能命令を記憶したコンピュータ記憶媒体をさらに提供する。
【０２１２】
図１０は、本発明の実施例に係るコンピュータデバイスの構成を示す図であり、このコンピュータデバイスは端末であってもネットワーク装置であってもよい。図１０に示すように、コンピュータデバイス１００は、１つ又は複数の(図面には１つのみ示す)プロセッサ１００２ (プロセッサ１００２は、マイクロプロセッサ( ＭＣＵ、Ｍｉｃｒｏ Ｃｏｎｔｒｏｌｌｅｒ Ｕｎｉｔ )又はプログラマブルロジックデバイス( ＦＰＧＡ、Ｆｉｅｌｄ Ｐｒｏｇｒａｍｍａｂｌｅ Ｇａｔｅ Ａｒｒａｙ )等の処理装置を含み得るが、これらに限定されない)、データを記憶するためのメモリ１００４、及び通信機能のための伝送装置１００６を含み得る。図１０に示す構成は、例示であり、上述した電子装置の構成に限定されないことは、当業者に理解されるところである。例えば、コンピュータデバイス１００は、図１０に示された構成よりも多いか少ない構成要素をさらに含んでもよく、又は図１０に示された構成とは異なる構成を有してもよい。
【０２１３】
メモリ１００４は、本発明の実施例における方法に対応するプログラム命令/モジュールのような、アプリケーションのソフトウェアプログラム及びモジュールを格納するために使用されてもよく、プロセッサ１００２は、メモリ１００４に格納されたソフトウェアプログラム及びモジュールを実行することによって、様々な機能アプリケーション及びデータ処理を実行し、すなわち、上記の方法を実現する。メモリ１００４は、高速ランダムアクセスメモリを含んでもよく、１つ以上の磁気記憶デバイス、フラッシュメモリ、または他の不揮発性ソリッドステートメモリなどの不揮発性メモリを含んでもよい。いくつかの例では、メモリ１００４は、プロセッサ１００２に対してリモートに配置されたメモリをさらに含んでもよく、メモリは、ネットワークを介してコンピュータデバイス１００に接続されてもよい。上記ネットワークの例としては、インターネット、イントラネット、ローカルエリアネットワーク、移動体通信ネットワーク、及びこれらの組み合わせが挙げられるが、これらに限定されない。
【０２１４】
伝送装置１００６は、ネットワークを介してデータを送受信するための装置である。上記のネットワークの具体例は、コンピュータデバイス１００の通信プロバイダが提供する無線ネットワークを含んでもよい。一例において、伝送装置１００６は、インターネットと通信可能に基地局を介して他のネットワークデバイスに接続可能なネットワークアダプタ( ＮＩＣ、Ｎｅｔｗｏｒｋ Ｉｎｔｅｒｆａｃｅ Ｃｏｎｔｒｏｌｌｅｒ )を含む。一例では、伝送装置１００６は、無線方式でインターネットと通信するための無線周波数( ＲＦ、Ｒａｄｉｏ Ｆｒｅｑｕｅｎｃｙ )モジュールであり得る。
【０２１５】
本発明の実施例に記載した技術的手段は、矛盾なき限り、任意に組み合わせることができる。
【０２１６】
本発明によって提供されるいくつかの実施例において、開示される方法およびスマートデバイスは、他の方法で実現されてもよいことが理解されるべきである。なお、以上の装置の実施例はあくまでも一例であり、例えば、装置の分割、論理的機能の分割などは、実際の実施に際しては、これら複数の装置や構成要素を組み合わせたり、他のシステムに統合したり、あるいは、一部の構成要素を省略したり、省略したりすることが可能である。さらに、図示又は説明された構成要素は、電気的、機械的、又は他の形態の、いくつかのインターフェース、装置又はユニットを介した、互いに、又は直接的に、又は通信的に、間接的な結合又は通信的な接続を有し得る。
【０２１７】
上記分離手段として説明したユニットは、物理的に分離していても、あるいは分離していなくてもよく、ユニットとして表示されるユニットは、物理的ユニットであっても、あるいは物理的ユニットでなくてもよく、すなわち一箇所にあっても、複数のネットワークユニットに分散していてもよく、また、本実施例の目的を達成する手段の一部又は全部を、必要に応じて選択することができる。
【０２１８】
また、本発明の各実施例における各機能部は、全てが１つの第２の処理部に集積されてもよいし、各部がそれぞれ単独で１つのユニットとして構成されてもよいし、２つ以上のユニットが１つのユニットに集積されてもよい；上記の統合されたユニットは、ハードウェアの形態で実現されてもよいし、ハードウェア及びソフトウェア機能ユニットの形態で実現されてもよい。
【０２１９】
以上、本発明の具体的な実施例について説明したが、本発明の技術的範囲はこれに限定されるものではなく、本発明が属する技術分野で通常の知識を有する者であれば、本発明の技術的範囲内で容易に変更や置換をなし得ることは自明である。
【図１】
2021513759.tif 000003
【図２】
2021513759.tif 000004
【図３】
2021513759.tif 000005
【図４】
2021513759.tif 000006
【図５】
2021513759.tif 000007
【図６】
2021513759.tif 000008
【図７】
2021513759.tif 000009
【図８】
2021513759.tif 000010
【図９】
2021513759.tif 000011
【図１０】
2021513759.tif 000012
【手続補正書】
【提出日】令和2年11月26日(2020.11.26)
【手続補正１】
【補正対象書類名】明細書
【補正対象項目名】全文
【補正方法】変更
【補正の内容】
【発明の詳細な説明】
【技術分野】
【０００１】
本発明は、無線通信技術分野に関し、特に、データ伝送方法、装置及びコンピュータ記憶媒体に関する。
【背景技術】
【０００２】
次世代無線通信( ＮＲ、Ｎｅｗ Ｒａｄｉｏ )システムでは、１４個の直交周波数分割多重( Ｏｒｔｈｏｇｏｎａｌ Ｆｒｅｑｕｅｎｃｙ Ｄｉｖｉｓｉｏｎ Ｍｕｌｔｉｐｌｅｘｉｎｇ )シンボルを含むスロットまたはシンボルをスケジューリング単位としている。ＮＲシステムのフレーム構造は、柔軟に変化され、１スロットにおいて、下り( ＤＬ、Ｄｏｗｎ Ｌｉｎｋ )シンボル、上り( ＵＬ、Ｕｐ Ｌｉｎｋ )シンボル、およびフレキシブルシンボル（ｆｌｅｘｉｂｌｅ ｓｙｍｂｏｌ）があり、ここで、フレキシブルシンボルが未知のシンボル( ｕｎｋｎｏｗｎ ｓｙｍｂｏｌ )とも呼ばれ、フレキシブルシンボルがシグナリングによってＤＬ伝送またはＵＬ伝送のために上書きされ得る。
【０００３】
ＮＲシステムでは、基地局は、スロットにおけるあるシンボルの伝送方向を複数の態様で表示または暗黙的に指示することができ、また、スロットにおけるリソースの占用状況を複数の態様で指示することもできる。マルチスロット動的スケジューリングシグナリングの場合、１つの下り制御シグナリングＤＣＩは、複数のスロット( ｍｕｌｔｉ−ｓｌｏｔ )のデータ伝送をスケジューリングすることができ、マルチスロット動的スケジューリングシグナリングスケジューリングによるマルチスロットのデータ伝送のうちのあるスロットのデータ伝送方向が他のシグナリングにより構成されたデータ伝送方向と反対であるか、またはリソース重複する場合、どのようにデータ伝送を行うかが問題となる。 
【発明の概要】
【０００４】
本発明の実施例は、上記の課題を解決するために、データ伝送方法、装置及びコンピュータ記憶媒体を提供する。
【０００５】
本発明の実施例におけるデータ伝送方法は、
端末が第１の構成シグナリングを受信し、前記第１の構成シグナリングが第１のスロットにおいて第１のデータが占用する第１のリソースを決定することと、
前記端末が第２の構成シグナリングを受信し、前記第２の構成シグナリングに基づいて、前記第１のスロットにおいて各時間領域シンボルに対応する伝送方向を決定することと、
前記第２のリソースにおける少なくとも１つ時間領域シンボルが第１のスロットの前記第１のリソースに位置する場合、前記端末が予め設定されたポリシーに基づいて前記第１のスロットにおいて伝送するデータを決定することとを含み、ここで、前記第１の構成シグナリングが前記第１のスロットを含むＮ個のスロット内のデータをスケジューリングし、Ｎが１より大きい整数である。
【０００６】
本発明の実施例において、
前記端末が予め設定されたポリシーに基づいて前記第１のスロットにおいて伝送するデータを決定することは、
前記端末が前記第１のスロットにおいて前記第１のデータを伝送することを含み、前記第１のスロットは、第２のデータの伝送に使用されず、
又は、
前記端末が前記第１のスロットにおいて前記第２のデータを伝送することを含み、前記第１のスロットは、第１のデータの伝送に使用されない。
【０００７】
本発明の実施例において、
前記端末が前記第１のスロットにおいて前記第１のデータを伝送することは、
前記第１のデータのタイプが上りデータである場合、前記端末が前記第１のスロットにおいて前記第１のデータを送信することと、
前記第１のデータのタイプが下りデータである場合、前記端末が前記第１のスロットにおいて前記第１のデータを受信することとを含む。
【０００８】
本発明の実施例において、
前記端末が前記第１のスロットにおいて前記第２のデータを伝送することは、
前記第２のデータのタイプが上りデータである場合、前記端末が前記第１のスロットにおいて前記第２のデータを送信することと、
前記第２のデータのタイプが下りデータである場合、前記端末が前記第１のスロットにおいて前記第２のデータを受信することとを含む。
【０００９】
本発明の実施例において、前記第１の構成シグナリングがマルチスロット動的スケジューリングシグナリングであり、
ここで、前記マルチスロット動的スケジューリングシグナリングは、下り制御情報（ＤＣＩ、Ｄｏｗｎｌｉｎｋ Ｃｏｎｔｒｏｌ Ｉｎｆｏｒｍａｔｉｏｎ）及び／又はメディアアクセス制御（ＭＡＣ、Ｍｅｄｉａ Ａｃｃｅｓｓ Ｃｏｎｔｒｏｌ）制御要素（ＣＥ、Ｃｏｎｔｒｏｌ Ｅｌｅｍｅｎｔ）である。
【００１０】
本発明の実施例において、前記第３の構成シグナリングがＵＥ専用ＲＲＣシグナリング又はセル専用ＲＲＣシグナリングである
本発明の実施例におけるデータ伝送方法は、
端末が第１の構成シグナリングを受信し、前記第１の構成シグナリングに基づいて、第１のスロットにおいて第１のデータが占用する第１のリソースを決定することと、
前記端末が第３の構成シグナリングを受信し、前記第３の構成シグナリングに基づいて第２のデータが前記第１のスロットに占用する第２のリソースを決定することと、
前記第１のスロットにおいて前記第２のリソースと前記第１のリソースとがリソース重複部分を有する場合、前記端末が予め設定されたポリシーに基づいて前記第１のスロットにおいて伝送するデータを決定することとを含み、
ここで、前記第１の構成シグナリングが前記第１のスロットを含むＮ個のスロット内のデータをスケジューリングし、Ｎが１より大きい整数である。
【００１１】
本発明の実施例において、前記第１のスロットにおいて前記第２のリソースと前記第１のリソースとがリソース重複部分を有することは、
前記第１のスロットにおいて、前記第２のリソースの少なくとも１つの時間領域シンボルが前記第１のリソースに位置することを含む。
【００１２】
本発明の実施例において、前記第１の構成シグナリングがマルチスロット動的スケジューリングシグナリングであり、
ここで、前記マルチスロット動的スケジューリングシグナリングがＤＣＩ及び／又はＭＡＣ ＣＥである。
【００１３】
本発明の実施例において、前記第３の構成シグナリングが単一スロット動的スケジューリングシグナリングであり、前記単一スロット動的スケジューリングシグナリングは、前記第２のデータが前記第１のスロットに占用する第２のリソースを示し、
ここで、前記単一スロット動的スケジューリングシグナリングがＤＣＩ及び／又はＭＡＣ ＣＥである。
【００１４】
本発明の実施例において、前記端末が予め設定されたポリシーに基づいて前記第１のスロットにおいて伝送するデータを決定することは、
前記端末が前記第１のスロットにおいて前記第２のデータを伝送することを含む。
【００１５】
本発明の実施例において、前記第３の構成シグナリングがＵＥ専用ＲＲＣシグナリングである。
【００１６】
本発明の実施例において、前記端末が予め設定されたポリシーに基づいて前記第１のスロットにおいて伝送するデータを決定することは、
前記端末が前記第１のスロットにおいて前記第１のデータを伝送することを含む。
【００１７】
本発明の実施例において、前記第３の構成シグナリングがセル専用ＲＲＣシグナリングである。
【００１８】
本発明の実施例において、前記端末が予め設定されたポリシーに基づいて前記第１のスロットにおいて伝送するデータを決定することは、
前記端末が前記第１のスロットにおいて前記第２のデータを伝送することを含む。
【００１９】
本発明の実施例において、前記端末が前記第１のスロットにおいて前記第２のデータを伝送することは、
前記第２のデータのタイプが上りデータである場合、前記端末が前記第１のスロットにおいて前記第２のデータを送信することと、
前記第２のデータのタイプが下りデータである場合、前記端末が前記第１のスロットにおいて前記第２のデータを受信することとを含む。
【００２０】
本発明の実施例において、前記端末が前記第１のスロットにおいて前記第１のデータを伝送することは、
前記第１のデータのタイプが上りデータである場合、前記端末が前記第１のスロットにおいて前記第１のデータを送信することと、
前記第１のデータのタイプが下りデータである場合、前記端末が前記第１のスロットにおいて前記第１のデータを受信することとを含む。
【００２１】
本発明の実施例におけるデータ伝送方法は、
ネットワークデバイスが第１の構成シグナリングを構成して送信することと、
前記ネットワークデバイスが第２の構成シグナリングを構成して送信することと、
前記第１のスロットにおいて前記第１の構成シグナリングに基づいて決定された前記第１のリソースの伝送方向が前記第２の構成シグナリングに基づいて決定された前記第１のリソースの伝送方向と異なる場合、前記ネットワークデバイスが前記第１のスロットにおいて前記第１のデータを伝送しないこととを含み、
前記第１の構成シグナリングは、第１のデータが第１のスロットに第１のリソースを占用するように指示し、ここで、前記第１のデータの上り下りタイプが前記第１のリソースに対応する伝送方向を示し、前記第１のリソースが少なくとも１つの時間領域シンボルを含み、前記第１の構成シグナリングが前記第１のスロットを含むＮ個のスロット内のデータをスケジューリングし、Ｎが１より大きい整数であり、前記第２の構成シグナリングは、前記第１のスロットの各時間領域シンボルに対応する伝送方向を示す。
【００２２】
本発明の実施例において、前記第１のスロットにおいて前記第１の構成シグナリングに基づいて決定された前記第１のリソースの伝送方向が前記第２の構成シグナリングに基づいて決定された前記第１のリソースの伝送方向と異なることは、
前記第１のスロットにおいて、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることを含む。
【００２３】
本発明の実施例において、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることは、
前記第１の構成シグナリングに基づいて決定された前記第１のリソースの少なくとも１つの時間領域シンボルの伝送方向が上り伝送であり、前記第２の構成シグナリングに基づいて決定された前記少なくとも１つの時間領域シンボルの伝送方向が下り伝送であり、又は、
前記第１の構成シグナリングに基づいて決定された前記第１のリソースの少なくとも１つの時間領域シンボルの伝送方向が下り伝送であり、前記第２の構成シグナリングに基づいて決定された前記少なくとも１つの時間領域シンボルの伝送方向が上り伝送である。
【００２４】
本発明の実施例において、前記ネットワークデバイスが前記第１のスロットにおいて前記第１のデータを伝送しないことは、
前記第１のデータのタイプが上りデータである場合、前記ネットワークデバイスが前記第１のスロットにおいて前記上りデータを受信しないこと、
前記第１のデータのタイプが下りデータである場合、前記ネットワークデバイスが前記第１のスロットにおいて前記下りデータを送信しないことを含む。
【００２５】
本発明の実施例において、前記第２の構成シグナリングが半静的上り下り構成シグナリング及び／又は動的スロットフォーマット指示シグナリングであり、
ここで、前記半静的上り下り構成シグナリングがスロットフォーマットを構成するために使用され、前記スロットフォーマットがスロットにおいて各時間領域シンボルに対応する伝送方向を含み、前記伝送方向が、上り伝送、下り伝送、又はフレキシブル伝送であり、
前記動的スロットフォーマット指示シグナリングがスロットフォーマットを示すために使用され、前記スロットフォーマットがスロットにおいて各時間領域シンボルに対応する伝送方向を含み、前記伝送方向が、上り伝送、下り伝送、又はフレキシブル伝送である。
【００２６】
本発明の実施例において、前記半静的上り下り構成シグナリングがＲＲＣシグナリング、又はＳＩであり、
前記動的スロットフォーマット指示シグナリングがグループ共通下り制御チャネルである。
【００２７】
本発明の実施例において、前記第１の構成シグナリングがマルチスロット動的スケジューリングシグナリングであり、
ここで、前記マルチスロット動的スケジューリングシグナリングがＤＣＩ及び／又はＭＡＣ ＣＥである。
【００２８】
本発明の実施例におけるデータ伝送方法は、
ネットワークデバイスが第１の構成シグナリングを構成して送信することと、
前記ネットワークデバイスが第３の構成シグナリングを構成して送信することと、
前記第１のスロットにおいて前記第２のリソースと前記第１のリソースとがリソース重複部分を有する場合、前記ネットワークデバイスが予め設定されたポリシーに基づいて前記第１のスロットにおいて伝送するデータを決定することとを含み、
前記第１の構成シグナリングは、第１のデータが第１のスロットに第１のリソースを占用するように指示し、ここで、前記第１の構成シグナリングが前記第１のスロットを含むＮ個のスロット内のデータをスケジューリングし、Ｎが１より大きい整数であり、前記第３の構成シグナリングは、第２のデータが前記第１のスロットに第２のリソースを占用するように指示す。
【００２９】
本発明の実施例において、前記第１のスロットにおいて前記第２のリソースと前記第１のリソースとがリソース重複部分を有することは、
前記第１のスロットにおいて、前記第２のリソースの少なくとも１つの時間領域シンボルが前記第１のリソースに位置することを含む。
【００３０】
本発明の実施例において、前記第１の構成シグナリングがマルチスロット動的スケジューリングシグナリングであり、
ここで、前記マルチスロット動的スケジューリングシグナリングがＤＣＩ及び／又はＭＡＣ ＣＥである。
【００３１】
本発明の実施例において、前記第３の構成シグナリングが単一スロット動的スケジューリングシグナリングであり、前記単一スロット動的スケジューリングシグナリングは、前記第２のデータが前記第１のスロットに占用する第２のリソースを示し、
ここで、前記単一スロット動的スケジューリングシグナリングがＤＣＩ及び／又はＭＡＣ ＣＥである。
【００３２】
本発明の実施例において、前記ネットワークデバイスが予め設定されたポリシーに基づいて前記第１のスロットにおいて伝送するデータを決定することは、
前記ネットワークデバイスが前記第１のスロットにおいて前記第２のデータを伝送することを含む。
【００３３】
本発明の実施例において、前記第３の構成シグナリングがＵＥ専用ＲＲＣシグナリングである。
【００３４】
本発明の実施例において、前記ネットワークデバイスが予め設定されたポリシーに基づいて前記第１のスロットにおいて伝送するデータを決定することは、
前記ネットワークデバイスが前記第１のスロットにおいて前記第１のデータを伝送することを含む。
【００３５】
本発明の実施例において、前記第３の構成シグナリングがセル専用ＲＲＣシグナリングである。
【００３６】
本発明の実施例において、前記ネットワークデバイスが予め設定されたポリシーに基づいて前記第１のスロットにおいて伝送するデータを決定することは、
前記ネットワークデバイスが前記第１のスロットにおいて前記第２のデータを伝送することを含む。
【００３７】
本発明の実施例において、前記ネットワークデバイスが前記第１のスロットにおいて前記第２のデータを伝送することは、
前記第２のデータのタイプが上りデータである場合、前記ネットワークデバイスが前記第１のスロットにおいて前記第２のデータを受信することと、
前記第２のデータのタイプが下りデータである場合、前記ネットワークデバイスが前記第１のスロットにおいて前記第２のデータを送信することとを含む。
【００３８】
本発明の実施例において、前記ネットワークデバイスが前記第１のスロットにおいて前記第１のデータを伝送することは、
前記第１のデータのタイプが上りデータである場合、前記ネットワークデバイスが前記第１のスロットにおいて前記第１のデータを受信することと、
前記第１のデータのタイプが下りデータである場合、前記ネットワークデバイスが前記第１のスロットにおいて前記第１のデータを送信することとを含む。
【００３９】
本発明の実施例におけるデータ伝送装置は、第１の受信ユニットと、第１の決定ユニットと、第２の受信ユニットと、第２の決定ユニットと、伝送ユニットとを備え、
第１の受信ユニットは、第１の構成シグナリングを受信するように構成され、
第１の決定ユニットは、前記第１の構成シグナリングに基づいて、第１のデータが第１のスロットに占用する第１のリソースを決定するように構成され、ここで、前記第１のデータの上り下りタイプが前記第１のリソースに対応する伝送方向を示し、前記第１のリソースが少なくとも１つの時間領域シンボルを含み、前記第１の構成シグナリングが前記第１のスロットを含むＮ個のスロット内のデータをスケジューリングし、Ｎが１より大きい整数であり、
第２の受信ユニットは、第２の構成シグナリングを受信するように構成され、
第２の決定ユニットは、前記第２の構成シグナリングに基づいて、前記第１のスロットにおいて各時間領域シンボルに対応する伝送方向を決定するように構成され、
伝送ユニットは、前記第１のスロットにおいて前記第１の構成シグナリングに基づいて決定された前記第１のリソースの伝送方向が前記第２の構成シグナリングに基づいて決定された前記第１のリソースの伝送方向と異なる場合、前記端末が前記第１のスロットにおいて前記第１のデータを伝送しないように構成される。
【００４０】
本発明の実施例において、前記第１のスロットにおいて前記第１の構成シグナリングに基づいて決定された前記第１のリソースの伝送方向が前記第２の構成シグナリングに基づいて決定された前記第１のリソースの伝送方向と異なることは、
前記第１のスロットにおいて、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることを含む。
【００４１】
本発明の実施例において、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることは、
前記第１の構成シグナリングに基づいて決定された前記第１のリソースの少なくとも１つの時間領域シンボルの伝送方向が上り伝送であり、前記第２の構成シグナリングに基づいて決定された前記少なくとも１つの時間領域シンボルの伝送方向が下り伝送であり、又は、
前記第１の構成シグナリングに基づいて決定された前記第１のリソースの少なくとも１つの時間領域シンボルの伝送方向が下り伝送であり、前記第２の構成シグナリングに基づいて決定された前記少なくとも１つの時間領域シンボルの伝送方向が上り伝送である。
【００４２】
本発明の実施例において、前記伝送ユニットは、前記第１のデータのタイプが上りデータである場合、前記端末が前記第１のスロットにおいて前記上りデータを送信しなく、前記第１のデータのタイプが下りデータである場合、前記端末が前記第１のスロットにおいて前記下りデータを受信しないように構成される。
【００４３】
本発明の実施例において、前記第２の構成シグナリングが半静的上り下り構成シグナリング及び／又は動的スロットフォーマット指示シグナリングであり、
ここで、前記半静的上り下り構成シグナリングがスロットフォーマットを構成するために使用され、前記スロットフォーマットがスロットにおいて各時間領域シンボルに対応する伝送方向を含み、前記伝送方向が、上り伝送、下り伝送、又はフレキシブル伝送であり、
前記動的スロットフォーマット指示シグナリングがスロットフォーマットを示すために使用され、前記スロットフォーマットがスロットにおいて各時間領域シンボルに対応する伝送方向を含み、前記伝送方向が、上り伝送、下り伝送、又はフレキシブル伝送である。
【００４４】
本発明の実施例において、前記半静的上り下り構成シグナリングがＲＲＣシグナリング、又はＳＩであり、
前記動的スロットフォーマット指示シグナリングがグループ共通下り制御チャネルである。
【００４５】
本発明の実施例において、前記第１の構成シグナリングがマルチスロット動的スケジューリングシグナリングであり、
ここで、前記マルチスロット動的スケジューリングシグナリングがＤＣＩ及び／又はＭＡＣ ＣＥである。
【００４６】
本発明の実施例におけるデータ伝送装置は、第１の受信ユニットと、第１の決定ユニットと、第３の受信ユニットと、第３の決定ユニットと、伝送ユニットとを備え、
第１の受信ユニットは、第１の構成シグナリングを受信するように構成され、
第１の決定ユニットは、前記第１の構成シグナリングに基づいて、第１のデータが第１のスロットに占用する第１のリソースを決定するように構成され、ここで、前記第１の構成シグナリングが前記第１のスロットを含むＮ個のスロット内のデータをスケジューリングし、Ｎが１より大きい整数であり、
第３の受信ユニットは、第３の構成シグナリングを受信するように構成され、
第３の決定ユニットは、前記第３の構成シグナリングに基づいて、第２のデータが前記第１のスロットに占用する第２のリソースを決定するように構成され、
伝送ユニットは、前記第１のスロットにおいて前記第２のリソースと前記第１のリソースとがリソース重複部分を有する場合、予め設定されたポリシーに基づいて前記第１のスロットにおいて伝送するデータを決定するように構成される。
【００４７】
本発明の実施例において、前記第１のスロットにおいて前記第２のリソースと前記第１のリソースとがリソース重複部分を有することは、
前記第１のスロットにおいて、前記第２のリソースの少なくとも１つの時間領域シンボルが前記第１のリソースに位置することを含む。
【００４８】
本発明の実施例において、前記第１の構成シグナリングがマルチスロット動的スケジューリングシグナリングであり、
ここで、前記マルチスロット動的スケジューリングシグナリングがＤＣＩ及び／又はＭＡＣ ＣＥである。
【００４９】
本発明の実施例において、前記第３の構成シグナリングが単一スロット動的スケジューリングシグナリングであり、前記単一スロット動的スケジューリングシグナリングは、前記第２のデータが前記第１のスロットに占用する第２のリソースを示し、
ここで、前記単一スロット動的スケジューリングシグナリングがＤＣＩ及び／又はＭＡＣ ＣＥである。
【００５０】
本発明の実施例において、前記伝送ユニットは、前記第１のスロットにおいて前記第２のデータを伝送するように構成される。
【００５１】
本発明の実施例において、前記第３の構成シグナリングがＵＥ専用ＲＲＣシグナリングである。
【００５２】
本発明の実施例において、前記伝送ユニットは、前記第１のスロットにおいて前記第１のデータを伝送するように構成される。
【００５３】
本発明の実施例において、前記第３の構成シグナリングがセル専用ＲＲＣシグナリングである。
【００５４】
本発明の実施例において、前記伝送ユニットは、前記第１のスロットにおいて前記第２のデータを伝送するように構成される。
【００５５】
本発明の実施例において、前記伝送ユニットは、前記第２のデータのタイプが上りデータである場合、前記第１のスロットにおいて前記第２のデータを送信し、前記第２のデータのタイプが下りデータである場合、前記第１のスロットにおいて前記第２のデータを受信するように構成される。
【００５６】
本発明の実施例において、前記伝送ユニットは、前記第１のデータのタイプが上りデータである場合、前記第１のスロットにおいて前記第１のデータを送信し、前記第１のデータのタイプが下りデータである場合、前記第１のスロットにおいて前記第１のデータを受信するように構成される。
【００５７】
本発明の実施例におけるデータ伝送装置は、第１の構成ユニットと、第２の構成ユニットと、伝送ユニットとを備え、
第１の構成ユニットは、第１の構成シグナリングを構成して送信するように構成され、前記第１の構成シグナリングは、第１のデータが第１のスロットに第１のリソースを占用するように指示し、ここで、前記第１のデータの上り下りタイプが前記第１のリソースに対応する伝送方向を示し、前記第１のリソースが少なくとも１つの時間領域シンボルを含み、前記第１の構成シグナリングが前記第１のスロットを含むＮ個のスロット内のデータをスケジューリングし、Ｎが１より大きい整数であり、
第２の構成ユニットは、第２の構成シグナリングを構成して送信するように構成され、前記第２の構成シグナリングは、前記第１のスロットの各時間領域シンボルに対応する伝送方向を示し、
伝送ユニットは、前記第１のスロットにおいて前記第１の構成シグナリングに基づいて決定された前記第１のリソースの伝送方向が前記第２の構成シグナリングに基づいて決定された前記第１のリソースの伝送方向と異なる場合、前記第１のスロットにおいて前記第１のデータを伝送しないように構成される。
【００５８】
本発明の実施例において、前記第１のスロットにおいて前記第１の構成シグナリングに基づいて決定された前記第１のリソースの伝送方向が前記第２の構成シグナリングに基づいて決定された前記第１のリソースの伝送方向と異なることは、
前記第１のスロットにおいて、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることを含む。
【００５９】
本発明の実施例において、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることは、
前記第１の構成シグナリングに基づいて決定された前記第１のリソースの少なくとも１つの時間領域シンボルの伝送方向が上り伝送であり、前記第２の構成シグナリングに基づいて決定された前記少なくとも１つの時間領域シンボルの伝送方向が下り伝送であり、又は、
前記第１の構成シグナリングに基づいて決定された前記第１のリソースの少なくとも１つの時間領域シンボルの伝送方向が下り伝送であり、前記第２の構成シグナリングに基づいて決定された前記少なくとも１つの時間領域シンボルの伝送方向が上り伝送である。
【００６０】
本発明の実施例において、前記伝送ユニットは、前記第１のデータのタイプが上りデータである場合、前記第１のスロットにおいて前記上りデータを受信しなく、前記第１のデータのタイプが下りデータである場合、前記第１のスロットにおいて前記下りデータを送信しないように構成される。
【００６１】
本発明の実施例において、前記第２の構成シグナリングが半静的上り下り構成シグナリング及び／又は動的スロットフォーマット指示シグナリングであり、
ここで、前記半静的上り下り構成シグナリングがスロットフォーマットを構成するために使用され、前記スロットフォーマットがスロットにおいて各時間領域シンボルに対応する伝送方向を含み、前記伝送方向が、上り伝送、下り伝送、又はフレキシブル伝送であり、
前記動的スロットフォーマット指示シグナリングがスロットフォーマットを示すために使用され、前記スロットフォーマットがスロットにおいて各時間領域シンボルに対応する伝送方向を含み、前記伝送方向が、上り伝送、下り伝送、又はフレキシブル伝送である。
【００６２】
本発明の実施例において、前記半静的上り下り構成シグナリングがＲＲＣシグナリング、又はＳＩであり、
前記動的スロットフォーマット指示シグナリングがグループ共通下り制御チャネルである。
【００６３】
本発明の実施例において、前記第１の構成シグナリングがマルチスロット動的スケジューリングシグナリングであり、
ここで、前記マルチスロット動的スケジューリングシグナリングがＤＣＩ及び／又はＭＡＣ ＣＥである。
【００６４】
本発明の実施例におけるデータ伝送装置は、第１の構成ユニットと、第３の構成ユニットと、伝送ユニットとを備え、
第１の構成ユニットは、第１の構成シグナリングを構成して送信するように構成され、前記第１の構成シグナリングは、第１のデータが第１のスロットに第１のリソースを占用するように指示し、ここで、前記第１の構成シグナリングが前記第１のスロットを含むＮ個のスロット内のデータをスケジューリングし、Ｎが１より大きい整数であり、
第３の構成ユニットは、第３の構成シグナリングを構成して送信するように構成され、前記第３の構成シグナリングは、第２のデータが前記第１のスロットに第２のリソースを占用するように指示し、
伝送ユニットは、前記第１のスロットにおいて前記第２のリソースと前記第１のリソースとがリソース重複部分を有する場合、予め設定されたポリシーに基づいて前記第１のスロットにおいて伝送するデータを決定するように構成される。
【００６５】
本発明の実施例において、前記第１のスロットにおいて前記第２のリソースと前記第１のリソースとがリソース重複部分を有することは、
前記第１のスロットにおいて、前記第２のリソースの少なくとも１つの時間領域シンボルが前記第１のリソースに位置することを含む。
【００６６】
本発明の実施例において、前記第１の構成シグナリングがマルチスロット動的スケジューリングシグナリングであり、
ここで、前記マルチスロット動的スケジューリングシグナリングがＤＣＩ及び／又はＭＡＣ ＣＥである。
【００６７】
本発明の実施例において、前記第３の構成シグナリングが単一スロット動的スケジューリングシグナリングであり、前記単一スロット動的スケジューリングシグナリングは、前記第２のデータが前記第１のスロットに占用する第２のリソースを示し、
ここで、前記単一スロット動的スケジューリングシグナリングがＤＣＩ及び／又はＭＡＣ ＣＥである。
【００６８】
本発明の実施例において、前記伝送ユニットは、前記第１のスロットにおいて前記第２のデータを伝送するように構成される。
【００６９】
本発明の実施例において、前記第３の構成シグナリングがＵＥ専用ＲＲＣシグナリングである。
【００７０】
本発明の実施例において、前記伝送ユニットは、前記第１のスロットにおいて前記第１のデータを伝送するように構成される。
【００７１】
本発明の実施例において、前記第３の構成シグナリングがセル専用ＲＲＣシグナリングである。
【００７２】
本発明の実施例において、前記伝送ユニットは、前記第１のスロットにおいて前記第２のデータを伝送するように構成される。
【００７３】
本発明の実施例において、前記伝送ユニットは、前記第２のデータのタイプが上りデータである場合、前記第１のスロットにおいて前記第２のデータを受信し、前記第２のデータのタイプが下りデータである場合、前記第１のスロットにおいて前記第２のデータを送信するように構成される。
【００７４】
本発明の実施例において、前記伝送ユニットは、前記第１のデータのタイプが上りデータである場合、前記第１のスロットにおいて前記第１のデータを受信し、前記第１のデータのタイプが下りデータである場合、前記第１のスロットにおいて前記第１のデータを送信するように構成される。
【００７５】
本発明の実施例は、プロセッサによって実行されると、上記のデータ伝送方法を実現するコンピュータ実行可能命令を記憶したコンピュータ記憶媒体を提供する。
【００７６】
本発明の実施例に係る技術案において、端末が第１の構成シグナリングを受信し、前記第１の構成シグナリングに基づいて、第１のスロットにおいて第１のデータが占用する第１のリソースを決定し、ここで、前記第１のデータの上り下りタイプが前記第１のリソースに対応する伝送方向を示し、前記第１のリソースが少なくとも１つの時間領域シンボルを含み、前記第１の構成シグナリングが前記第１のスロットを含むＮ個のスロット内のデータをスケジューリングし、Ｎが１より大きい整数であり、前記端末が第２の構成シグナリングを受信し、前記第２の構成シグナリングに基づいて、前記第１のスロットにおいて各時間領域シンボルに対応する伝送方向を決定し、前記第１のスロットにおいて前記第１の構成シグナリングに基づいて決定された前記第１のリソースの伝送方向が前記第２の構成シグナリングに基づいて決定された前記第１のリソースの伝送方向と異なる場合、前記端末が前記第１のスロットにおいて前記第１のデータを伝送しない。端末が第１の構成シグナリングを受信し、前記第１の構成シグナリングに基づいて、第１のスロットにおいて第１のデータが占用する第１のリソースを決定し、ここで、前記第１の構成シグナリングが前記第１のスロットを含むＮ個のスロット内のデータをスケジューリングし、Ｎが１より大きい整数であり、前記端末が第３の構成シグナリングを受信し、前記第３の構成シグナリングに基づいて第２のデータが前記第１のスロットに占用する第２のリソースを決定し、前記第１のスロットにおいて前記第２のリソースと前記第１のリソースとがリソース重複部分を有する場合、前記端末が予め設定されたポリシーに基づいて前記第１のスロットにおいて伝送するデータを決定する。本発明の実施例の技術案を用いて、マルチスロット動的スケジューリングシグナリングに基づいて構成されるマルチスロットデータ伝送のうち、あるスロットのデータ伝送が他のシグナリングに基づいて構成されるデータ伝送と反対方向であるか、またはリソース重複する場合、端末は、どのようにデータを伝送するかを決定することができ、端末が２つの異なる構成シグナリングを受信することによって生じるエラー挙動を回避することができる。
【図面の簡単な説明】
【００７７】
本明細書に記載された図面は、本発明の更なる理解を提供するために提供されたものであり、本願の一部を構成し、本発明の例示的な実施例及びその説明は、本発明を説明するためのものであり、本発明を限定するものではない。
【図１】マルチスロットスケジューリングの模式図である。
【図２】本発明の実施例におけるデータ伝送方法のフローチャート一である。
【図３】本発明の実施例におけるデータ伝送方法のフローチャート二である。
【図４】本発明の実施例におけるデータ伝送方法のフローチャート三である。
【図５】本発明の実施例におけるデータ伝送方法のフローチャート四である。
【図６】本発明の実施例におけるデータ伝送装置の構成図一である。
【図７】本発明の実施例におけるデータ伝送装置の構成図二である。
【図８】本発明の実施例におけるデータ伝送装置の構成図三である。
【図９】本発明の実施例におけるデータ伝送装置の構成図四である。
【図１０】本発明の実施例におけるコンピューターデバイスの構成図である。
【発明を実施するための形態】
【００７８】
以下、本発明の実施例の技術的解決策を理解するために、本発明の実施例に係る構成シグナリングについて説明する。
【００７９】
１）半静的上り下り構成シグナリング：半静的上り下り構成を実現するためのシグナリング（ｓｅｍｉ−ｓｔａｔｉｃ ＵＬ/ＤＬ ｃｏｎｆｉｇｕｒａｔｉｏｎ）である。具体的には、半静的ＲＲＣシグナリングによって構成される１つの構成期間中(例えば、５ ｍｓ又は１０ ｍｓ )のスロットフォーマットは、このスロットフォーマットで、１つの構成期間中の各スロットにおけるＵＬシンボル、ＤＬシンボル、及びｆｌｅｘｉｂｌｅシンボルの個数及び位置を示すことができる
さらに、半静的上り下り構成シグナリングは、以下の２つのタイプを含む。
【００８０】
１.１）共通半静的上り下り構成シグナリング：半静的上り下り共通構成（ｓｅｍｉ−ｐｅｒｓｉｓｔｅｎｔ ＵＬ/ＤＬ ｃｏｍｍｏｎ ｃｏｎｆｉｇｕｒａｔｉｏｎ）を実現し、セル専用半静的上り下り構成（ｃｅｌｌ−ｓｐｅｃｉｆｉｃ ｓｅｍｉ−ｓｔａｔｉｃ ＵＬ/ＤＬ ｃｏｎｆｉｇｕｒａｔｉｏｎ）とも言われる。
【００８１】
１.２）固有半静的上り下り構成シグナリング：半静的上り下り固有構成（ｓｅｍｉ−ｐｅｒｓｉｓｔｅｎｔ ＵＬ/ＤＬ ｄｅｄｉｃａｔｅｄ ｃｏｎｆｉｇｕｒａｔｉｏｎ）を実現し、ユーザー専用半静的上り下り構成（ＵＥ−ｓｐｅｃｉｆｉｃ ｓｅｍｉ−ｐｅｒｓｉｓｔｅｎｔ ＵＬ/ＤＬ ｃｏｎｆｉｇｕｒａｔｉｏｎ）とも言われる。
【００８２】
２）動的スロットフォーマット指示シグナリング：動的スロットフォーマット指示（Ｄｙｎａｍｉｃ ｓｌｏｔ ｆｏｒｍａｔ ｉｎｄｉｃａｔｉｏｎ）を実現する。具体的に、動的スロットフォーマット指示シグナリングがグループ共通下り制御チャネル（ｇｒｏｕｐ ｃｏｍｍｏｎ ＰＤＣＣＨ）に搬送され、各スロットのスロットフォーマットを動的に指示する。
【００８３】
さらに、動的スロットフォーマット指示シグナリングは、以下の２つの指示方式がある。
【００８４】
２.１）動的スロットフォーマット指示シグナリングは、各スロットの各シンボルの方向を示す。
【００８５】
２.２）半静的上り下り構成と合わせて、動的スロットフォーマット指示シグナリングは、半静的上り下り構成におけるｆｌｅｘｉｂｌｅシンボルの方向のみを変更することができ、半静的上り下り構成におけるＵＬシンボルの方向およびＤＬシンボルの方向を変更することができない。
【００８６】
３) 動的スケジューリングシグナリング：動的スケジューリングに基づくデータ伝送（Ｄｙｎａｍｉｃ ｓｃｈｅｄｕｌｅｄ ｄａｔａ ｔｒａｎｓｍｉｓｓｉｏｎ）を実現する。例えば、ＤＣＩスケジューリングのデータ伝送、例えば、物理下り共有チャネル( ＰＤＳＣＨ、Ｐｈｙｓｉｃａｌ Ｄｏｗｎｌｉｎｋ Ｓｈａｒｅｄ Ｃｈａｎｎｅｌ ) /物理上り共有チャネル( ＰＵＳＣＨ、Ｐｈｙｓｉｃａｌ Ｕｐｌｉｎｋ Ｓｈａｒｅｄ Ｃｈａｎｎｅｌ )伝送、又は肯定確認( ＡＣＫ ) /否定確認( ＮＡＣＫ )を運ぶ物理上り制御チャネル( ＰＵＣＣＨ、Ｐｈｙｓｉｃａｌ Ｕｐｌｉｎｋ Ｃｏｎｔｒｏｌ Ｃｈａｎｎｅｌ )伝送である。また、例えば、ＤＣＩスケジューリングのための測定信号伝送、例えば、非周期的チャネル状態情報基準シンボル( ＣＳＩ−ＲＳ、Ｃｈａｎｎｅｌ Ｓｔａｔｅ Ｉｎｄｉｃａｔｉｏｎ−Ｒｅｆｅｒｅｎｃｅ Ｓｉｇｎａｌ )伝送、非周期的サウンディング基準信号( ＳＲＳ、Ｓｏｕｎｄｉｎｇ Ｒｅｆｅｒｅｎｃｅ Ｓｉｇｎａｌ )伝送などである。ＤＣＩスケジューリングのデータ伝送および測定信号伝送により、その対応シンボルがＤＬシンボルであるかＵＬシンボルであるかが暗黙的に示される。
【００８７】
さらに、動的スケジューリングシグナリングは、以下の２つのタイプを含む。
【００８８】
３.１）マルチスロット動的スケジューリングシグナリング:例えば、１つのＤＣＩが複数の連続するスロット（ｍｕｌｔｉ−ｓｌｏｔ）のデータ伝送をスケジューリングし、複数のスロットにおいて同じ時間周波数のリソースを利用してデータ伝送を行う。
【００８９】
３.２）単一スロット動的スケジューリングシグナリング：１つのＤＣＩが１つのスロット（ｏｎｅ−ｓｌｏｔ）のデータ伝送をスケジューリングする。
【００９０】
４）ＵＥ専用ＲＲＣシグナリング：ＵＥ−ｓｐｅｃｉｆｉｃ ＲＲＣに基づて構成するデータ伝送( ＵＥ−ｓｐｅｃｉｆｉｃ ＲＲＣ ｃｏｎｆｉｇｕｒｅｄ ｔｒａｎｓｍｉｓｓｉｏｎ )を実現する。例えば、周期的な測定信号伝送、物理ランダムアクセスチャネル( ＰＲＡＣＨ、Ｐｈｙｓｉｃａｌ Ｒａｎｄｏｍ Ａｃｃｅｓｓ Ｃｈａｎｎｅｌ )伝送などである。ＵＥ専用ＲＲＣシグナリングによって構成されるデータ伝送はまた、その対応するシンボルがＤＬシンボルであるかＵＬシンボルであるかを暗黙的に示し、例えば、周期的ＣＳＩ−ＲＳに対応するシンボルはＤＬシンボルであり、周期的ＳＲＳに対応するシンボルはＵＬシンボルであり、ＰＲＡＣＨに対応するシンボルはＵＬシンボルであり、などである。
【００９１】
５）セル専用ＲＲＣシグナリング：セル専用ＲＲＣシグナリングに基づいて構成するデータ伝送を実現する（ｃｅｌｌ−ｓｐｅｃｉｆｉｃ ＲＲＣ ｃｏｎｆｉｇｕｒｅｄ ｔｒａｎｓｍｉｓｓｉｏｎ）。例えば、残りの最小化システム情報( ＲＭＳＩ、Ｒｅｓｉｄｕａｌ Ｍｉｎｉｍｉｚｅｄ Ｓｙｓｔｅｍ Ｉｎｆｏｒｍａｔｉｏｎ )、他のシステム情報( ＯＳＩ、Ｏｔｈｅｒ Ｓｙｓｔｅｍ Ｉｎｆｏｒｍａｔｉｏｎ )などのシステム情報の伝送である。セル専用ＲＲＣシグナリングにより構成されるデータ伝送も同様に、その対応するシンボルがＵＬシンボルであるかＤＬシンボルであるかを示す暗黙的なものである。
【００９２】
図１を参照すると、ネットワークスが端末がマルチスロット伝送を行うようにスケジューリングする過程で、あるスロットのデータ伝送は、以下の問題に遭遇する
１）そのスロットでデータ伝送に使用可能な伝送リソースがスケジューリングに必要な伝送リソースを満たさなくなる。
【００９３】
例えば、ネットワークは、ＤＣＩにより８つのスロットをスケジューリングして下りデータを伝送し、各スロット内の８つの下りシンボルを用いて下りデータを送信するが、異なるスロット内のＵＬ／ＤＬシンボルの数は柔軟に設定されているため、あるスロット内の下りシンボル数がスケジューリングに必要な下りシンボル数よりも少なくなるという問題があった。
【００９４】
図１において、ｓｌｏｔ１におけるＤＣＩは、８つのシンボルの下り伝送をスケジューリングしており、各スロットが８つのシンボルを占用し、スロット３で使用可能な下りシンボル数は８未満であり、この場合、そのスロットにおいてどのように下りのデータ伝送が行われるかが本発明の実施例で解決すべき課題である。
【００９５】
２）このスロットにおいてデータ伝送が使用するリソースは、他のリソースにより占用される。
【００９６】
例えば、スロット４ではＳＳＢ／ＲＭＳＩ／ＯＳＩなどのシステム情報を伝送するためにデータを伝送するリソースの一部が使用され、この場合、このスロットにおいてどのように下りデータ伝送を行うかが本発明の実施例で解決すべき課題である。
【００９７】
３）このスロットにおいてデータ伝送が使用するリソースは、動的ｏｎｅ−ｓｌｏｔによりスケジューリングされて占用される。
【００９８】
例えば、スロット６では、動的スケジューリングによる単一スロット伝送が存在し、この単一スロット伝送が、前記マルチスロット伝送のリソースの一部を占有し、このとき、データ伝送がどのように行われるかが本発明の実施例で解決すべき課題である。
【００９９】
４）このスロットにおいてデータ伝送が使用するリソースは、スロットフォーマットが指示する伝送方向と反対方向である。
【０１００】
例えば、スロット５において、そのスロットに含まれるＤＬシンボルが２個、ｆｌｅｘｉｂｌｅシンボルが２個、ＵＬシンボルが１０個であることをスロットフォーマットで示し、そのデータ伝送に用いられるリソースの一部がスロットフォーマットで示されるシンボルと逆向きになる場合に、データ伝送をどのように行うかが本発明の実施例で解決しようとする課題である。
【０１０１】
図２は本発明の実施例におけるデータ伝送方法のフローチャート一であり、図２に示すように前記データ伝送方法は、以下のステップを含み、
ステップ２０１において、端末が第１の構成シグナリングを受信し、前記第１の構成シグナリングに基づいて、第１のスロットにおいて第１のデータが占用する第１のリソースを決定し、ここで、前記第１のデータの上り下りタイプが前記第１のリソースに対応する伝送方向を示し、前記第１のリソースが少なくとも１つの時間領域シンボルを含み、前記第１の構成シグナリングが前記第１のスロットを含むＮ個のスロット内のデータをスケジューリングし、Ｎが１より大きい整数である。
【０１０２】
本発明の実施例において、前記第１の構成シグナリングがマルチスロット動的スケジューリングシグナリングであり、ここで、前記マルチスロット動的スケジューリングシグナリングがＤＣＩ及び／又はＭＡＣ ＣＥである。マルチスロット動的スケジューリングシグナリングを利用して、連続する複数のスロットをスケジューリングしてデータ伝送を行うことができる。
【０１０３】
本発明の実施例において、マルチスロット動的スケジューリングシグナリングは、あるタイプのデータ(第１のデータと呼ばれる)が複数のスロットに伝送リソース(第１のリソースと呼ばれる)を構成するようにする。例えば、マルチスロット動的スケジューリングシグナリングは、連続する８個のスロットをスケジューリングし、各スロットにおける第３〜第６シンボルは、ある上りデータの伝送に使用され、このように、第３〜第６シンボルが第１のリソースである。第１のリソースは、１つのシンボルを含み得るか、または複数のシンボルを含み得る。また、本実施例でいうシンボルは、ＯＦＤＭシンボルのような時間領域のシンボルである。
【０１０４】
本発明の実施例において、第１のデータの上り下りタイプは、前記第１のリソースに対応する伝送方向を暗黙的に示し、例えば、第１のデータが上りデータである場合、第１のリソースの全てのシンボルが上りシンボルであり、また、例えば、第１のデータが下りデータである場合、第１のリソースの全てのシンボルが下りシンボルである。
【０１０５】
ステップ２０２において、前記端末が第２の構成シグナリングを受信し、前記第２の構成シグナリングに基づいて、前記第１のスロットにおいて各時間領域シンボルに対応する伝送方向を決定する。
【０１０６】
本発明の実施例において、第２の構成シグナリングが第１の構成シグナリングと異なり、半静的上り下り構成シグナリング及び／又は動的スロットフォーマット指示シグナリングであってもよく、
ここで、前記半静的上り下り構成シグナリングがスロットフォーマットを構成するために使用され、前記スロットフォーマットがスロットにおいて各時間領域シンボルに対応する伝送方向を含み、前記伝送方向が、上り伝送、下り伝送、又はフレキシブル伝送であり、
前記動的スロットフォーマット指示シグナリングがスロットフォーマットを示すために使用され、前記スロットフォーマットがスロットにおいて各時間領域シンボルに対応する伝送方向を含み、前記伝送方向が、上り伝送、下り伝送、又はフレキシブル伝送である。
【０１０７】
ここで、半静的上り下り構成シグナリングと動的スロットフォーマット指示シグナリングは、いずれもスロットフォーマットを個別に指示できる。半静的上り下り構成シグナリングと動的スロットフォーマット指示シグナリングとが結合されてスロットフォーマットを指示してもよい。スロットフォーマットを合わせて示す場合、動的スロットフォーマットは、半静的上り下り構成シグナリングが示すスロットフォーマットにおいて、ｆｌｅｘｉｂｌｅシンボルのみを変更することが可能であることを示す。
【０１０８】
上記の技術案において前記半静的上り下り構成シグナリングは、共通半静的上り下り構成シグナリングと専有半静的上り下り構成シグナリングを含む。さらに、前記半静的上り下り構成シグナリングがＲＲＣシグナリング、又はＳＩである。
【０１０９】
上記の技術案において前記動的スロットフォーマット指示シグナリングがグループ共通下り制御チャネルである。
【０１１０】
ステップ２０３において、前記第１のスロットにおいて前記第１の構成シグナリングに基づいて決定された前記第１のリソースの伝送方向が前記第２の構成シグナリングに基づいて決定された前記第１のリソースの伝送方向と異なる場合、前記端末が前記第１のスロットにおいて前記第１のデータを伝送しない。
【０１１１】
本発明の実施例において、前記第１のスロットにおいて前記第１の構成シグナリングに基づいて決定された前記第１のリソースの伝送方向が前記第２の構成シグナリングに基づいて決定された前記第１のリソースの伝送方向と異なることは、
前記第１のスロットにおいて、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることを含む。
【０１１２】
さらに、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることは、
前記第１の構成シグナリングに基づいて決定された前記第１のリソースの少なくとも１つの時間領域シンボルの伝送方向が上り伝送であり、前記第２の構成シグナリングに基づいて決定された前記少なくとも１つの時間領域シンボルの伝送方向が下り伝送であり、又は、
前記第１の構成シグナリングに基づいて決定された前記第１のリソースの少なくとも１つの時間領域シンボルの伝送方向が下り伝送であり、前記第２の構成シグナリングに基づいて決定された前記少なくとも１つの時間領域シンボルの伝送方向が上り伝送である。
【０１１３】
上記の技術案において、正常なデータ伝送を保証するために、第１の構成シグナリングは、第２の構成シグナリングで構成された上りシンボル又はフレキシブルシンボル上でのみ、上りのデータ伝送が伝送されるように設定され、第１の構成シグナリングは、第２の構成シグナリングによって構成された下りシンボルまたはフレキシブルシンボル上でのみ、下りのデータ伝送が伝送されるように設定される。
【０１１４】
本発明の実施例において、前記端末が前記第１のスロットにおいて前記第１のデータを伝送しないことは、上り及び下りの２つのケールを分け、具体的に、
１）前記第１のデータのタイプが上りデータである場合、前記端末が前記第１のスロットにおいて前記上りデータを送信しなく、
２）前記第１のデータのタイプが下りデータである場合、前記端末が前記第１のスロットにおいて前記下りデータを受信しない。
【０１１５】
図３は本発明の実施例におけるデータ伝送方法のフローチャート二であり、図３に示すように、前記データ伝送は、以下のステップを含む。
【０１１６】
ステップ３０１において、端末が第１の構成シグナリングを受信し、前記第１の構成シグナリングに基づいて、第１のスロットにおいて第１のデータが占用する第１のリソースを決定し、ここで、前記第１の構成シグナリングが前記第１のスロットを含むＮ個のスロット内のデータをスケジューリングし、Ｎが１より大きい整数である。
【０１１７】
本発明の実施例において、前記第１の構成シグナリングがマルチスロット動的スケジューリングシグナリングであり、さらに、前記マルチスロット動的スケジューリングシグナリングがＤＣＩ及び／又はＭＡＣ ＣＥである。
【０１１８】
ステップ３０２において、前記端末が第３の構成シグナリングを受信し、前記第３の構成シグナリングに基づいて第２のデータが前記第１のスロットに占用する第２のリソースを決定する。
【０１１９】
本発明の実施例において、第３の構成シグナリングが第１の構成シグナリングと異なることは、以下の通りである。
【０１２０】
１）前記第３の構成シグナリングが単一スロット動的スケジューリングシグナリングであり、前記単一スロット動的スケジューリングシグナリングは、前記第２のデータが前記第１のスロットに占用する第２のリソースを示し、さらに、前記単一スロット動的スケジューリングシグナリングがＤＣＩ及び／又はＭＡＣ ＣＥである。
【０１２１】
２）前記第３の構成シグナリングがＵＥ専用ＲＲＣシグナリングである。
【０１２２】
３）前記第３の構成シグナリングがセル専用ＲＲＣシグナリングである。
【０１２３】
ステップ３０３において、前記第１のスロットにおいて前記第２のリソースと前記第１のリソースとがリソース重複部分を有する場合、前記端末が予め設定されたポリシーに基づいて前記第１のスロットにおいて伝送するデータを決定する。
【０１２４】
本発明の実施例において、前記第１のスロットにおいて前記第２のリソースと前記第１のリソースとがリソース重複部分を有することは、
前記第１のスロットにおいて、前記第２のリソースの少なくとも１つの時間領域シンボルが前記第１のリソースに位置することを含む。
【０１２５】
前記第１のスロットにおいて前記第２のリソースと前記第１のリソースとがリソース重複部分を有する場合、前記端末は、以下のデータ伝送を実行する。
【０１２６】
１）前記第３の構成シグナリングが単一スロット動的スケジューリングシグナリングである場合、前記端末が前記第１のスロットにおいて前記第２のデータを伝送する。
【０１２７】
２）前記第３の構成シグナリングがＵＥ専用ＲＲＣシグナリングである場合、前記端末が前記第１のスロットにおいて前記第１のデータを伝送する。
【０１２８】
３）前記第３の構成シグナリングがセル専用ＲＲＣシグナリングである場合、前記端末が前記第１のスロットにおいて前記第２のデータを伝送する。
【０１２９】
上記の技術案において前記端末が前記第１のスロットにおいて前記第２のデータを伝送することは、
前記第２のデータのタイプが上りデータである場合、前記端末が前記第１のスロットにおいて前記第２のデータを送信することと、
前記第２のデータのタイプが下りデータである場合、前記端末が前記第１のスロットにおいて前記第２のデータを受信することとを含む。
【０１３０】
上記の技術案において前記端末が前記第１のスロットにおいて前記第１のデータを伝送することは、
前記第１のデータのタイプが上りデータである場合、前記端末が前記第１のスロットにおいて前記第１のデータを送信することと、
前記第１のデータのタイプが下りデータである場合、前記端末が前記第１のスロットにおいて前記第１のデータを受信することとを含む。
【０１３１】
図４は本発明の実施例におけるデータ伝送方法のフローチャート三であり、図４に示すように、前記データ伝送方法は、以下のステップを含む。
【０１３２】
ステップ４０１において、ネットワークデバイスが第１の構成シグナリングを構成して送信し、前記第１の構成シグナリングは、第１のデータが第１のスロットに第１のリソースを占用するように指示し、ここで、前記第１の構成シグナリングが前記第１のスロットを含むＮ個のスロット内のデータをスケジューリングし、Ｎが１より大きい整数であり、ここで、前記第１のデータの上り下りタイプが前記第１のリソースに対応する伝送方向を示し、前記第１のリソースが少なくとも１つの時間領域シンボルを含む。
【０１３３】
本発明の実施例において、前記第１の構成シグナリングがマルチスロット動的スケジューリングシグナリングであり、ここで、前記マルチスロット動的スケジューリングシグナリングがＤＣＩ及び／又はＭＡＣ ＣＥである。
【０１３４】
ステップ４０２において、前記ネットワークデバイスが第２の構成シグナリングを構成して送信し、前記第２の構成シグナリングは、前記第１のスロットの各時間領域シンボルに対応する伝送方向を示す。
【０１３５】
本発明の実施例において、前記第２の構成シグナリングが半静的上り下り構成シグナリング及び／又は動的スロットフォーマット指示シグナリングであり、
ここで、前記半静的上り下り構成シグナリングがスロットフォーマットを構成するために使用され、前記スロットフォーマットがスロットにおいて各時間領域シンボルに対応する伝送方向を含み、前記伝送方向が、上り伝送、下り伝送、又はフレキシブル伝送であり、
前記動的スロットフォーマット指示シグナリングがスロットフォーマットを示すために使用され、前記スロットフォーマットがスロットにおいて各時間領域シンボルに対応する伝送方向を含み、前記伝送方向が、上り伝送、下り伝送、又はフレキシブル伝送である。
【０１３６】
さらに、前記半静的上り下り構成シグナリングがＲＲＣシグナリング、又はＳＩであり、
前記動的スロットフォーマット指示シグナリングがグループ共通下り制御チャネルである。
【０１３７】
ステップ４０３において、前記第１のスロットにおいて前記第１の構成シグナリングに基づいて決定された前記第１のリソースの伝送方向が前記第２の構成シグナリングに基づいて決定された前記第１のリソースの伝送方向と異なる場合、前記ネットワークデバイスが前記第１のスロットにおいて前記第１のデータを伝送しない。
【０１３８】
本発明の実施例において、前記第１のスロットにおいて前記第１の構成シグナリングに基づいて決定された前記第１のリソースの伝送方向が前記第２の構成シグナリングに基づいて決定された前記第１のリソースの伝送方向と異なることは、
前記第１のスロットにおいて、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることを含む。
【０１３９】
さらに、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることは、
前記第１の構成シグナリングに基づいて決定された前記第１のリソースの少なくとも１つの時間領域シンボルの伝送方向が上り伝送であり、前記第２の構成シグナリングに基づいて決定された前記少なくとも１つの時間領域シンボルの伝送方向が下り伝送であり、又は、
前記第１の構成シグナリングに基づいて決定された前記第１のリソースの少なくとも１つの時間領域シンボルの伝送方向が下り伝送であり、前記第２の構成シグナリングに基づいて決定された前記少なくとも１つの時間領域シンボルの伝送方向が上り伝送である。
【０１４０】
本発明の実施例において、前記ネットワークデバイスが前記第１のスロットにおいて前記第１のデータを伝送しないことは、
前記第１のデータのタイプが上りデータである場合、前記ネットワークデバイスが前記第１のスロットにおいて前記上りデータを受信しないこと、
前記第１のデータのタイプが下りデータである場合、前記ネットワークデバイスが前記第１のスロットにおいて前記下りデータを送信しないことを含む。
【０１４１】
図５は本発明の実施例におけるデータ伝送方法のフローチャート四であり、図５に示すように、前記データ伝送方法は、以下のステップを含む。
【０１４２】
ステップ５０１において、ネットワークデバイスが第１の構成シグナリングを構成して送信し、前記第１の構成シグナリングは、第１のデータが第１のスロットに第１のリソースを占用するように指示し、ここで、前記第１の構成シグナリングが前記第１のスロットを含むＮ個のスロット内のデータをスケジューリングし、Ｎが１より大きい整数である。
【０１４３】
本発明の実施例において、前記第１の構成シグナリングがマルチスロット動的スケジューリングシグナリングであり、ここで、前記マルチスロット動的スケジューリングシグナリングがＤＣＩ及び／又はＭＡＣ ＣＥである。
【０１４４】
ステップ５０２において、前記ネットワークデバイスが第３の構成シグナリングを構成して送信し、前記第３の構成シグナリングは、第２のデータが前記第１のスロットに第２のリソースを占用するように指示する。
【０１４５】
本発明の実施例において、前記第３の構成シグナリングは、以下の通りである。
【０１４６】
１）前記第３の構成シグナリングが単一スロット動的スケジューリングシグナリングであり、前記単一スロット動的スケジューリングシグナリングは、前記第２のデータが前記第１のスロットに占用する第２のリソースを示し、ここで、前記単一スロット動的スケジューリングシグナリングがＤＣＩ及び／又はＭＡＣ ＣＥである。
【０１４７】
２）前記第３の構成シグナリングがＵＥ専用ＲＲＣシグナリングである。
【０１４８】
３）前記第３の構成シグナリングがセル専用ＲＲＣシグナリングである。
【０１４９】
ステップ５０３において、前記第１のスロットにおいて前記第２のリソースと前記第１のリソースとがリソース重複部分を有する場合、前記ネットワークデバイスが予め設定されたポリシーに基づいて前記第１のスロットにおいて伝送するデータを決定する。
【０１５０】
本発明の実施例において、前記第１のスロットにおいて前記第２のリソースと前記第１のリソースとがリソース重複部分を有することは、
前記第１のスロットにおいて、前記第２のリソースの少なくとも１つの時間領域シンボルが前記第１のリソースに位置することを含む。
【０１５１】
前記第１のスロットにおいて前記第２のリソースと前記第１のリソースとがリソース重複部分を有する場合、前記ネットワークデバイスは、以下のデータ伝送方式を実行する。
【０１５２】
１）前記第３の構成シグナリングが単一スロット動的スケジューリングシグナリングである場合、前記ネットワークデバイスが前記第１のスロットにおいて前記第２のデータを伝送する。
【０１５３】
２）前記第３の構成シグナリングがＵＥ専用ＲＲＣシグナリングである場合、前記ネットワークデバイスが前記第１のスロットにおいて前記第１のデータを伝送する。
【０１５４】
３）前記第３の構成シグナリングがセル専用ＲＲＣシグナリングである場合、前記ネットワークデバイスが前記第１のスロットにおいて前記第２のデータを伝送する。
【０１５５】
上記の技術案において前記ネットワークデバイスが前記第１のスロットにおいて前記第２のデータを伝送することは、
前記第２のデータのタイプが上りデータである場合、前記ネットワークデバイスが前記第１のスロットにおいて前記第２のデータを受信することと、
前記第２のデータのタイプが下りデータである場合、前記ネットワークデバイスが前記第１のスロットにおいて前記第２のデータを送信することとを含む。
【０１５６】
上記の技術案において前記ネットワークデバイスが前記第１のスロットにおいて前記第１のデータを伝送することは、
前記第１のデータのタイプが上りデータである場合、前記ネットワークデバイスが前記第１のスロットにおいて前記第１のデータを受信することと、
前記第１のデータのタイプが下りデータである場合、前記ネットワークデバイスが前記第１のスロットにおいて前記第１のデータを送信することとを含む。
【０１５７】
以下、具体的な適用例を挙げて本発明の実施例の技術的思想についてさらに説明する。
【０１５８】
応用例一
マルチスロット動的スケジューリングシグナリングに基づいて構成されるスロット伝送と半静的上り下り構成シグナリングにより構成されるスロットフォーマットである。具体的には、基地局は、半静的上り下り構成シグナリングによって、各スロット内のＵＬ／ＤＬ／ｆｌｅｘｉｂｌｅシンボルの個数および位置を含むスロットフォーマットを構成し、基地局は、ＤＣＩなどのマルチスロット動的スケジューリングシグナリングを介して複数のスロットのデータ伝送をスケジューリングし得る。
【０１５９】
マルチスロットによりスケジューリングされるデータ伝送が下り伝送である場合、あるスロットにおいて該下りデータ伝送が半静的上り下りにより構成される該スロットの下りシンボル及びフレキシブルシンボルのみで伝送し、
マルチスロットによりスケジューリングされるデータ伝送が上り伝送である場合、あるスロットにいて該上りデータ伝送が半静的上り下りにより構成される該スロットの上りシンボル及びフレキシブルシンボルのみで伝送し、
マルチスロットによりスケジューリングされるデータ伝送のうち、あるスロットの該データ伝送が位置するシンボルの伝送方向と、半静的上り下りにより構成された該スロットの該シンボルの伝送方向とが反対方向である(該データ伝送に対応する複数のシンボルのうち、ある１つまたは複数のシンボルの伝送方向と、半静的上り下り構成において対応する該シンボルの伝送方向とが反対方向である)場合、ネットワークデバイスは、該スロットにおいて、下りデータ伝送または上りデータ伝送を行わず、端末は、該スロットにおいて、下りデータ受信または上りデータ送信を行わない。
【０１６０】
応用例二
マルチスロット動的スケジューリングシグナリングに基づいて構成されるマルチスロット伝送および動的スロットフォーマット指示に基づくスロットフォーマットである。具体的には、基地局は、半静的上り下り構成シグナリングによってスロットのフォーマットを構成し、該スロットフォーマットが各スロット内のＵＬ／ＤＬ／ｆｌｅｘｉｂｌｅシンボルの数および位置を含み、その上、基地局は、動的スロットフォーマットによって、さらなる構成スロットフォーマットを示すことができ、ここで、動的スロットフォーマットが半静的上り下り構成におけるｆｌｅｘｉｂｌｅシンボルの方向のみを変更し、基地局は、ＤＣＩなどのマルチスロット動的スケジューリングシグナリングを介して複数のスロットのデータ伝送をスケジューリングし得る。
【０１６１】
マルチスロットによりスケジューリングされるデータ伝送が下り伝送である場合、あるスロットにおいて該下りデータ伝送が動的スロットフォーマットによって示す該スロットの下りシンボル及びフレキシブルシンボルのみで伝送し、
マルチスロットによりスケジューリングされるデータ伝送が上り伝送である場合、あるスロットにおいて該上りデータ伝送が動的スロットフォーマットによって示す該スロットの上りシンボル及びフレキシブルシンボルのみで伝送し、
マルチスロットによりスケジューリングされるデータ伝送のあるスロットの該データ伝送が位置するシンボルの伝送方向が、動的スロットフォーマットによって位示す該スロットの該シンボルの伝送方向と反対方向である（該データ伝送に対応する複数のシンボルのうちの１つの以上のシンボルの伝送方向が半静的上り下り構成において対応するシンボルの伝送方向と反対方向である）場合、ネットワークデバイスは、該スロットにおいて下りデータ送信又は上りデータ受信を行わなく、端末が該スロットにおいて下りデータ受信又は上りデータ送信を行わない。
【０１６２】
応用例三
マルチスロット動的スケジューリングシグナリングに基づいて構成されるマルチスロット伝送と、単一スロット動的スケジューリングシグナリングに基づいて構成される単一スロット伝送である。具体的には、基地局は、ＤＣＩなどのマルチスロット動的スケジューリングシグナリングによって複数のスロットのデータ伝送をスケジューリングすることができ、ＤＣＩなどの単一スロット動的スケジューリングシグナリングによって単一のスロットのデータ伝送をスケジューリングすることができる。
【０１６３】
基地局がＤＣＩでマルチスロットデータ伝送をスケジューリングし、あるスロットで基地局もＤＣＩで単一スロットデータ伝送をスケジューリングし、そのスロットで単一スロット伝送用の伝送リソースがマルチスロット伝送用の伝送リソースの一部を占める場合、そのスロットで単一スロットデータの伝送が行われ、マルチスロットのデータ伝送が破棄される。
【０１６４】
応用例四
マルチスロット動的スケジューリングシグナリングに基づいて構成されるマルチスロット伝送及びＵＥ専用ＲＲＣシグナリングに基づいて構成されるデータ伝送である。具体的に、基地局は、ＤＣＩのようなマルチスロット動的スケジューリングシグナリングによって複数のスロットのデータ伝送をスケジューリングすることができ、ＵＥ専用ＲＲＣシグナリングによってデータ送信をスケジューリングすることができ、例えば、ネットワークがＵＥ専用ＲＲＣシグナリングによって、周期的に送信するCSI-RS信号、または周期的に送信するSRS信号などを構成する。
【０１６５】
基地局がＤＣＩによって複数のデータ伝送をスケジューリングし、基地局がＵＥ専用ＲＲＣシグナリングによってデータ伝送を構成し、あるスロットにおいてＤＣＩによってスケジューリングされた伝送リソースとＵＥ専用ＲＲＣシグナリングによって構成されたデータ伝送の伝送リソースが全部または一部重複する場合、そのスロットでマルチスロットによりスケジューリングされるデータ伝送を行い、ＵＥ専用ＲＲＣシグナリングによって構成されたデータ伝送を破棄する。
【０１６６】
応用例五
マルチスロット動的スケジューリングシグナリングに基づいて構成されるマルチスロット伝送とセル専用ＲＲＣシグナリングに基づいて構成されるデータ伝送である。具体的に、基地局は、マルチスロット動的スケジューリングシグナリング（例えば、ＤＣＩ）により複数のスロットのデータ伝送をスケジューリングしてもよいし、セル専用ＲＲＣシグナリングによりデータ伝送を構成してもよく、例えば、ネットワークは、セル専用ＲＲＣシグナリングにより、ＳＳＢ／ＲＭＳＩ／ＯＳＩを伝送する伝送リソースを構成する。
【０１６７】
基地局がＤＣＩによってマルチスロットデータ伝送をスケジューリングし、基地局がセル専用ＲＲＣシグナリングによってデータ伝送を構成し、あるスロットにおいてＤＣＩスケジューリングによるマルチスロットデータ伝送の伝送リソースとセル専用ＲＲＣシグナリングによって構成されたデータ伝送の伝送リソースとが全部または一部重なる場合、そのスロットにおいてセル専用ＲＲＣシグナリングによって構成されたデータ伝送が行われ、ＤＣＩスケジューリングによるマルチスロットデータ伝送が破棄される。
【０１６８】
図６は本発明の実施例におけるデータ伝送装置の構成図一であり、図６に示すように、前記装置は、第１の受信ユニット６０１と、第１の決定ユニット６０２と、第２の受信ユニット６０３と、第２の決定ユニット６０４と、伝送ユニット６０５とを備え、
第１の受信ユニット６０１は、第１の構成シグナリングを受信するように構成され、
第１の決定ユニット６０２は、前記第１の構成シグナリングに基づいて、第１のデータが第１のスロットに占用する第１のリソースを決定するように構成され、ここで、前記第１のデータの上り下りタイプが前記第１のリソースに対応する伝送方向を示し、前記第１のリソースが少なくとも１つの時間領域シンボルを含み、前記第１の構成シグナリングが前記第１のスロットを含むＮ個のスロット内のデータをスケジューリングし、Ｎが１より大きい整数であり、
第２の受信ユニット６０３は、第２の構成シグナリングを受信するように構成され、
第２の決定ユニット６０４は、前記第２の構成シグナリングに基づいて、前記第１のスロットにおいて各時間領域シンボルに対応する伝送方向を決定するように構成され、
伝送ユニット６０５は、前記第１のスロットにおいて前記第１の構成シグナリングに基づいて決定された前記第１のリソースの伝送方向が前記第２の構成シグナリングに基づいて決定された前記第１のリソースの伝送方向と異なる場合、前記端末が前記第１のスロットにおいて前記第１のデータを伝送しないように構成される。
【０１６９】
ある実施例において、前記第１のスロットにおいて前記第１の構成シグナリングに基づいて決定された前記第１のリソースの伝送方向が前記第２の構成シグナリングに基づいて決定された前記第１のリソースの伝送方向と異なることは、
前記第１のスロットにおいて、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることを含む。
【０１７０】
ある実施例において、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることは、
前記第１の構成シグナリングに基づいて決定された前記第１のリソースの少なくとも１つの時間領域シンボルの伝送方向が上り伝送であり、前記第２の構成シグナリングに基づいて決定された前記少なくとも１つの時間領域シンボルの伝送方向が下り伝送であり、又は、
前記第１の構成シグナリングに基づいて決定された前記第１のリソースの少なくとも１つの時間領域シンボルの伝送方向が下り伝送であり、前記第２の構成シグナリングに基づいて決定された前記少なくとも１つの時間領域シンボルの伝送方向が上り伝送である。
【０１７１】
ある実施例において、前記伝送ユニット６０５は、前記第１のデータのタイプが上りデータである場合、前記端末が前記第１のスロットにおいて前記上りデータを送信しなく、前記第１のデータのタイプが下りデータである場合、前記端末が前記第１のスロットにおいて前記下りデータを受信しないように構成される。
【０１７２】
ある実施例において、前記第２の構成シグナリングが半静的上り下り構成シグナリング及び／又は動的スロットフォーマット指示シグナリングであり、
ここで、前記半静的上り下り構成シグナリングがスロットフォーマットを構成するために使用され、前記スロットフォーマットがスロットにおいて各時間領域シンボルに対応する伝送方向を含み、前記伝送方向が、上り伝送、下り伝送、又はフレキシブル伝送であり、
前記動的スロットフォーマット指示シグナリングがスロットフォーマットを示すために使用され、前記スロットフォーマットがスロットにおいて各時間領域シンボルに対応する伝送方向を含み、前記伝送方向が、上り伝送、下り伝送、又はフレキシブル伝送である。
【０１７３】
ある実施例において、前記半静的上り下り構成シグナリングがＲＲＣシグナリング、又はＳＩであり、
前記動的スロットフォーマット指示シグナリングがグループ共通下り制御チャネルである。
【０１７４】
ある実施例において、前記第１の構成シグナリングがマルチスロット動的スケジューリングシグナリングであり、
ここで、前記マルチスロット動的スケジューリングシグナリングがＤＣＩ及び／又はＭＡＣ ＣＥである。
【０１７５】
図６に示したデータ伝送装置の各ユニットの実現機能は、上記データ伝送方法の説明を参酌して理解されるべきである。図６に示すデータ伝送装置における各ユニットの機能は、プロセッサ上で動作するプログラムによって実現されてもよいし、具体的な論理回路によって実現されてもよい。
【０１７６】
図７は本発明の実施例におけるデータ伝送装置の構成図二であり、図７に示すように、前記装置は、第１の受信ユニット７０１と、第１の決定ユニット７０２と、第３の受信ユニット７０３と、第３の決定ユニット７０４と、伝送ユニット７０５とを備え、
第１の受信ユニット７０１は、第１の構成シグナリングを受信するように構成され、
第１の決定ユニット７０２は、前記第１の構成シグナリングに基づいて、第１のデータが第１のスロットに占用する第１のリソースを決定するように構成され、ここで、前記第１の構成シグナリングが前記第１のスロットを含むＮ個のスロット内のデータをスケジューリングし、Ｎが１より大きい整数であり、
第３の受信ユニット７０３は、第３の構成シグナリングを受信するように構成され、
第３の決定ユニット７０４は、前記第３の構成シグナリングに基づいて、第２のデータが前記第１のスロットに占用する第２のリソースを決定するように構成され、
伝送ユニット７０５は、前記第１のスロットにおいて前記第２のリソースと前記第１のリソースとがリソース重複部分を有する場合、予め設定されたポリシーに基づいて前記第１のスロットにおいて伝送するデータを決定するように構成される。
【０１７７】
ある実施例において、前記第１のスロットにおいて前記第２のリソースと前記第１のリソースとがリソース重複部分を有することは、
前記第１のスロットにおいて、前記第２のリソースの少なくとも１つの時間領域シンボルが前記第１のリソースに位置することを含む。
【０１７８】
ある実施例において、前記第１の構成シグナリングがマルチスロット動的スケジューリングシグナリングであり、
ここで、前記マルチスロット動的スケジューリングシグナリングがＤＣＩ及び／又はＭＡＣ ＣＥである。
【０１７９】
ある実施例において、前記第３の構成シグナリングが単一スロット動的スケジューリングシグナリングであり、前記単一スロット動的スケジューリングシグナリングは、前記第２のデータが前記第１のスロットに占用する第２のリソースを示し、
ここで、前記単一スロット動的スケジューリングシグナリングがＤＣＩ及び／又はＭＡＣ ＣＥである。
【０１８０】
ある実施例において、前記伝送ユニット７０５は、前記第１のスロットにおいて前記第２のデータを伝送するように構成される。
【０１８１】
ある実施例において、前記第３の構成シグナリングがＵＥ専用ＲＲＣシグナリングである。
【０１８２】
ある実施例において、前記伝送ユニット７０５は、前記第１のスロットにおいて前記第１のデータを伝送するように構成される。
【０１８３】
ある実施例において、前記第３の構成シグナリングがセル専用ＲＲＣシグナリングである。
【０１８４】
ある実施例において、前記伝送ユニット７０５は、前記第１のスロットにおいて前記第２のデータを伝送するように構成される。
【０１８５】
ある実施例において、前記伝送ユニット７０５は、前記第２のデータのタイプが上りデータである場合、前記第１のスロットにおいて前記第２のデータを送信し、前記第２のデータのタイプが下りデータである場合、前記第１のスロットにおいて前記第２のデータを受信するように構成される。
【０１８６】
ある実施例において、前記伝送ユニット７０５は、前記第１のデータのタイプが上りデータである場合、前記第１のスロットにおいて前記第１のデータを送信し、前記第１のデータのタイプが下りデータである場合、前記第１のスロットにおいて前記第１のデータを受信するように構成される。
【０１８７】
図７に示したデータ伝送装置の各ユニットの実現機能は、上記データ伝送方法の説明を参酌して理解されるべきである。図７に示すデータ伝送装置における各ユニットの機能は、プロセッサ上で動作するプログラムによって実現されてもよいし、具体的な論理回路によって実現されてもよい。
【０１８８】
図８は本発明の実施例におけるデータ伝送装置の構成図三であり、図８に示すように、前記装置は、第１の構成ユニット８０１と、第２の構成ユニット８０２と、伝送ユニット８０３とを備え、
第１の構成ユニット８０１は、第１の構成シグナリングを構成して送信するように構成され、前記第１の構成シグナリングは、第１のデータが第１のスロットに第１のリソースを占用するように指示し、ここで、前記第１のデータの上り下りタイプが前記第１のリソースに対応する伝送方向を示し、前記第１のリソースが少なくとも１つの時間領域シンボルを含み、前記第１の構成シグナリングが前記第１のスロットを含むＮ個のスロット内のデータをスケジューリングし、Ｎが１より大きい整数であり、
第２の構成ユニット８０２は、第２の構成シグナリングを構成して送信するように構成され、前記第２の構成シグナリングは、前記第１のスロットの各時間領域シンボルに対応する伝送方向を示し、
伝送ユニット８０３は、前記第１のスロットにおいて前記第１の構成シグナリングに基づいて決定された前記第１のリソースの伝送方向が前記第２の構成シグナリングに基づいて決定された前記第１のリソースの伝送方向と異なる場合、前記第１のスロットにおいて前記第１のデータを伝送しないように構成される。
【０１８９】
ある実施例において、前記第１のスロットにおいて前記第１の構成シグナリングに基づいて決定された前記第１のリソースの伝送方向が前記第２の構成シグナリングに基づいて決定された前記第１のリソースの伝送方向と異なることは、
前記第１のスロットにおいて、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることを含む。
【０１９０】
ある実施例において、前記第１の構成シグナリングに基づいて決定された前記第１のリソースの少なくとも１つの時間領域シンボルの伝送方向が前記第２の構成シグナリングに基づいて決定された前記少なくとも１つの時間領域シンボルの伝送方向と異なることは、
前記第１の構成シグナリングに基づいて決定された前記第１のリソースの少なくとも１つの時間領域シンボルの伝送方向が上り伝送であり、前記第２の構成シグナリングに基づいて決定された前記少なくとも１つの時間領域シンボルの伝送方向が下り伝送であり、又は、
前記第１の構成シグナリングに基づいて決定された前記第１のリソースの少なくとも１つの時間領域シンボルの伝送方向が下り伝送であり、前記第２の構成シグナリングに基づいて決定された前記少なくとも１つの時間領域シンボルの伝送方向が上り伝送である。
【０１９１】
ある実施例において、前記伝送ユニット８０３は、前記第１のデータのタイプが上りデータである場合、前記第１のスロットにおいて前記上りデータを受信しなく、前記第１のデータのタイプが下りデータである場合、前記第１のスロットにおいて前記下りデータを送信しないように構成される。
【０１９２】
ある実施例において、前記第２の構成シグナリングが半静的上り下り構成シグナリング及び／又は動的スロットフォーマット指示シグナリングであり、
ここで、前記半静的上り下り構成シグナリングがスロットフォーマットを構成するために使用され、前記スロットフォーマットがスロットにおいて各時間領域シンボルに対応する伝送方向を含み、前記伝送方向が、上り伝送、下り伝送、又はフレキシブル伝送であり、
前記動的スロットフォーマット指示シグナリングがスロットフォーマットを示すために使用され、前記スロットフォーマットがスロットにおいて各時間領域シンボルに対応する伝送方向を含み、前記伝送方向が、上り伝送、下り伝送、又はフレキシブル伝送である。
【０１９３】
ある実施例において、前記半静的上り下り構成シグナリングがＲＲＣシグナリング、又はＳＩであり、
前記動的スロットフォーマット指示シグナリングがグループ共通下り制御チャネルである。
【０１９４】
ある実施例において、前記第１の構成シグナリングがマルチスロット動的スケジューリングシグナリングであり、
ここで、前記マルチスロット動的スケジューリングシグナリングがＤＣＩ及び／又はＭＡＣ ＣＥである。
【０１９５】
図８に示したデータ伝送装置の各ユニットの実現機能は、上記データ伝送方法の説明を参酌して理解されるべきである。図８に示すデータ伝送装置における各ユニットの機能は、プロセッサ上で動作するプログラムによって実現されてもよいし、具体的な論理回路によって実現されてもよい。
【０１９６】
図９は本発明の実施例におけるデータ伝送装置の構成図四であり、図９に示すように、前記装置は、第１の構成ユニット９０１と、第３の構成ユニット９０２と、伝送ユニット９０３とを備え、
第１の構成ユニット９０１は、第１の構成シグナリングを構成して送信するように構成され、前記第１の構成シグナリングは、第１のデータが第１のスロットに第１のリソースを占用するように指示し、ここで、前記第１の構成シグナリングが前記第１のスロットを含むＮ個のスロット内のデータをスケジューリングし、Ｎが１より大きい整数であり、
第３の構成ユニット９０２は、第３の構成シグナリングを構成して送信するように構成され、前記第３の構成シグナリングは、第２のデータが前記第１のスロットに第２のリソースを占用するように指示し、
伝送ユニット９０３は、前記第１のスロットにおいて前記第２のリソースと前記第１のリソースとがリソース重複部分を有する場合、予め設定されたポリシーに基づいて前記第１のスロットにおいて伝送するデータを決定するように構成される。
【０１９７】
ある実施例において、前記第１のスロットにおいて前記第２のリソースと前記第１のリソースとがリソース重複部分を有することは、
前記第１のスロットにおいて、前記第２のリソースの少なくとも１つの時間領域シンボルが前記第１のリソースに位置することを含む。
【０１９８】
ある実施例において、前記第１の構成シグナリングがマルチスロット動的スケジューリングシグナリングであり、
ここで、前記マルチスロット動的スケジューリングシグナリングがＤＣＩ及び／又はＭＡＣ ＣＥである。
【０１９９】
ある実施例において、前記第３の構成シグナリングが単一スロット動的スケジューリングシグナリングであり、前記単一スロット動的スケジューリングシグナリングは、前記第２のデータが前記第１のスロットに占用する第２のリソースを示し、
ここで、前記単一スロット動的スケジューリングシグナリングがＤＣＩ及び／又はＭＡＣ ＣＥである。
【０２００】
ある実施例において、前記伝送ユニット９０３は、前記第１のスロットにおいて前記第２のデータを伝送するように構成される。
【０２０１】
ある実施例において、前記第３の構成シグナリングがＵＥ専用ＲＲＣシグナリングである。
【０２０２】
ある実施例において、前記伝送ユニット９０３は、前記第１のスロットにおいて前記第１のデータを伝送するように構成される。
【０２０３】
ある実施例において、前記第３の構成シグナリングがセル専用ＲＲＣシグナリングである。
【０２０４】
ある実施例において、前記伝送ユニット９０３は、前記第１のスロットにおいて前記第２のデータを伝送するように構成される。
【０２０５】
ある実施例において、前記伝送ユニット９０３は、前記第２のデータのタイプが上りデータである場合、前記第１のスロットにおいて前記第２のデータを受信し、前記第２のデータのタイプが下りデータである場合、前記第１のスロットにおいて前記第２のデータを送信するように構成される。
【０２０６】
ある実施例において、前記伝送ユニット９０３は、前記第１のデータのタイプが上りデータである場合、前記第１のスロットにおいて前記第１のデータを受信し、前記第１のデータのタイプが下りデータである場合、前記第１のスロットにおいて前記第１のデータを送信するように構成される。
【０２０７】
図９に示したデータ伝送装置の各ユニットの実現機能は、上記データ伝送方法の説明を参酌して理解されるべきである。図９に示すデータ伝送装置における各ユニットの機能は、プロセッサ上で動作するプログラムによって実現されてもよいし、具体的な論理回路によって実現されてもよい。
【０２０８】
本発明の実施例に係る上記データ転送装置は、ソフトウェア機能ブロックの形で実現され、独立した製品として販売または使用される場合には、コンピュータ読み取り可能な記憶媒体に記憶されてもよい。このような理解に基づいて、本発明の実施例の技術的解決策の本質または従来技術に寄与する部分は、本発明の様々な実施例による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、U字ディスク、リムーバブルハードディスク、リードオンリーメモリ( ＲＯＭ、Ｒｅａｄ Ｏｎｌｙ Ｍｅｍｏｒｙ )、磁気ディスク、光ディスク等のプログラムコードを記憶できる種々の媒体を用いることができる。このように、本発明の実施例は、ハードウェアとソフトウェアのいかなる組み合わせにも限定されない。
【０２０９】
従って、本発明の実施例は、プロセッサによって実行されたときに本発明の実施例の上述のデータ伝送方法を実現するコンピュータ実行可能命令を記憶したコンピュータ記憶媒体をさらに提供する。
【０２１０】
図１０は、本発明の実施例に係るコンピュータデバイスの構成を示す図であり、このコンピュータデバイスは端末であってもネットワーク装置であってもよい。図１０に示すように、コンピュータデバイス１００は、１つ又は複数の(図面には１つのみ示す)プロセッサ１００２ (プロセッサ１００２は、マイクロプロセッサ( ＭＣＵ、Ｍｉｃｒｏ Ｃｏｎｔｒｏｌｌｅｒ Ｕｎｉｔ )又はプログラマブルロジックデバイス( ＦＰＧＡ、Ｆｉｅｌｄ Ｐｒｏｇｒａｍｍａｂｌｅ Ｇａｔｅ Ａｒｒａｙ )等の処理装置を含み得るが、これらに限定されない)、データを記憶するためのメモリ１００４、及び通信機能のための伝送装置１００６を含み得る。図１０に示す構成は、例示であり、上述した電子装置の構成に限定されないことは、当業者に理解されるところである。例えば、コンピュータデバイス１００は、図１０に示された構成よりも多いか少ない構成要素をさらに含んでもよく、又は図１０に示された構成とは異なる構成を有してもよい。
【０２１１】
メモリ１００４は、本発明の実施例における方法に対応するプログラム命令/モジュールのような、アプリケーションのソフトウェアプログラム及びモジュールを格納するために使用されてもよく、プロセッサ１００２は、メモリ１００４に格納されたソフトウェアプログラム及びモジュールを実行することによって、様々な機能アプリケーション及びデータ処理を実行し、すなわち、上記の方法を実現する。メモリ１００４は、高速ランダムアクセスメモリを含んでもよく、１つ以上の磁気記憶デバイス、フラッシュメモリ、または他の不揮発性ソリッドステートメモリなどの不揮発性メモリを含んでもよい。いくつかの例では、メモリ１００４は、プロセッサ１００２に対してリモートに配置されたメモリをさらに含んでもよく、メモリは、ネットワークを介してコンピュータデバイス１００に接続されてもよい。上記ネットワークの例としては、インターネット、イントラネット、ローカルエリアネットワーク、移動体通信ネットワーク、及びこれらの組み合わせが挙げられるが、これらに限定されない。
【０２１２】
伝送装置１００６は、ネットワークを介してデータを送受信するための装置である。上記のネットワークの具体例は、コンピュータデバイス１００の通信プロバイダが提供する無線ネットワークを含んでもよい。一例において、伝送装置１００６は、インターネットと通信可能に基地局を介して他のネットワークデバイスに接続可能なネットワークアダプタ( ＮＩＣ、Ｎｅｔｗｏｒｋ Ｉｎｔｅｒｆａｃｅ Ｃｏｎｔｒｏｌｌｅｒ )を含む。一例では、伝送装置１００６は、無線方式でインターネットと通信するための無線周波数( ＲＦ、Ｒａｄｉｏ Ｆｒｅｑｕｅｎｃｙ )モジュールであり得る。
【０２１３】
本発明の実施例に記載した技術的手段は、矛盾なき限り、任意に組み合わせることができる。
【０２１４】
本発明によって提供されるいくつかの実施例において、開示される方法およびスマートデバイスは、他の方法で実現されてもよいことが理解されるべきである。なお、以上の装置の実施例はあくまでも一例であり、例えば、装置の分割、論理的機能の分割などは、実際の実施に際しては、これら複数の装置や構成要素を組み合わせたり、他のシステムに統合したり、あるいは、一部の構成要素を省略したり、省略したりすることが可能である。さらに、図示又は説明された構成要素は、電気的、機械的、又は他の形態の、いくつかのインターフェース、装置又はユニットを介した、互いに、又は直接的に、又は通信的に、間接的な結合又は通信的な接続を有し得る。
【０２１５】
上記分離手段として説明したユニットは、物理的に分離していても、あるいは分離していなくてもよく、ユニットとして表示されるユニットは、物理的ユニットであっても、あるいは物理的ユニットでなくてもよく、すなわち一箇所にあっても、複数のネットワークユニットに分散していてもよく、また、本実施例の目的を達成する手段の一部又は全部を、必要に応じて選択することができる。
【０２１６】
また、本発明の各実施例における各機能部は、全てが１つの第２の処理部に集積されてもよいし、各部がそれぞれ単独で１つのユニットとして構成されてもよいし、２つ以上のユニットが１つのユニットに集積されてもよい；上記の統合されたユニットは、ハードウェアの形態で実現されてもよいし、ハードウェア及びソフトウェア機能ユニットの形態で実現されてもよい。
【０２１７】
以上、本発明の具体的な実施例について説明したが、本発明の技術的範囲はこれに限定されるものではなく、本発明が属する技術分野で通常の知識を有する者であれば、本発明の技術的範囲内で容易に変更や置換をなし得ることは自明である。
【手続補正２】
【補正対象書類名】特許請求の範囲
【補正対象項目名】全文
【補正方法】変更
【補正の内容】
【特許請求の範囲】
【請求項１】
端末が第１の構成シグナリングを受信し、前記第１の構成シグナリングが第１のスロットにおいて第１のデータが占用する第１のリソースを決定することと、
前記端末が第３の構成シグナリングを受信し、前記第３の構成シグナリングが前記第１のスロットにおいて第２のデータが占用する第２のリソースを決定することと、
前記第２のリソースにおける少なくとも１つ時間領域シンボルが第１のスロットの前記第１のリソースに位置する場合、前記端末が予め設定されたポリシーに基づいて前記第１のスロットにおいて伝送するデータを決定することとを含み、
前記第１の構成シグナリングが前記第１のスロットを含むＮ個のスロット内のデータをスケジューリングし、Ｎが１より大きい整数である
ことを特徴とする無線通信ネットワークにおけるデータ伝送方法。
【請求項２】
前記端末が予め設定されたポリシーに基づいて前記第１のスロットにおいて伝送するデータを決定することは、
前記端末が前記第１のスロットにおいて前記第１のデータを伝送することを含み、
前記第１のスロットは、第２のデータの伝送に使用されない
ことを特徴とする請求項１に記載の無線通信ネットワークにおけるデータ伝送方法。
【請求項３】
前記端末が前記第１のスロットにおいて前記第１のデータを伝送することは、
前記第１のデータのタイプが上りデータである場合、前記端末が前記第１のスロットにおいて前記第１のデータを送信することと、
前記第１のデータのタイプが下りデータである場合、前記端末が前記第１のスロットにおいて前記第１のデータを受信することとを含む
ことを特徴とする請求項２に記載の無線通信ネットワークにおけるデータ伝送方法。
【請求項４】
前記端末が予め設定されたポリシーに基づいて前記第１のスロットにおいて伝送するデータを決定することは、
前記端末が前記第１のスロットにおいて前記第２のデータを伝送することを含み、
前記第１のスロットは、第１のデータの伝送に使用されない
ことを特徴とする請求項１に記載の無線通信ネットワークにおけるデータ伝送方法。
【請求項５】
前記端末が前記第１のスロットにおいて前記第２のデータを伝送することは、
前記第２のデータのタイプが上りデータである場合、前記端末が前記第１のスロットにおいて前記第２のデータを送信することと、
前記第２のデータのタイプが下りデータである場合、前記端末が前記第１のスロットにおいて前記第２のデータを受信することとを含む
ことを特徴とする請求項４に記載の無線通信ネットワークにおけるデータ伝送方法。
【請求項６】
前記第１の構成シグナリングがマルチスロット動的スケジューリングシグナリングであり、
前記マルチスロット動的スケジューリングシグナリングがＤＣＩ及び／又はＭＡＣ ＣＥである
ことを特徴とする請求項１〜５のいずれか１項に記載の無線通信ネットワークにおけるデータ伝送方法。
【請求項７】
前記第３の構成シグナリングがＵＥ専用ＲＲＣシグナリングである
ことを特徴とする請求項１〜５のいずれか１項に記載のデータ伝送方法。
【請求項８】
前記第３の構成シグナリングがセル専用ＲＲＣシグナリングである
ことを特徴とする請求項１〜５のいずれか１項に記載の無線通信ネットワークにおけるデータ伝送方法。
【請求項９】
第１の受信ユニットと、第１の決定ユニットと、第３の受信ユニットと、を備えるデータ伝送装置であって、
前記第１の受信ユニットは、第１の構成シグナリングを受信するように構成され、
前記第１の構成シグナリングが第１のスロットにおいて第１のデータが占用する第１のリソースを決定し、
前記第３の受信ユニットは、第３の構成シグナリングを受信するように構成され、
前記第３の構成シグナリングが前記第１のスロットにおいて第２のデータが占用する第２のリソースを決定し、
前記第１の決定ユニットは、前記第２のリソースにおける少なくとも１つ時間領域シンボルが第１のスロットの前記第１のリソースに位置する場合、予め設定されたポリシーに基づいて前記第１のスロットにおいて伝送するデータを決定するように構成され、
前記第１の構成シグナリングが前記第１のスロットを含むＮ個のスロット内のデータをスケジューリングし、Ｎが１より大きい整数である
ことを特徴とするデータ伝送装置。
【請求項１０】
伝送ユニットを含み、
前記伝送ユニットは、第１のスロットにおいて前記第１のデータを伝送するように構成され、
前記第１のスロットは、第２のデータの伝送に使用されない
ことを特徴とする請求項９に記載のデータ伝送装置。
【請求項１１】
前記伝送ユニットは、前記第１のデータのタイプが上りデータである場合、前記第１のスロットにおいて前記第１のデータを送信し、前記第１のデータのタイプが下りデータである場合、前記第１のスロットにおいて前記第１のデータを受信するように構成される
ことを特徴とする請求項１０に記載のデータ伝送装置。
【請求項１２】
前記伝送ユニットは、前記第１のスロットにおいて前記第２のデータを伝送するように構成され、
前記第１のスロットは、第１のデータの伝送に使用されない
ことを特徴とする請求項１０に記載のデータ伝送装置。
【請求項１３】
前記伝送ユニットは、前記第２のデータのタイプが上りデータである場合、前記第１のスロットにおいて前記第２のデータを受信し、前記第２のデータのタイプが下りデータである場合、前記第１のスロットにおいて前記第２のデータを受信するように構成される
ことを特徴とする請求項１２に記載のデータ伝送装置。
【請求項１４】
前記第１の構成シグナリングがマルチスロット動的スケジューリングシグナリングであり、
前記マルチスロット動的スケジューリングシグナリングがＤＣＩ及び／又はＭＡＣ ＣＥである
ことを特徴とする請求項９〜１３のいずれか１項に記載のデータ伝送装置。
【請求項１５】
前記第３の構成シグナリングがＵＥ専用ＲＲＣシグナリングである
ことを特徴とする請求項９〜１３のいずれか１項に記載のデータ伝送装置。
【請求項１６】
前記第３の構成シグナリングがセル専用ＲＲＣシグナリングである
ことを特徴とする請求項９〜１３のいずれか１項に記載のデータ伝送装置。
【手続補正３】
【補正対象書類名】図面
【補正対象項目名】全図
【補正方法】変更
【補正の内容】
【図１】
2021513759.tif 000013
【図２】
2021513759.tif 000014
【図３】
2021513759.tif 000015
【図４】
2021513759.tif 000016
【図５】
2021513759.tif 000017
【図６】
2021513759.tif 000018
【図７】
2021513759.tif 000019
【図８】
2021513759.tif 000020
【図９】
2021513759.tif 000021
【図１０】
2021513759.tif 000022
【国際調査報告】
2021513759.tif 000023
2021513759.tif 000024
2021513759.tif 000025
2021513759.tif 000026